(57)【要約】本発明の実施形態は、通信分野に関し、スモールセルが密に配置されたシナリオにおいて正確なセル探索を実現する、ユーザイクイップメント、基地局及びセル探索方法を開示する。本発明の実施形態で提供される方法は、ＵＥが補助情報を受信するステップであって、補助情報は第１の隣接セルの第２の参照信号のリソース情報を含み、第１の隣接セルはＵＥのサービング基地局の任意の隣接セルである、ステップと、ＵＥが、補助情報に従って第１の隣接セルの第１の参照信号を検出して、ＵＥを第１の隣接セルと同期させるステップと、ＵＥが、補助情報に従って、第１の隣接セルの第１の参照信号、又は、第１の隣接セルの第２の参照信号、又は、第１の隣接セルの第１の参照信号及び第２の参照信号を検出して、第１の隣接セルのセル識別情報（ＩＤ）又は仮想ＩＤを取得するステップと、を含む。本発明はセル探索に用いられる。
2017510141.tif 000002
【特許請求の範囲】
【請求項１】
ユーザイクイップメントであって、
補助情報を受信するように構成される受信ユニットであって、前記補助情報は前記第１の隣接セルの第２の参照信号のリソース情報を含み、前記第１の隣接セルは、前記ユーザイクイップメント（ＵＥ）のサービング基地局の任意の隣接セルである、受信ユニットと、
前記受信ユニットによって受信された前記補助情報に従って、前記第１の隣接セルの第１の参照信号を検出して、前記ＵＥを前記第１の隣接セルと同期させるように構成される同期ユニットと、
前記受信ユニットによって受信された前記補助情報に従って、前記第１の隣接セルの前記第１の参照信号を検出するか、又は、前記第１の隣接セルの前記第２の参照信号を検出するか、又は、前記第１の隣接セルの前記第１の参照信号及び第２の参照信号を検出して、前記第１の隣接セルのセル識別情報（ＩＤ）又は仮想ＩＤを取得するように構成される取得ユニットと、
を備えるユーザイクイップメント。
【請求項２】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項１に記載のユーザイクイップメント。
【請求項３】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項１又は２に記載のユーザイクイップメント。
【請求項４】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項１乃至３のいずれか一項に記載のユーザイクイップメント。
【請求項５】
前記第１の参照信号と前記第２の参照信号とは、準同配置される、
請求項１乃至４のいずれか一項に記載のユーザイクイップメント。
【請求項６】
前記同期ユニットは、具体的には、
前記補助情報に従って、前記第１の隣接セルの第１の参照信号シーケンスを検出及び取得し、
前記第１の隣接セルの検出された前記第１の参照信号シーケンスとプロトコル指定のローカルの第１の参照信号シーケンスの各々との相関演算を実行して、複数の相関値を取得するように構成され、
既定の閾値よりも大きい第１の相関値が存在する場合、前記ＵＥは前記第１の隣接セルと同期され、第１の相関値は、前記第１の隣接セルの検出された前記第１の参照信号シーケンスとプロトコル指定のローカルの第１の参照信号シーケンスの各々との相関演算を実行することによって取得された前記複数の相関値のうち任意の１つである、
請求項１乃至５のいずれか一項に記載のユーザイクイップメント。
【請求項７】
前記取得ユニットは、具体的には、
前記第１の隣接セルの前記第２の参照信号の前記リソース情報に従って、前記第１の隣接セルの前記第１の参照信号の実際の送信リソース位置を取得し、
前記第１の隣接セルの前記第１の参照信号の前記実際の送信リソース位置で、前記第１の隣接セルの前記第１の参照信号を検出及び取得して、前記第１の隣接セルの第１の参照信号ＩＤを取得し、
前記第１の隣接セルの前記第１の参照信号ＩＤに従って、前記第１の隣接セルの前記仮想ＩＤを取得し、若しくは、前記第１の隣接セルの前記第１の参照信号ＩＤと前記第１の隣接セルの前記セルＩＤとの対応関係に従って、前記第１の隣接セルの前記セルＩＤを取得するように構成され、
又は、
前記第１の隣接セルの前記第２の参照信号の前記リソース情報に従って、前記第１の隣接セルの前記第２の参照信号の実際の送信リソース位置を取得し、
前記第１の隣接セルの前記第２の参照信号の前記実際の送信リソース位置で、前記第１の隣接セルの前記第２の参照信号を検出及び取得して、前記第１の隣接セルの第２の参照信号スクランブリングコードＩＤを取得し、
前記第１の隣接セルの前記第２の参照信号スクランブリングコードＩＤに従って、前記第１の隣接セルの前記仮想ＩＤを取得し、若しくは、前記第１の隣接セルの前記第２の参照信号スクランブリングコードＩＤと前記第１の隣接セルの前記セルＩＤとの対応関係に従って、前記第１の隣接セルの前記セルＩＤを取得するように構成され、
又は、
前記第１の隣接セルの前記第２の参照信号の前記リソース情報に従って、前記第１の隣接セルの前記第１の参照信号及び第２の参照信号の実際の送信リソース位置を取得し、
前記第１の隣接セルの前記第１の参照信号の前記実際の送信リソース位置で、前記第１の隣接セルの前記第１の参照信号を検出及び取得して、前記第１の隣接セルの第１の参照信号ＩＤを取得し、
前記第１の隣接セルの前記第２の参照信号の前記実際の送信リソース位置で、前記第１の隣接セルの前記第２の参照信号を検出及び取得して、前記第１の隣接セルの第２の参照信号スクランブリングコードＩＤを取得し、
前記第１の隣接セルの前記第２の参照信号スクランブリングコードＩＤと、前記第１の隣接セルの前記第１の参照信号ＩＤと、前記セルＩＤとの対応関係に従って、前記第１の隣接セルの前記セルＩＤを取得するように構成される、
請求項１乃至６のいずれか一項に記載のユーザイクイップメント。
【請求項８】
前記取得ユニットは、具体的には、
前記第１の隣接セルの前記第１の参照信号の前記実際の送信リソース位置で、前記第１の隣接セルの前記第１の参照信号シーケンスを検出及び取得し、
前記第１の隣接セルの検出された前記第１の参照信号シーケンスとプロトコル指定のローカルの第１の参照信号シーケンスの各々との相関演算を実行して、前記第１の隣接セルの前記第１の参照信号ＩＤを取得するように構成される、
請求項７に記載のユーザイクイップメント。
【請求項９】
前記取得ユニットは、具体的には、
前記第１の隣接セルの前記第２の参照信号の前記実際の送信リソース位置で、前記第１の隣接セルの第２の参照信号シーケンスを検出及び取得し、
プロトコル指定のＭ個の第２の参照信号スクランブリングコードＩＤに従って、Ｍ個のローカルの第２の参照信号シーケンスを生成し、
検出された前記第１の隣接セルの前記第２の参照信号シーケンスと前記Ｍ個のローカルの第２の参照信号シーケンスの各々との相関演算を実行して、前記第１の隣接セルの前記第２の参照信号スクランブリングコードＩＤを取得するように構成される、
請求項７又は８に記載のユーザイクイップメント。
【請求項１０】
前記第１の隣接セルの前記第２の参照信号の前記リソース情報に従って、前記第１の隣接セルが探索されたか否かを判定するように構成される判定ユニット、
を更に備える、請求項１乃至９のいずれか一項に記載のユーザイクイップメント。
【請求項１１】
前記判定ユニットは、具体的には、
前記第１の隣接セルの前記第２の参照信号の前記リソース情報に従って、前記第１の隣接セルの前記第２の参照信号の前記実際の送信リソース位置を取得し、
前記第１の隣接セルの前記第２の参照信号の前記実際の送信リソース位置で、前記第１の隣接セルの前記第２の参照信号シーケンスを検出及び取得し、
前記プロトコル指定のＭ個の第２の参照信号スクランブリングコードＩＤに従って、Ｍ個のローカルの第２の参照信号シーケンスを生成し、
検出された前記第１の隣接セルの前記第２の参照信号シーケンスと前記Ｍ個のローカルの第２の参照信号シーケンスの各々との相関演算を実行して、Ｍ個の相関値を取得するように構成され、
既定の探索条件よりも大きい前記第２の相関値が存在する場合、前記第１の隣接セルが探索され、前記第２の相関値は、検出された前記第１の隣接セルの前記第２の参照信号と前記Ｍ個のローカルの第２の参照信号シーケンスの各々との相関演算を実行することによって取得された前記Ｍ個の相関値のうち任意の１つである、
請求項１０に記載のユーザイクイップメント。
【請求項１２】
前記補助情報は更に、前記第１の隣接セルの前記セルＩＤ及び前記第１の隣接セルの前記第１の参照信号ＩＤを含む、
請求項１乃至１１のいずれか一項に記載のユーザイクイップメント。
【請求項１３】
前記同期ユニットは、具体的には、
前記補助情報に従って、前記第１の隣接セルの前記第１の参照信号シーケンスを検出及び取得し、
前記第１の隣接セルの前記第１の参照信号ＩＤに従って、前記第１の隣接セルのローカルの第１の参照信号シーケンスを生成し、
前記第１の隣接セルの検出された前記第１の参照信号シーケンスと前記第１の隣接セルの前記ローカルの第１の参照信号シーケンスとの相関演算を実行して、第３の相関値を取得するように構成され、
前記第３の相関値が既定の閾値よりも大きい場合、前記ＵＥは前記第１の隣接セルと同期される、
請求項１２に記載のユーザイクイップメント。
【請求項１４】
前記補助情報は更に、前記第１の隣接セルの前記第２の参照信号スクランブリングコードＩＤを含む、
請求項１乃至１３のいずれか一項に記載のユーザイクイップメント。
【請求項１５】
前記判定ユニットは、具体的には、
前記第１の隣接セルの前記第２の参照信号の前記リソース情報に従って、前記第１の隣接セルの前記第２の参照信号の前記実際の送信リソース位置を取得し、
前記第１の隣接セルの前記第２の参照信号の前記実際の送信リソース位置で、前記第１の隣接セルの前記第２の参照信号シーケンスを検出及び取得し、
前記第１の隣接セルの前記第２の参照信号スクランブリングコードＩＤに従って、前記第１の隣接セルのローカルの第２の参照信号シーケンスを生成し、
検出された前記第１の隣接セルの前記第２の参照信号と前記第１の隣接セルの前記ローカルの第２の参照信号シーケンスとの相関演算を実行して、第４の相関値を取得するように構成され、
前記第４の相関値が既定の探索条件よりも大きい場合、前記第１の隣接セルが探索される、
請求項１４に記載のユーザイクイップメント。
【請求項１６】
前記同期ユニットは、具体的には、
前記第１の隣接セルの前記第１の参照信号と前記第１の隣接セルの前記第２の参照信号とが１つのサブフレームで送信される場合、前記第１の隣接セルの前記第２の参照信号の前記リソース情報において指示されるサブフレームで、前記第１の隣接セルの前記第１の参照信号を検出するように構成され、
又は、
前記第１の隣接セルの前記第１の参照信号が、前記第１の隣接セルの前記第２の参照信号の前又は後のＮ番目のサブフレーム０又はサブフレーム５で送信される場合、前記第１の隣接セルの前記第２の参照信号の前記リソース情報において指示されるサブフレームの前又は後のサブフレーム０又はサブフレーム５で、前記第１の隣接セルの前記第１の参照信号を検出するように構成され、Ｎは１以上であり、
又は、
前記第１の隣接セルの前記第１の参照信号が、前記第１の隣接セルの前記第２の参照信号の前又は後のＰ番目のサブフレームで送信される場合、前記第１の隣接セルの前記第２の参照信号の前記リソース情報において指示されるサブフレームの前又は後のＰ番目のサブフレームで、前記第１の隣接セルの前記第１の参照信号を検出するように構成され、前記補助情報は更に、前記第１の隣接セルの前記第１の参照信号と前記第１の隣接セルの前記第２の参照信号との間のサブフレームオフセットＰを含み、Ｐは１以上である、
請求項１乃至１５のいずれか一項に記載のユーザイクイップメント。
【請求項１７】
前記第１の隣接セルの前記第２の参照信号の前記リソース情報に従って、前記第１の隣接セルの前記第２の参照信号の前記送信リソース位置で、前記第１の隣接セルの無線リソース管理（ＲＲＭ）測定を実行して、メトリックを取得するように構成される測定ユニットであって、前記メトリックは、参照信号受信電力（ＲＳＲＰ）、受信信号強度インジケータ（ＲＳＳＩ）及び参照信号受信品質（ＲＳＲＱ）のうち少なくとも１つを含む、測定ユニット、
を更に備える、請求項１乃至１６のいずれか一項に記載のユーザイクイップメント。
【請求項１８】
前記補助情報は更に、前記第１の隣接セルの測定リソース１のリソース情報を含み、前記第１の隣接セルの前記測定リソース１の前記リソース情報は、
前記第１の隣接セルの前記測定リソース１のリソース構成と、前記第１の隣接セルの前記測定リソース１のためのアンテナポートの数と、前記第１の隣接セルの前記測定リソース１のサブフレーム情報と、のうち少なくとも１つを含む、
請求項１７に記載のユーザイクイップメント。
【請求項１９】
前記第１の隣接セルの前記測定リソース１は、前記第１の隣接セルのゼロパワーチャネル状態指示参照信号（ZP-CSI-RS）である、
請求項１８に記載のユーザイクイップメント。
【請求項２０】
前記測定ユニットは、具体的には、
前記第１の隣接セルの前記第２の参照信号の前記リソース情報に従って、前記第１の隣接セルの前記第２の参照信号の前記送信リソース位置で、前記第１の隣接セルの無線リソース管理（ＲＲＭ）測定を実行して、前記メトリックのＲＳＲＰを取得し、
前記第１の隣接セルの前記測定リソース１の前記リソース情報に従って、前記第１の隣接セルの前記測定リソース１の送信リソース位置で、前記第１の隣接セルの無線リソース管理（ＲＲＭ）測定を実行して、前記メトリックのＲＳＳＩを取得し、
前記ＲＳＲＰ及び前記ＲＳＳＩに従って前記ＲＳＲＱを取得するように構成される、
請求項１８又は１９に記載のユーザイクイップメント。
【請求項２１】
基地局であって、前記基地局はユーザイクイップメント（ＵＥ）のサービング基地局であり、
第１の隣接セルの第１の参照信号の送信パラメータと、前記第１の隣接セルの第２の参照信号の送信パラメータとを取得するように構成される取得ユニットと、
前記取得ユニットによって取得された前記第１の隣接セルの前記第１の参照信号の前記送信パラメータと前記第１の隣接セルの前記第２の参照信号の前記送信パラメータとに従って、補助情報を生成するように構成される生成ユニットであって、前記補助情報は、前記第１の隣接セルの前記第２の参照信号のリソース情報を含む、生成ユニットと、
セル内のユーザイクイップメント（ＵＥ）がセル探索を実行するように、前記生成ユニットによって生成された前記補助情報を前記ＵＥに送信するように構成される送信ユニットと、
を備える、基地局。
【請求項２２】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項２１に記載の基地局。
【請求項２３】
前記第１の隣接セルの前記第１の参照信号は、プライマリ同期信号（ＰＳＳ）又は前記第１の隣接セルの準ＰＳＳであり、
前記準ＰＳＳを生成するためのルートシーケンス番号は、前記ＰＳＳを生成するためのルートシーケンス番号と異なる、
請求項２１又は２２に記載の基地局。
【請求項２４】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項２１乃至２３のいずれか一項に記載の基地局。
【請求項２５】
前記補助情報は更に、前記第１の隣接セルのセル識別情報（ＩＤ）及び前記第１の隣接セルの第１の参照信号ＩＤを含む、
請求項２１乃至２４のいずれか一項に記載の基地局。
【請求項２６】
前記補助情報は更に、前記第１の隣接セルの第２の参照信号スクランブリングコードＩＤを含む、
請求項２１乃至２５のいずれか一項に記載の基地局。
【請求項２７】
前記第１の隣接セルの前記第１の参照信号が前記第１の隣接セルの前記第２の参照信号の前又は後のＰ番目のサブフレームで送信されるとき、前記補助情報は更に、前記第１の隣接セルの前記第１の参照信号と前記第１の隣接セルの前記第２の参照信号との間のサブフレームオフセットＰを含み、Ｐは１以上である、
請求項２１乃至２６のいずれか一項に記載の基地局。
【請求項２８】
基地局であって、前記基地局は、第１の隣接セルに対応する基地局であり、
前記第１の隣接セルの第１の参照信号及び第２の参照信号を送信するように構成される送信ユニットであって、前記第１の参照信号は、ユーザイクイップメント（ＵＥ）を前記セルに同期させるために用いられ、前記第２の参照信号は、前記ＵＥがセル探索及び無線リソース管理（ＲＲＭ）測定を実行する際に用いられる、送信ユニット、
を備える、基地局。
【請求項２９】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項２８に記載の基地局。
【請求項３０】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項２８又は２９に記載の基地局。
【請求項３１】
前記第１の隣接セルの前記第２の参照信号が１つのアンテナポートを介して伝送されるとき、各リソースブロックにおいて、前記第１の隣接セルの前記第２の参照信号を４つのリソースにマッピングするか、又は、
前記第１の隣接セルの前記第２の参照信号が１つのアンテナポートを介して伝送されるとき、各リソースブロックにおいて、前記第１の隣接セルの前記第２の参照信号を８つのリソースエレメントにマッピングするか、又は、
前記第１の隣接セルの前記第２の参照信号が２つのアンテナポートを介して伝送されるとき、各リソースブロックにおいて、前記第１の隣接セルの前記第２の参照信号を４つのリソースエレメントにマッピングするか、又は、
前記第１の隣接セルの前記第２の参照信号が２つのアンテナポートを介して伝送されるとき、各リソースブロックにおいて、前記第１の隣接セルの前記第２の参照信号を８つのリソースエレメントにマッピングするように構成されるマッピングユニット、
を更に備える、請求項２８乃至３０のいずれか一項に記載の基地局。
【請求項３２】
前記第１の隣接セルの前記第２の参照信号のシークエンス長は、最大システム帯域幅に含まれるリソースブロックの数のＱ倍であり、Ｑは１より大きい正の整数である、
請求項３１に記載の基地局。
【請求項３３】
前記第１の隣接セルのセルＩＤと前記第１の隣接セルの構成されたリソースの数とに従って、前記第１の隣接セルの前記第２の参照信号の送信リソース位置を判定するように構成される判定ユニット、
を更に備える、請求項２８乃至３２のいずれか一項に記載の基地局。
【請求項３４】
前記判定ユニットは、具体的には、
前記第１の隣接セルのプライマリ同期信号（ＰＳＳ）ＩＤに従って、前記第１の隣接セルの前記第２の参照信号の前記送信リソース位置を計算するように構成される、
請求項３３に記載の基地局。
【請求項３５】
前記判定ユニットは、具体的には、
前記第１の隣接セルのセカンダリ同期信号（ＳＳＳ）ＩＤに従って、前記第１の隣接セルの前記第２の参照信号の前記送信リソース位置を計算するように構成される、
請求項３３に記載の基地局。
【請求項３６】
前記第１の隣接セルの構成されるリソースはＳ個のリソースセットであり、各リソースセットはＴ個のリソースを含み、前記判定ユニットは、具体的には、
前記第１の隣接セルのＰＳＳ  ＩＤに従って、前記第１の隣接セルの前記第２の参照信号の送信リソースセットを決定し、前記第１の隣接セルのＳＳＳ  ＩＤに従って、前記第１の隣接セルの前記第２の参照信号の、前記送信リソースセットにおける前記送信リソース位置を決定するように構成される、
請求項３３に記載の基地局。
【請求項３７】
前記送信ユニットは、更に、
前記第１の隣接セルの前記第１の参照信号及び前記第１の隣接セルの前記第２の参照信号を１つのサブフレームで送信するように構成され、
又は、
前記第１の隣接セルの前記第１の参照信号を、前記第１の隣接セルの前記第２の参照信号の前又は後のＮ番目のサブフレーム０又はサブフレーム５で送信するように構成され、Ｎは１以上であり、
又は、
前記第１の隣接セルの前記第１の参照信号を、前記第１の隣接セルの前記第２の参照信号の前又は後のＰ番目のサブフレームで送信するように構成され、Ｐは１以上である、
請求項２８乃至３６のいずれか一項に記載の基地局。
【請求項３８】
前記送信ユニットは更に、前記第１の隣接セルの全ての隣接セルのユーザイクイップメント（ＵＥ）がセル探索を実行するように、前記第１の隣接セルの前記第１の参照信号の送信パラメータと前記第１の隣接セルの前記第２の参照信号の送信パラメータとを、前記第１の隣接セルの全ての隣接セルに送信するように構成される、
請求項２８乃至３７のいずれか一項に記載の基地局。
【請求項３９】
前記第１の隣接セルに対応する前記基地局がオフ状態であるとき、前記送信ユニットは更に、既定の周期に従って、前記第１の隣接セルの前記第１の参照信号及び第２の参照信号を周期的に送信するように構成される、
請求項２８乃至３８のいずれか一項に記載の基地局。
【請求項４０】
ユーザイクイップメント（ＵＥ）が補助情報を受信するステップであって、前記補助情報は前記第１の隣接セルの第２の参照信号のリソース情報を含み、前記第１の隣接セルは前記ＵＥのサービング基地局の任意の隣接セルである、ステップと、
前記ＵＥが、前記補助情報に従って前記第１の隣接セルの第１の参照信号を検出して、前記ＵＥを前記第１の隣接セルと同期させるステップと、
前記ＵＥが、前記補助情報に従って、前記第１の隣接セルの前記第１の参照信号、又は、前記第１の隣接セルの前記第２の参照信号、又は、前記第１の隣接セルの前記第１の参照信号及び第２の参照信号を検出して、前記第１の隣接セルのセル識別情報（ＩＤ）又は仮想ＩＤを取得するステップと、
を含む、セル探索方法。
【請求項４１】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項４０に記載のセル探索方法。
【請求項４２】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項４０又は４１に記載のセル探索方法。
【請求項４３】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項４０乃至４２のいずれか一項に記載のセル探索方法。
【請求項４４】
前記第１の参照信号と前記第２の参照信号とは、準同配置される、
請求項４０乃至４３のいずれか一項に記載のセル探索方法。
【請求項４５】
前記ＵＥが、前記補助情報に従って前記第１の隣接セルの第１の参照信号を検出して、前記ＵＥを前記第１の隣接セルと同期させる前記ステップは、
前記ＵＥが、前記補助情報に従って、前記第１の隣接セルの第１の参照信号シーケンスを検出及び取得するステップと、
前記第１の隣接セルの検出された前記第１の参照信号シーケンスとプロトコル指定のローカルの第１の参照信号シーケンスの各々との相関演算を実行して、複数の相関値を取得するステップと、
を含み、
既定の閾値よりも大きい第１の相関値が存在する場合、前記ＵＥは前記第１の隣接セルと同期され、前記第１の相関値は、前記第１の隣接セルの検出された前記第１の参照信号シーケンスとプロトコル指定のローカルの第１の参照信号シーケンスの各々との相関演算を実行することによって取得された前記複数の相関値のうち任意の１つである、
請求項４０乃至４４のいずれか一項に記載のセル探索方法。
【請求項４６】
前記ＵＥが、前記補助情報に従って、前記第１の隣接セルの前記第１の参照信号、又は、前記第１の隣接セルの前記第２の参照信号、又は、前記第１の隣接セルの前記第１の参照信号及び第２の参照信号を検出して、前記第１の隣接セルのセルＩＤ又は仮想ＩＤを取得する前記ステップは、
前記第１の隣接セルの前記第２の参照信号の前記リソース情報に従って、前記第１の隣接セルの前記第１の参照信号の実際の送信リソース位置を取得するステップと、
前記第１の隣接セルの前記第１の参照信号の前記実際の送信リソース位置で、前記第１の隣接セルの前記第１の参照信号を検出及び取得して、前記第１の隣接セルの第１の参照信号ＩＤを取得するステップと、
前記第１の隣接セルの前記第１の参照信号ＩＤに従って、前記第１の隣接セルの前記仮想ＩＤを取得するか、若しくは、前記第１の隣接セルの前記第１の参照信号ＩＤと前記第１の隣接セルの前記セルＩＤとの対応関係に従って、前記第１の隣接セルの前記セルＩＤを取得するステップと、
を含み、又は、
前記第１の隣接セルの前記第２の参照信号の前記リソース情報に従って、前記第１の隣接セルの前記第２の参照信号の実際の送信リソース位置を取得するステップと、
前記第１の隣接セルの前記第２の参照信号の前記実際の送信リソース位置で、前記第１の隣接セルの前記第２の参照信号を検出及び取得して、前記第１の隣接セルの第２の参照信号スクランブリングコードＩＤを取得するステップと、
前記第１の隣接セルの前記第２の参照信号スクランブリングコードＩＤに従って、前記第１の隣接セルの前記仮想ＩＤを取得するか、若しくは、前記第１の隣接セルの前記第２の参照信号スクランブリングコードＩＤと前記第１の隣接セルの前記セルＩＤとの対応関係に従って、前記第１の隣接セルの前記セルＩＤを取得するステップと、
を含み、又は、
前記第１の隣接セルの前記第２の参照信号の前記リソース情報に従って、前記第１の隣接セルの前記第１の参照信号及び第２の参照信号の実際の送信リソース位置を取得するステップ；
前記第１の隣接セルの前記第１の参照信号の前記実際の送信リソース位置で、前記第１の隣接セルの前記第１の参照信号を検出及び取得して、前記第１の隣接セルの第１の参照信号ＩＤを取得するステップと、
前記第１の隣接セルの前記第２の参照信号の前記実際の送信リソース位置で、前記第１の隣接セルの前記第２の参照信号を検出及び取得して、前記第１の隣接セルの第２の参照信号スクランブリングコードＩＤを取得するステップと、
前記第１の隣接セルの前記第２の参照信号スクランブリングコードＩＤと、前記第１の隣接セルの前記第１の参照信号ＩＤと、前記セルＩＤとの対応関係に従って、前記第１の隣接セルの前記セルＩＤを取得するステップと、
を含む、請求項４０乃至４５のいずれか一項に記載のセル探索方法。
【請求項４７】
前記第１の隣接セルの前記第１の参照信号の前記実際の送信リソース位置で、前記第１の隣接セルの前記第１の参照信号を検出及び取得して、前記第１の隣接セルの第１の参照信号ＩＤを取得する前記ステップは、
前記第１の隣接セルの前記第１の参照信号の前記実際の送信リソース位置で、前記第１の隣接セルの前記第１の参照信号シーケンスを検出及び取得するステップと、
前記第１の隣接セルの検出された前記第１の参照信号シーケンスとプロトコル指定のローカルの第１の参照信号シーケンスの各々との相関演算を実行して、前記第１の隣接セルの前記第１の参照信号ＩＤを取得するステップと、
を含む、請求項４６に記載のセル探索方法。
【請求項４８】
前記第１の隣接セルの前記第２の参照信号の前記実際の送信リソース位置で、前記第１の隣接セルの前記第２の参照信号を検出及び取得して、前記第１の隣接セルの第２の参照信号スクランブリングコードＩＤを取得する前記ステップは、
前記第１の隣接セルの前記第２の参照信号の前記実際の送信リソース位置で、前記第１の隣接セルの前記第２の参照信号シーケンスを検出及び取得するステップと、
プロトコル指定のＭ個の第２の参照信号スクランブリングコード識別情報（ＩＤ）に従って、Ｍ個のローカルの第２の参照信号シーケンスを生成するステップと、
検出された前記第１の隣接セルの前記第２の参照信号シーケンスと前記Ｍ個のローカルの第２の参照信号シーケンスの各々との相関演算を実行して、前記第１の隣接セルの前記第２の参照信号スクランブリングコードＩＤを取得するステップと、
を含む、請求項４６又は４７に記載のセル探索方法。
【請求項４９】
前記第１の隣接セルの前記第２の参照信号の前記リソース情報に従って、前記第１の隣接セルが探索されたか否かを判定するステップ、
を更に含む、請求項４０乃至４８のいずれか一項に記載のセル探索方法。
【請求項５０】
前記第１の隣接セルの前記第２の参照信号の前記リソース情報に従って、前記第１の隣接セルが探索されたか否かを判定する前記ステップは、
前記第１の隣接セルの前記第２の参照信号の前記リソース情報に従って、前記第１の隣接セルの前記第２の参照信号の前記実際の送信リソース位置を取得するステップと、
前記第１の隣接セルの前記第２の参照信号の前記実際の送信リソース位置で、前記第１の隣接セルの前記第２の参照信号を検出及び取得するステップと、
前記プロトコル指定のＭ個の第２の参照信号スクランブリングコードＩＤに従って、Ｍ個のローカルの第２の参照信号シーケンスを生成するステップと、
検出された前記第１の隣接セルの前記第２の参照信号と前記Ｍ個のローカルの第２の参照信号シーケンスの各々との相関演算を実行して、Ｍ個の相関値を取得するステップと、
を含み、
既定の探索条件よりも大きい前記第２の相関値が存在する場合、前記第１の隣接セルが探索され、前記第２の相関値は、検出された前記第１の隣接セルの前記第２の参照信号と前記Ｍ個のローカルの第２の参照信号シーケンスの各々との相関演算を実行することによって取得された前記Ｍ個の相関値のうち任意の１つである、
請求項４９に記載のセル探索方法。
【請求項５１】
前記補助情報は更に、前記第１の隣接セルの前記セルＩＤ及び前記第１の隣接セルの前記第１の参照信号ＩＤを含む、
請求項４０乃至５０のいずれか一項に記載のセル探索方法。
【請求項５２】
前記ＵＥが、前記補助情報に従って前記第１の隣接セルの第１の参照信号を検出して、前記ＵＥを前記第１の隣接セルと同期させる前記ステップは、
前記ＵＥが、前記補助情報に従って、前記第１の隣接セルの前記第１の参照信号シーケンスを検出及び取得するステップと、
前記第１の隣接セルの前記第１の参照信号ＩＤに従って、前記第１の隣接セルのローカルの第１の参照信号シーケンスを生成するステップと、
前記第１の隣接セルの検出された前記第１の参照信号シーケンスと前記第１の隣接セルの前記ローカルの第１の参照信号シーケンスとの相関演算を実行して、第３の相関値を取得するステップと、
を含み、
前記第３の相関値が既定の閾値よりも大きい場合、前記ＵＥは前記第１の隣接セルと同期される、
請求項５１に記載のセル探索方法。
【請求項５３】
前記補助情報は更に、前記第１の隣接セルの前記第２の参照信号スクランブリングコードＩＤを含む、
請求項４０乃至５２のいずれか一項に記載のセル探索方法。
【請求項５４】
前記第１の隣接セルの前記第２の参照信号の前記リソース情報に従って、前記第１の隣接セルが探索されたか否かを判定する前記ステップは、
前記第１の隣接セルの前記第２の参照信号の前記リソース情報に従って、前記第１の隣接セルの前記第２の参照信号の前記実際の送信リソース位置を取得するステップと、
前記第１の隣接セルの前記第２の参照信号の前記実際の送信リソース位置で、前記第１の隣接セルの前記第２の参照信号シーケンスを検出及び取得するステップと、
前記第１の隣接セルの前記第２の参照信号スクランブリングコードＩＤに従って、前記第１の隣接セルのローカルの第２の参照信号シーケンスを生成するステップと、
検出された前記第１の隣接セルの前記第２の参照信号と前記第１の隣接セルの前記ローカルの第２の参照信号シーケンスとの相関演算を実行して、第４の相関値を取得するステップと、
を含み、
前記第４の相関値が既定の探索条件よりも大きい場合、前記第１の隣接セルが探索される、
請求項５３に記載のセル探索方法。
【請求項５５】
前記ＵＥが、前記補助情報に従って前記第１の隣接セルの第１の参照信号を検出する前記ステップは、
前記第１の隣接セルの前記第１の参照信号と前記第１の隣接セルの前記第２の参照信号とが１つのサブフレームで送信される場合、前記ＵＥが、前記第１の隣接セルの前記第２の参照信号の前記リソース情報において指示されるサブフレームで、前記第１の隣接セルの前記第１の参照信号を検出するステップ、
又は、
前記第１の隣接セルの前記第１の参照信号が、前記第１の隣接セルの前記第２の参照信号の前又は後のＮ番目のサブフレーム０又はサブフレーム５で送信される場合、前記ＵＥが、前記第１の隣接セルの前記第２の参照信号の前記リソース情報において指示されるサブフレームの前又は後のサブフレーム０又はサブフレーム５で、前記第１の隣接セルの前記第１の参照信号を検出するステップであって、Ｎは１以上である、ステップ、
又は、
前記第１の隣接セルの前記第１の参照信号が、前記第１の隣接セルの前記第２の参照信号の前又は後のＰ番目のサブフレームで送信される場合、前記ＵＥが、前記第１の隣接セルの前記第２の参照信号の前記リソース情報において指示されるサブフレームの前又は後のＰ番目のサブフレームで、前記第１の隣接セルの前記第１の参照信号を検出するステップであって、前記補助情報は更に、前記第１の隣接セルの前記第１の参照信号と前記第１の隣接セルの前記第２の参照信号との間のサブフレームオフセットＰを含み、Ｐは１以上である、ステップ、
を含む、請求項４０乃至５４のいずれか一項に記載のセル探索方法。
【請求項５６】
前記第１の隣接セルの前記第２の参照信号の前記リソース情報に従って、前記第１の隣接セルの前記第２の参照信号の前記送信リソース位置で、前記第１の隣接セルの無線リソース管理（ＲＲＭ）測定を実行して、メトリックを取得するステップであって、前記メトリックは、参照信号受信電力（ＲＳＲＰ）、受信信号強度インジケータ（ＲＳＳＩ）及び参照信号受信品質（ＲＳＲＱ）のうち少なくとも１つを含む、ステップ、
を更に含む、請求項４０乃至５５のいずれか一項に記載のセル探索方法。
【請求項５７】
前記補助情報は更に、前記第１の隣接セルの測定リソース１のリソース情報を含み、前記第１の隣接セルの前記測定リソース１の前記リソース情報は、
前記第１の隣接セルの前記測定リソース１のリソース構成と、前記第１の隣接セルの前記測定リソース１のためのアンテナポートの数と、前記第１の隣接セルの前記測定リソース１のサブフレーム情報と、のうち少なくとも１つを含む、
請求項５６に記載のセル探索方法。
【請求項５８】
前記第１の隣接セルの前記測定リソース１は、前記第１の隣接セルのゼロパワーチャネル状態指示参照信号（ZP-CSI-RS）である、
請求項５７に記載のセル探索方法。
【請求項５９】
前記第１の隣接セルの前記第２の参照信号の前記リソース情報に従って、前記第１の隣接セルの前記第２の参照信号の前記送信リソース位置で、前記第１の隣接セルのＲＲＭ測定を実行して、メトリックを取得する前記ステップは、
前記第１の隣接セルの前記第２の参照信号の前記リソース情報に従って、前記第１の隣接セルの前記第２の参照信号の前記送信リソース位置で、前記第１の隣接セルの無線リソース管理（ＲＲＭ）測定を実行して、前記メトリックのＲＳＲＰを取得するステップと、
前記第１の隣接セルの前記測定リソース１の前記リソース情報に従って、前記第１の隣接セルの前記測定リソース１の送信リソース位置で、前記第１の隣接セルの無線リソース管理（ＲＲＭ）測定を実行して、前記メトリックのＲＳＳＩを取得するステップと、
前記ＲＳＲＰ及び前記ＲＳＳＩに従って、前記ＲＳＲＱを取得するステップと、
を含む、請求項５６又は５７に記載のセル探索方法。
【請求項６０】
第１の隣接セルの第１の参照信号の送信パラメータと、前記第１の隣接セルの第２の参照信号の送信パラメータとを取得するステップと、
前記第１の隣接セルの前記第１の参照信号の前記送信パラメータと、前記第１の隣接セルの前記第２の参照信号の前記送信パラメータとに従って、補助情報を生成するステップであって、前記補助情報は、前記第１の隣接セルの前記第２の参照信号のリソース情報を含む、ステップと、
セル内のユーザイクイップメント（ＵＥ）がセル探索を実行するように、前記補助情報を前記ＵＥに送信するステップと、
を含むセル探索方法。
【請求項６１】
前記第１の隣接セルの前記第２の参照信号は、前記第１の隣接セルの非ゼロパワーチャネル指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項６０に記載のセル探索方法。
【請求項６２】
前記第１の隣接セルの前記第１の参照信号は、プライマリ同期信号（ＰＳＳ）又は前記第１の隣接セルの準ＰＳＳであり、
前記準ＰＳＳを生成するためのルートシーケンス番号は、前記ＰＳＳを生成するためのルートシーケンス番号と異なる、
請求項６０又は６１に記載のセル探索方法。
【請求項６３】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項６０乃至６２に記載のセル探索方法。
【請求項６４】
前記補助情報は更に、前記第１の隣接セルの前記セル識別情報（ＩＤ）及び前記第１の隣接セルの第１の参照信号ＩＤを含む、
請求項６０乃至６３のいずれか一項に記載のセル探索方法。
【請求項６５】
前記補助情報は更に、前記第１の隣接セルの第２の参照信号スクランブリングコードＩＤを含む、
請求項６０乃至６４のいずれか一項に記載のセル探索方法。
【請求項６６】
前記第１の隣接セルの前記第１の参照信号が前記第１の隣接セルの前記第２の参照信号の前又は後のＰ番目のサブフレームで送信されるとき、前記補助情報は更に、前記第１の隣接セルの前記第１の参照信号と前記第１の隣接セルの前記第２の参照信号との間のサブフレームオフセットＰを含み、Ｐは１以上である、
請求項６０乃至６５のいずれか一項に記載のセル探索方法。
【請求項６７】
第１の隣接セルの第１の参照信号及び第２の参照信号を送信するステップであって、前記第１の参照信号は、ユーザイクイップメント（ＵＥ）を前記セルに同期させるために用いられ、前記第２の参照信号は、前記ＵＥがセル探索及び無線リソース管理（ＲＲＭ）測定を実行する際に用いられる、ステップ、
を含む、セル探索方法。
【請求項６８】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項６７に記載のセル探索方法。
【請求項６９】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項６７又は６８に記載のセル探索方法。
【請求項７０】
前記第１の隣接セルの前記第２の参照信号が１つのアンテナポートを介して伝送されるとき、各リソースブロックにおいて、前記第１の隣接セルの前記第２の参照信号を４つのリソースにマッピングするステップ、又は、
前記第１の隣接セルの前記第２の参照信号が１つのアンテナポートを介して伝送されるとき、各リソースブロックにおいて、前記第１の隣接セルの前記第２の参照信号を８つのリソースエレメントにマッピングするステップ、又は、
前記第１の隣接セルの前記第２の参照信号が２つのアンテナポートを介して伝送されるとき、各リソースブロックにおいて、前記第１の隣接セルの前記第２の参照信号を４つのリソースエレメントにマッピングするステップ、又は、
前記第１の隣接セルの前記第２の参照信号が２つのアンテナポートを介して伝送されるとき、各リソースブロックにおいて、前記第１の隣接セルの前記第２の参照信号を８つのリソースエレメントにマッピングするステップ、
を更に含む、請求項６７乃至６９のいずれか一項に記載のセル探索方法。
【請求項７１】
前記第１の隣接セルの前記第２の参照信号のシークエンス長は、最大システム帯域幅に含まれるリソースブロックの数のＱ倍であり、Ｑは１より大きい正の整数である、
請求項７０に記載のセル探索方法。
【請求項７２】
第１の隣接セルの第１の参照信号及び第２の参照信号を送信する前記ステップの前に、
前記第１の隣接セルのセルＩＤと前記第１の隣接セルの構成されたリソースの数とに従って、前記第１の隣接セルの前記第２の参照信号の送信リソース位置を決定するステップ、
を更に含む、請求項６７乃至７１のいずれか一項に記載のセル探索方法。
【請求項７３】
前記第１の隣接セルのセルＩＤと前記第１の隣接セルの構成されたリソースの数とに従って、前記第１の隣接セルの前記第２の参照信号の送信リソース位置を決定する前記ステップは、
前記第１の隣接セルのプライマリ同期信号（ＰＳＳ）ＩＤに従って、前記第１の隣接セルの前記第２の参照信号の前記送信リソース位置を計算するステップ、
を含む、請求項７２に記載のセル探索方法。
【請求項７４】
前記第１の隣接セルのセルＩＤと前記第１の隣接セルの構成されたリソースの数とに従って、前記第１の隣接セルの前記第２の参照信号の送信リソース位置を決定する前記ステップは、
前記第１の隣接セルのセカンダリ同期信号（ＳＳＳ）ＩＤに従って、前記第１の隣接セルの前記第２の参照信号の前記送信リソース位置を計算するステップ、
を含む、請求項７２に記載のセル探索方法。
【請求項７５】
前記第１の隣接セルの構成されるリソースはＳ個のリソースセットであり、各リソースセットはＴ個のリソースを含み、
前記第１の隣接セルのセルＩＤと前記第１の隣接セルの構成されたリソースの数とに従って、前記第１の隣接セルの前記第２の参照信号の送信リソース位置を決定する前記ステップは、
前記第１の隣接セルのＰＳＳ  ＩＤに従って、前記第１の隣接セルの前記第２の参照信号の送信リソースセットを決定し、前記第１の隣接セルのＳＳＳ  ＩＤに従って、前記第１の隣接セルの前記第２の参照信号の、前記送信リソースセットにおける前記送信リソース位置を決定するステップ、
を含む、請求項７２に記載のセル探索方法。
【請求項７６】
前記第１の隣接セルの前記第１の参照信号と前記第１の隣接セルの前記第２の参照信号とを１つのサブフレームで送信するステップ、
又は、
前記第１の隣接セルの前記第１の参照信号を、前記第１の隣接セルの前記第２の参照信号の前又は後のＮ番目のサブフレーム０又はサブフレーム５で送信するステップであって、Ｎは１以上である、ステップ、
又は、
前記第１の隣接セルの前記第１の参照信号を、前記第１の隣接セルの前記第２の参照信号の前又は後のＰ番目のサブフレームで送信するステップであって、Ｐは１以上である、ステップ
を更に含む、請求項６７乃至７５のいずれか一項に記載のセル探索方法。
【請求項７７】
前記第１の隣接セルの全ての隣接セルのユーザイクイップメント（ＵＥ）がセル探索を実行するように、前記第１の隣接セルの前記第１の参照信号の送信パラメータと、前記第１の隣接セルの前記第２の参照信号の送信パラメータとを、前記第１の隣接セルの全ての隣接セルに送信するステップ、
を更に含む、請求項６７乃至７６のいずれか一項に記載のセル探索方法。
【請求項７８】
前記第１の隣接セルに対応する基地局がオフ状態であるとき、既定の周期に従って、前記第１の隣接セルの前記第１の参照信号及び第２の参照信号を周期的に送信するステップ、
を更に含む、請求項６７乃至７７のいずれか一項に記載のセル探索方法。
【発明の詳細な説明】
【技術分野】
【０００１】
本発明は通信分野に関し、特に、ユーザイクイップメント、基地局及びセル探索方法に関する。
【背景技術】
【０００２】
一般に、従来のロング・ターム・エボリューション（Long  Term  Evolution，略してＬＴＥ）無線ネットワークは、マクロ基地局を含むと考えられる。マクロ基地局は２０メートル以上の高さに配置され、送信電力は４６ｄＢｍに達するので、比較的大きなエリアをカバーして多数のユーザにサービスを提供することができる。
【０００３】
都市が発展するにつれて、マクロ基地局の継続的な配置は、立地選定や密度増加における困難といった多くの困難に直面している。したがって、業界ではスモールセル又はマイクロ基地局が進出している。スモールセルには、送信電力が低く、設置が容易であり、高さの低い場所に配置できるという特徴がある。したがって、スモールセルは一般に非常に狭い範囲をカバーし、極めて少数のユーザにサービスを提供し、人口が密集みた住宅地やビジネス街等に適する。例えば、百貨店に複数のスモールセルを配置して、サービスを提供することができる（User  Equipment，略称ＵＥ）。
【０００４】
ＬＴＥネットワークは、多くのセル（Cell）に分割される。一般に、１つのセルは１つの基地局（マクロ基地局、ミクロ基地局又はスモールセル）を有する。通信プロセスでは、ＵＥは、基地局によって提供されるサービスを受信するために、基地局への接続を設定する。ＵＥが移動すると、ＵＥは１つのセルを離れて別のセルに入ることができる。この場合は、ＵＥは、新たに到着したセルの基地局によってサービス提供されるように、元の基地局から接続を切断して、新たに到着したセルの基地局への接続を設定する必要がある。このプロセスはハンドオーバーと呼ばれる。
【０００５】
ハンドオーバーの前に、ＵＥは、近くのセルに関してセル探索及び測定を行う必要がある。セル探索は、ＵＥが、現在接続が保持されているセルの他に、別のセルが近くにあるか否かを判定することを意味する。ＵＥは、隣接セルによって送信されたプライマリ同期信号（Primary  Synchronization  Signal，略称ＰＳＳ）／セカンダリ同期信号（Secondary  Synchronous  Signal，略称ＳＳＳ）を検出することにより、隣接セルのセル識別情報（Identity，略称ＩＤ）を取得する。セル測定は、ＵＥが、探索された隣接セルによって送信されるダウンリンク参照信号（例えばセル固有参照信号（Cell-specific  Reference  Signal，略称ＣＲＳ））を測定することにより、探索された隣接セルの各々について、無線リソース管理（Radio  Resource  Management，略称ＲＲＭ）測定を行って、探索された隣接セルのメトリックを取得することを意味する。メトリックは、測定されるセルの信号品質を反映するのに用いられる。近くの別のセルの信号量が現在接続が保持されているセルのものよりも優れている場合、或いは、別のハンドオーバー条          件が満たされる場合、ネットワークは、より適切なセルにＵＥを引き渡すためにハンドオーバープロセスを開始する。ＬＴＥでは、セル測定のためのメトリックは一般に、参照信号受信電力（Reference  Signal  Received  Power，略称ＲＳＲＰ）、受信信号強度インジケータ（Received  Signal  Strength  Indicator，略称ＲＳＳＩ）及び参照信号受信品質（Reference  Signal  Received  Quality，略称ＲＳＲＱ）を含む。
【０００６】
上述のセル探索と測定のプロセスでは、スモールセルは主に人口密度の高い場所に配置されるので、通信データ量のような要件を満たすために、スモールセルも密に配置される必要がある。密度は、隣接する２つのスモールセルが数メートルおき又は数十メートルおきに配置されるものであってよい。スモールセルが来技術に従って密に配置され、セルの探索と測定が実行されるシナリオでは、各セルは同じ場所にＰＳＳ／ＳＳＳ及びＣＲＳを送信するので、セル探索と測定プロセスの際にはセル間の干渉が比較的強くなってしまう。
【発明の概要】
【０００７】
本発明の実施形態は、スモールセルが密に展開されるシナリオにおいて正確なセルの探索及び測定を実現するユーザイクイップメント、基地局及びセル探索方法を提供する。
【０００８】
上述の目的を達成するために、本発明の実施形態では以下の技術的解決策が用いられる。
【０００９】
第１の態様によれば、ユーザイクイップメントが提供される。本ユーザイクイップメントは、
補助情報を受信するように構成される受信ユニットであって、補助情報は第１の隣接セルの第２の参照信号のリソース情報を含み、第１の隣接セルは、ＵＥのサービング基地局の任意の隣接セルである、受信ユニットと、
受信ユニットによって受信された補助情報に従って、第１の隣接セルの第１の参照信号を検出して、ＵＥを第１の隣接セルと同期させるように構成される同期ユニットと、
受信ユニットによって受信された補助情報に従って、第１の隣接セルの第１の参照信号を検出するか、又は、第１の隣接セルの第２の参照信号を検出するか、又は、第１の隣接セルの第１の参照信号及び第２の参照信号を検出して、第１の隣接セルのセルＩＤ又は仮想ＩＤを取得するように構成される取得ユニットと、
を備える。
【００１０】
第１の態様に関して、第１の態様の第１の可能な実施方式では、第１の隣接セルの第２の参照信号は、第１の隣接セルの非ゼロパワーチャネル状態指示参照信号（Non-Zero  Power  Channel  State  Indication  RS，略称NZP-CSI-RS）、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００１１】
第１の態様又は第１の態様の第１の可能な実施方式に関して、第１の態様の第２の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、
のうち少なくとも１つを含む。
【００１２】
第１の態様又は第１の態様の第１の可能な実施方式若しくは第１の態様の第２の可能な実施方式に関して、第１の態様の第３の可能な実施方式では、第１の隣接セルの第１の参照信号は、第１の隣接セルのＰＳＳ、又は、第１の隣接セルの準ＰＳＳであり、
準ＰＳＳを生成するためのルートシーケンス番号は、ＰＳＳを生成するためのルートシーケンス番号と異なる。
【００１３】
第１の態様又は第１の態様の第１の可能な実施方式〜第１の態様の第３の可能な実施方式のうちいずれか１つに関して、第１の態様の第４の可能な実施方式では、
第１の参照信号と第２の参照信号とは、準同配置される。
【００１４】
第１の態様又は第１の態様の第１の可能な実施方式〜第１の態様の第４の可能な実施方式のうちいずれか１つに関して、第１の態様の第５の可能な実施方式では、同期ユニットは、具体的には、
補助情報に従って、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、複数の相関値を取得するように構成され、
既定の閾値よりも大きい第１の相関値が存在する場合、ＵＥは第１の隣接セルと同期され、第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【００１５】
第１の態様又は第１の態様の第１の可能な実施方式〜第１の態様の第５の可能な実施方式のうちいずれか１つに関して、第１の態様の第６の可能な実施方式では、取得ユニットは、具体的には、
第１の隣接セルの第２の参照信号のリソース情報に従って、第１の隣接セルの第１の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第１の参照信号ＩＤに従って、第１の隣接セルの仮想ＩＤを取得し、若しくは、第１の隣接セルの第１の参照信号ＩＤと第１の隣接セルのセルＩＤとの対応関係に従って、第１の隣接セルのセルＩＤを取得するように構成され、
又は、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤに従って、第１の隣接セルの仮想ＩＤを取得し、若しくは、第１の隣接セルの第２の参照信号スクランブリングコードＩＤと第１の隣接セルのセルＩＤとの対応関係に従って、第１の隣接セルのセルＩＤを取得するように構成され、
又は、
第１の隣接セルの第２の参照信号のリソース情報に従って、第１の隣接セルの第１の参照信号及び第２の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤと、第１の隣接セルの第１の参照信号ＩＤと、セルＩＤとの対応関係に従って、第１の隣接セルのセルＩＤを取得するように構成される。
【００１６】
第１の態様の第６の可能な実施方式に関して、第１の態様の第７の可能な実施方式では、第１の隣接セルの第１の参照信号の実際の送信リソース位置で送信された信号を検出して、第１の隣接セルの第１の参照信号ＩＤを取得することは、取得ユニットが、具体的には、
第１の隣接セルの第１の参照信号の実際の送信リソース位置で、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、第１の隣接セルの第１の参照信号ＩＤを取得するように構成される、ことを含む。
【００１７】
第１の態様の第６の可能な実施方式又は第１の態様の第７の可能な実施方式に関して、第１の態様の第８の可能な実施方式では、取得ユニットは、具体的には、
第１の隣接セルの第２の参照信号の実際の送信リソース位置で、第１の隣接セルの第２の参照信号シーケンスを検出及び取得し、
プロトコル指定のＭ個の第２の参照信号スクランブリングコード識別情報（ＩＤ）に従って、Ｍ個のローカルの第２の参照信号シーケンスを生成し、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するように構成される。
【００１８】
第１の態様又は第１の態様の第１の可能な実施方式〜第１の態様の第８の可能な実施方式のうちいずれか１つに関して、第１の態様の第９の可能な実施方式では、ユーザイクイップメントは更に、
第１の隣接セルの第２の参照信号のリソース情報に従って、第１の隣接セルが探索されたか否かを判定するように構成される判定ユニット、
を備える。
【００１９】
第１の態様の第９の可能な実施方式に関して、第１の態様の第１０の可能な実施方式では、判定ユニットは、具体的には、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号を検出及び取得し、
プロトコル指定のＭ個の第２の参照信号スクランブリングコードＩＤに従って、Ｍ個のローカルの第２の参照信号シーケンスを生成し、
検出された第１の隣接セルの第２の参照信号とＭ個のローカルの第２の参照信号シーケンスの各々との相関演算を実行して、Ｍ個の相関値を取得するように構成され、
既定の探索条件よりも大きい第２の相関値が存在する場合、第１の隣接セルが探索され、第２の相関値は、検出された第１の隣接セルの第２の参照信号とＭ個のローカルの第２の参照信号シーケンスの各々との相関演算を実行することによって取得されたＭ個の相関値のうち任意の１つである。
【００２０】
第１の態様又は第１の態様の第１の可能な実施方式〜第１の態様の第１０の可能な実施方式のうちいずれか１つに関して、第１の態様の第１１の可能な実施方式では、補助情報は更に、第１の隣接セルのセルＩＤ及び第１の隣接セルの第１の参照信号ＩＤを含む。
【００２１】
第１の態様の第１１の可能な実施方式に関して、第１の態様の第１２の可能な実施方式では、同期ユニットは、具体的には、
補助情報に従って、第１の隣接セルの第１の参照信号シーケンスを検出及び取得し、
第１の隣接セルの第１の参照信号ＩＤに従って、第１の隣接セルのローカルの第１の参照信号シーケンスを生成し、
第１の隣接セルの検出された第１の参照信号シーケンスと第１の隣接セルのローカルの第１の参照信号シーケンスとの相関演算を実行して、第３の相関値を取得するように構成され、
第３の相関値が既定の閾値よりも大きい場合、ＵＥは第１の隣接セルと同期される。
【００２２】
第１の態様又は第１の態様の第１の可能な実施方式〜第１の態様の第１２の可能な実施方式のうちいずれか１つに関して、第１の態様の第１３の可能な実施方式では、補助情報は更に、第１の隣接セルの第２の参照信号スクランブリングコードＩＤを含む。
【００２３】
第１の態様の第１３の可能な実施方式に関して、第１の態様の第１４の可能な実施方式では、判定ユニットは、具体的には、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
第１の隣接セルの第２の参照信号スクランブリングコードＩＤに従って、第１の隣接セルのローカルの第２の参照信号シーケンスを生成し、
検出された第１の隣接セルの第２の参照信号と第１の隣接セルのローカルの第２の参照信号シーケンスとの相関演算を実行して、第４の相関値を取得するように構成され、
第４の相関値が既定の探索条件よりも大きい場合、第１の隣接セルが探索される。
【００２４】
第１の態様又は第１の態様の第１の可能な実施方式〜第１の態様の第１４の可能な実施方式のうちいずれか１つに関して、第１の態様の第１５の可能な実施方式では、同期ユニットは、具体的には、
第１の隣接セルの第１の参照信号と第１の隣接セルの第２の参照信号とが１つのサブフレームで送信される場合、第１の隣接セルの第２の参照信号のリソース情報において指示されるサブフレームで、第１の隣接セルの第１の参照信号を検出するように構成され、
又は、
第１の隣接セルの第１の参照信号が、第１の隣接セルの第２の参照信号の前又は後のＮ番目のサブフレーム０又はサブフレーム５で送信される場合、第１の隣接セルの第２の参照信号のリソース情報において指示されるサブフレームの前又は後のサブフレーム０又はサブフレーム５で、第１の隣接セルの第１の参照信号を検出するように構成され、Ｎは１以上であり、
又は、
第１の隣接セルの第１の参照信号が、第１の隣接セルの第２の参照信号の前又は後のＰ番目のサブフレームで送信される場合、第１の隣接セルの第２の参照信号のリソース情報において指示されるサブフレームの前又は後のＰ番目のサブフレームで、第１の隣接セルの第１の参照信号を検出するように構成され、補助情報は更に、第１の隣接セルの第１の参照信号と第１の隣接セルの第２の参照信号との間のサブフレームオフセットＰを含み、Ｐは１以上である。
【００２５】
第１の態様又は第１の態様の第１の可能な実施方式〜第１の態様の第１５の可能な実施方式のうちいずれか１つに関して、第１の態様の第１６の可能な実施方式では、本ユーザイクイップメントは更に、
第１の隣接セルの第２の参照信号のリソース情報に従って、第１の隣接セルの第２の参照信号の送信リソース位置で、第１の隣接セルのＲＲＭ測定を実行して、メトリックを取得するように構成される測定ユニットであって、メトリックはＲＳＲＰ、ＲＳＳＩ及びＲＳＲＱの少なくとも１つを含む、測定ユニット、
を備える。
【００２６】
第１の態様の第１６の可能な実施方式に関して、第１の態様の第１７の可能な実施方式では、は更に、第１の隣接セルの測定リソース１のリソース情報を含み、第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報と、のうち少なくとも１つを含む。
【００２７】
第１の態様の第１７の可能な実施方式に関して、第１の態様の第１８の可能な実施方式では、第１の隣接セルの測定リソース１は、第１の隣接セルのゼロパワーチャネル状態指示参照信号（Zero  Power  Channel  State  Indication  RS，略称ZP-CSI-RS）である。
【００２８】
第１の態様の第１７の可能な実施方式又は第１の態様の第１８の可能な実施方式に関して、第１の態様の第１９の可能な実施方式では、測定ユニットは、具体的には、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得し、
第１の隣接セルの測定リソース１のリソース情報に従って、第１の隣接セルの測定リソース１の送信リソース位置で、第１の隣接セルのＲＲＭ測定を実行して、メトリックのＲＳＳＩを取得し、
ＲＳＲＰ及びＲＳＳＩに従ってＲＳＲＱを取得するように構成される。
【００２９】
第２の態様によれば、基地局が提供される。本基地局はＵＥのサービング基地局である。本基地局は、
第１の隣接セルの第１の参照信号の送信パラメータと、第１の隣接セルの第２の参照信号の送信パラメータとを取得するように構成される取得ユニットと、
取得ユニットによって取得された第１の隣接セルの第１の参照信号の送信パラメータと第１の隣接セルの第２の参照信号の送信パラメータとに従って、補助情報を生成するように構成される生成ユニットであって、補助情報は、第１の隣接セルの第２の参照信号のリソース情報を含む、生成ユニットと、
セル内のＵＥがセル探索を実行するように、生成ユニットによって生成された補助情報をＵＥに送信するように構成される送信ユニットと、
を備える。
【００３０】
第２の態様に関して、第２の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００３１】
第２の態様又は第２の態様の第１の可能な実施方式に関して、第２の態様の第２の可能な実施方式では、第１の隣接セルの第１の参照信号は、ＰＳＳ又は第１の隣接セルの準ＰＳＳであり、
準ＰＳＳを生成するためのルートシーケンス番号は、ＰＳＳを生成するためのルートシーケンス番号と異なる。
【００３２】
第２の態様又は第２の態様の第１の可能な実施方式若しくは第２の態様の第２の可能な実施方式に関して、第２の態様の第３の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含む。
【００３３】
第２の態様又は第２の態様の第１の可能な実施方式〜第２の態様の第３の可能な実施方式のうちいずれか１つに関して、第２の態様の第４の可能な実施方式では、補助情報は更に、第１の隣接セルのセルＩＤ及び第１の隣接セルの第１の参照信号ＩＤを含む。
【００３４】
第２の態様又は第２の態様の第１の可能な実施方式〜第２の態様の第４の可能な実施方式のうちいずれか１つに関して、第２の態様の第５の可能な実施方式では、補助情報は更に、第１の隣接セルの第２の参照信号スクランブリングコードＩＤを含む。
【００３５】
第２の態様又は第２の態様の第１の可能な実施方式〜第２の態様の第５の可能な実施方式のうちいずれか１つに関して、第２の態様の第６の可能な実施方式では、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含む。Ｐは１以上である。
【００３６】
第３の態様によれば、基地局が提供される。本基地局は、第１の隣接セルに対応する基地局である。本基地局は、
第１の隣接セルの第１の参照信号及び第２の参照信号を送信するように構成される送信ユニットであって、第１の参照信号は、ＵＥがセルに同期する際に用いられ、第２の参照信号は、ＵＥがセル探索及びＲＲＭ測定を実行する際に用いられる、送信ユニット、
を備える。
【００３７】
第３の態様に関して、第３の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００３８】
第３の態様又は第３の態様の第１の可能な実施方式に関して、第３の態様の第２の可能な実施方式では、第１の隣接セルの第１の参照信号は、第１の隣接セルのＰＳＳ、又は、第１の隣接セルの準ＰＳＳであり、
準ＰＳＳを生成するためのルートシーケンス番号は、ＰＳＳを生成するためのルートシーケンス番号と異なる。
【００３９】
第３の態様又は第３の態様の第１の可能な実施方式若しくは第３の態様の第２の可能な実施方式に関して、第３の態様の第３の可能な実施方式では、本基地局は更にマッピングユニットを備え、マッピングユニットは、
第１の隣接セルの第２の参照信号が１つのアンテナポートを介して伝送されるとき、各リソースブロックにおいて、第１の隣接セルの第２の参照信号を４つのリソースにマッピングするか、又は、
第１の隣接セルの第２の参照信号が１つのアンテナポートを介して伝送されるとき、各リソースブロックにおいて、第１の隣接セルの第２の参照信号を８つのリソースエレメントにマッピングするか、又は、
第１の隣接セルの第２の参照信号が２つのアンテナポートを介して伝送されるとき、各リソースブロックにおいて、第１の隣接セルの第２の参照信号を４つのリソースエレメントにマッピングするか、又は、
第１の隣接セルの第２の参照信号が２つのアンテナポートを介して伝送されるとき、各リソースブロックにおいて、第１の隣接セルの第２の参照信号を８つのリソースエレメントにマッピングするように構成される。
【００４０】
第３の態様の第３の可能な実施方式に関して、第３の態様の第４の可能な実施方式では、
第１の隣接セルの第２の参照信号のシークエンス長は、最大システム帯域幅に含まれるリソースブロックの数のＱ倍であり、Ｑは１より大きい正の整数である。
【００４１】
第３の態様又は第３の態様の第１の可能な実施方式〜第３の態様の第４の可能な実施方式のうちいずれか１つに関して、第３の態様の第５の可能な実施方式では、本基地局は更に、
第１の隣接セルのセルＩＤと第１の隣接セルの構成されたリソースの数とに従って、第１の隣接セルの第２の参照信号の送信リソース位置を判定するように構成される判定ユニット、
を備える。
【００４２】
第３の態様の第５の可能な実施方式に関して、第３の態様の第６の可能な実施方式では、判定ユニットは、具体的には、
第１の隣接セルのＰＳＳ  ＩＤに従って、第１の隣接セルの第２の参照信号の送信リソース位置を計算するように構成される。
【００４３】
第３の態様の第５の可能な実施方式に関して、第３の態様の第７の可能な実施方式では、判定ユニットは、具体的には、
第１の隣接セルのＳＳＳ  ＩＤに従って、第１の隣接セルの第２の参照信号の送信リソース位置を計算するように構成される。
【００４４】
第３の態様の第５の可能な実施方式に関して、第３の態様の第８の可能な実施方式では、第１の隣接セルの構成されるリソースはＳ個のリソースセットであり、各リソースセットはＴ個のリソースを含む。判定ユニットは、具体的には、
第１の隣接セルのＰＳＳ  ＩＤに従って、第２の参照信号の送信リソースセットを決定し、第１の隣接セルのＳＳＳ  ＩＤに従って、第１の隣接セルの第２の参照信号の、送信リソースセットにおける送信リソース位置を決定するように構成される。
【００４５】
第３の態様又は第３の態様の第１の可能な実施方式〜第３の態様の第８の可能な実施方式のうちいずれか１つに関して、第３の態様の第９の可能な実施方式では、送信ユニットは、更に、
第１の隣接セルの第１の参照信号及び第１の隣接セルの第２の参照信号を１つのサブフレームで送信するように構成され、
又は、
第１の隣接セルの第１の参照信号を、第１の隣接セルの第２の参照信号の前又は後のＮ番目のサブフレーム０又はサブフレーム５で送信するように構成され、Ｎは１以上であり、
又は、
第１の隣接セルの第１の参照信号を、第１の隣接セルの第２の参照信号の前又は後のＰ番目のサブフレームで送信するように構成され、Ｐは１以上である。
【００４６】
第３の態様又は第３の態様の第１の可能な実施方式〜第３の態様の第９の可能な実施方式のうちいずれか１つに関して、第３の態様の第１０の可能な実施方式では、送信ユニットは更に、第１の隣接セルの全ての隣接セルのユーザイクイップメント（ＵＥ）がセル探索を実行するように、第１の隣接セルの第１の参照信号の送信パラメータと第１の隣接セルの第２の参照信号の送信パラメータとを、第１の隣接セルの全ての隣接セルに送信するように構成される。
【００４７】
第３の態様又は第３の態様の第１の可能な実施方式〜第３の態様の第１０の可能な実施方式のうちいずれか１つに関して、第３の態様の第１１の可能な実施方式では、第１の隣接セルに対応する基地局がオフ状態であるとき、送信ユニットは更に、既定の周期に従って、第１の隣接セルの第１の参照信号及び第２の参照信号を周期的に送信するように構成される。
【００４８】
第４の態様によれば、セル探索方法が提供される。本方法は、
ＵＥが補助情報を受信するステップであって、補助情報は第１の隣接セルの第２の参照信号のリソース情報を含み、第１の隣接セルはＵＥのサービング基地局の任意の隣接セルであるステップと、
ＵＥが、補助情報に従って第１の隣接セルの第１の参照信号を検出して、ＵＥを第１の隣接セルと同期させるステップと、
ＵＥが、補助情報に従って、第１の隣接セルの第１の参照信号、又は、第１の隣接セルの第２の参照信号、又は、第１の隣接セルの第１の参照信号及び第２の参照信号を検出して、第１の隣接セルのセルＩＤ又は仮想ＩＤを取得するステップと、
を含む。
【００４９】
第４の態様に関して、第４の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００５０】
第４の態様又は第４の態様の第１の可能な実施方式に関して、第４の態様の第２の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含む。
【００５１】
第４の態様又は第４の態様の第１の可能な実施方式若しくは第４の態様の第２の可能な実施方式に関して、第４の態様の第３の可能な実施方式では、第１の隣接セルの第１の参照信号は、第１の隣接セルのＰＳＳ、又は、第１の隣接セルの準ＰＳＳであり、
準ＰＳＳを生成するためのルートシーケンス番号は、ＰＳＳを生成するためのルートシーケンス番号と異なる。
【００５２】
第４の態様又は第４の態様の第１の可能な実施方式〜第４の態様の第３の可能な実施方式のうちいずれか１つに関して、第４の態様の第４の可能な実施方式では、
第１の参照信号と第２の参照信号とは、準同配置される。
【００５３】
第４の態様又は第４の態様の第１の可能な実施方式〜第４の態様の第４の可能な実施方式のうちいずれか１つに関して、第４の態様の第５の可能な実施方式では、ＵＥが、補助情報に従って第１の隣接セルの第１の参照信号を検出して、ＵＥを第１の隣接セルと同期させるステップは、
ＵＥが、補助情報に従って、第１の隣接セルの第１の参照信号シーケンスを検出及び取得するステップと、
第１の隣接セルの検出された第１の参照信号シーケンスとプロトコル指定のローカルの第１の参照信号シーケンスの各々との相関演算を実行して、複数の相関値を取得するステップと、
を含み、
既定の閾値よりも大きい第１の相関値が存在する場合、ＵＥは第１の隣接セルと同期され、第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【００５４】
第４の態様又は第４の態様の第１の可能な実施方式〜第４の態様の第５の可能な実施方式のうちいずれか１つに関して、第４の態様の第６の可能な実施方式では、ＵＥが、補助情報に従って、第１の隣接セルの第１の参照信号、又は、第１の隣接セルの第２の参照信号、又は、第１の隣接セルの第１の参照信号及び第２の参照信号を検出して、第１の隣接セルのセルＩＤ又は仮想ＩＤを取得するステップは、
第１の隣接セルの第２の参照信号のリソース情報に従って、第１の隣接セルの第１の参照信号の実際の送信リソース位置を取得するステップと、
第１の隣接セルの第１の参照信号の実際の送信リソース位置で、第１の隣接セルの第１の参照信号を検出及び取得して、第１の隣接セルの第１の参照信号ＩＤを取得するステップと、
第１の隣接セルの第１の参照信号ＩＤに従って、第１の隣接セルの仮想ＩＤを取得するか、又は、第１の隣接セルの第１の参照信号ＩＤと第１の隣接セルのセルＩＤとの対応関係に従って、第１の隣接セルのセルＩＤを取得するステップと、
を含み、又は、
第１の隣接セルの第２の参照信号のリソース情報に従って、第１の隣接セルの第２の参照信号の実際の送信リソース位置を取得するステップと、
第１の隣接セルの第２の参照信号の実際の送信リソース位置で、第１の隣接セルの第２の参照信号を検出及び取得して、第１の隣接セルの第２の参照信号スクランブリングコードＩＤを取得するステップと、
第１の隣接セルの第２の参照信号スクランブリングコードＩＤに従って、第１の隣接セルの仮想ＩＤを取得するか、若しくは、第１の隣接セルの第２の参照信号スクランブリングコードＩＤと第１の隣接セルのセルＩＤとの対応関係に従って、第１の隣接セルのセルＩＤを取得するステップと、
を含み、又は、
第１の隣接セルの第２の参照信号のリソース情報に従って、第１の隣接セルの第１の参照信号及び第２の参照信号の実際の送信リソース位置を取得するステップと、
第１の隣接セルの第１の参照信号の実際の送信リソース位置で、第１の隣接セルの第１の参照信号を検出及び取得して、第１の隣接セルの第１の参照信号ＩＤを取得するステップと、
第１の隣接セルの第２の参照信号の実際の送信リソース位置で、第１の隣接セルの第２の参照信号を検出及び取得して、第１の隣接セルの第２の参照信号スクランブリングコードＩＤを取得するステップと、
第１の隣接セルの第２の参照信号スクランブリングコードＩＤと、第１の隣接セルの第１の参照信号ＩＤと、セルＩＤとの対応関係に従って、第１の隣接セルのセルＩＤを取得するステップと、
を含む。
【００５５】
第４の態様の第６の可能な実施方式に関して、第４の態様の第７の可能な実施方式では、第１の隣接セルの第１の参照信号の実際の送信リソース位置で、第１の隣接セルの第１の参照信号を検出及び取得して、第１の隣接セルの第１の参照信号ＩＤを取得するステップは、
第１の隣接セルの第１の参照信号の実際の送信リソース位置で、第１の隣接セルの第１の参照信号シーケンスを検出及び取得するステップと、
第１の隣接セルの検出された第１の参照信号シーケンスとプロトコル指定のローカルの第１の参照信号シーケンスの各々との相関演算を実行して、第１の隣接セルの第１の参照信号ＩＤを取得するステップと、
を含む。
【００５６】
第４の態様の第６の可能な実施方式又は第４の態様の第７の可能な実施方式に関して、第４の態様の第８の可能な実施方式では、第１の隣接セルの第２の参照信号の実際の送信リソース位置で、第１の隣接セルの第２の参照信号を検出及び取得して、第１の隣接セルの第２の参照信号スクランブリングコードＩＤを取得するステップは、
第１の隣接セルの第２の参照信号の実際の送信リソース位置で、第１の隣接セルの第２の参照信号シーケンスを検出及び取得するステップと、
プロトコル指定のＭ個の第２の参照信号スクランブリングコード識別情報（ＩＤ）に従って、Ｍ個のローカルの第２の参照信号シーケンスを生成するステップと、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するステップと、
を含む。
【００５７】
第４の態様又は第４の態様の第１の可能な実施方式〜第４の態様の第８の可能な実施方式のうちいずれか１つに関して、第４の態様の第９の可能な実施方式では、本方法は更に、
第１の隣接セルの第２の参照信号のリソース情報に従って、第１の隣接セルが探索されたか否かを判定するステップ、
を含む。
【００５８】
第４の態様の第９の可能な実施方式に関して、第４の態様の第１０の可能な実施方式では、第１の隣接セルの第２の参照信号のリソース情報に従って、第１の隣接セルが探索されたか否かを判定するステップは、
第１の隣接セルの第２の参照信号のリソース情報に従って、第１の隣接セルの第２の参照信号の実際の送信リソース位置を取得するステップと、
第１の隣接セルの第２の参照信号の実際の送信リソース位置で、第１の隣接セルの第２の参照信号を検出及び取得するステップと、
プロトコル指定のＭ個の第２の参照信号スクランブリングコードＩＤに従って、Ｍ個のローカルの第２の参照信号シーケンスを生成するステップと、
検出された第１の隣接セルの第２の参照信号とＭ個のローカルの第２の参照信号シーケンスの各々との相関演算を実行して、Ｍ個の相関値を取得するステップと、
を含み、
既定の探索条件よりも大きい第２の相関値が存在する場合、第１の隣接セルが探索され、第２の相関値は、検出された第１の隣接セルの第２の参照信号とＭ個のローカルの第２の参照信号シーケンスの各々との相関演算を実行することによって取得されたＭ個の相関値のうち任意の１つである。
【００５９】
第４の態様又は第４の態様の第１の可能な実施方式〜第４の態様の第１０の可能な実施方式のうちいずれか１つに関して、第４の態様の第１１の可能な実施方式では、補助情報は更に、第１の隣接セルのセルＩＤ及び第１の隣接セルの第１の参照信号ＩＤを含む。
【００６０】
第４の態様の第１１の可能な実施方式に関して、第４の態様の第１２の可能な実施方式では、ＵＥが、補助情報に従って第１の隣接セルの第１の参照信号を検出して、ＵＥを第１の隣接セルと同期させるステップは、
ＵＥが、補助情報に従って、第１の隣接セルの第１の参照信号シーケンスを検出及び取得するステップと、
第１の隣接セルの第１の参照信号ＩＤに従って、第１の隣接セルのローカルの第１の参照信号シーケンスを生成するステップと、
第１の隣接セルの検出された第１の参照信号シーケンスと第１の隣接セルのローカルの第１の参照信号シーケンスとの相関演算を実行して、第３の相関値を取得するステップと、
を含む。第３の相関値が既定の閾値よりも大きい場合、ＵＥは第１の隣接セルと同期される。
【００６１】
第４の態様又は第４の態様の第１の可能な実施方式〜第４の態様の第１２の可能な実施方式のうちいずれか１つに関して、第４の態様の第１３の可能な実施方式では、補助情報は更に、第１の隣接セルの第２の参照信号スクランブリングコードＩＤを含む。
【００６２】
第４の態様の第１３の可能な実施方式に関して、第４の態様の第１４の可能な実施方式では、第１の隣接セルの第２の参照信号のリソース情報に従って、第１の隣接セルが探索されたか否かを判定するステップは、
第１の隣接セルの第２の参照信号のリソース情報に従って、第１の隣接セルの第２の参照信号の実際の送信リソース位置を取得するステップと、
第１の隣接セルの第２の参照信号の実際の送信リソース位置で、第１の隣接セルの第２の参照信号シーケンスを検出及び取得するステップと、
第１の隣接セルの第２の参照信号スクランブリングコードＩＤに従って、第１の隣接セルのローカルの第２の参照信号シーケンスを生成するステップと、
検出された第１の隣接セルの第２の参照信号と第１の隣接セルのローカルの第２の参照信号シーケンスとの相関演算を実行して、第４の相関値を取得するステップと、
を含む。第４の相関値が既定の探索条件よりも大きい場合、第１の隣接セルが探索される。
【００６３】
第４の態様又は第４の態様の第１の可能な実施方式〜第４の態様の第１４の可能な実施方式のうちいずれか１つに関して、第４の態様の第１５の可能な実施方式では、ＵＥが補助情報に従って第１の隣接セルの第１の参照信号を検出するステップは、
第１の隣接セルの第１の参照信号と第１の隣接セルの第２の参照信号とが１つのサブフレームで送信される場合、ＵＥが、第１の隣接セルの第２の参照信号のリソース情報において指示されるサブフレームで、第１の隣接セルの第１の参照信号を検出するステップ、
又は、
第１の隣接セルの第１の参照信号が、第１の隣接セルの第２の参照信号の前又は後のＮ番目のサブフレーム０又はサブフレーム５で送信される場合、ＵＥが、第１の隣接セルの第２の参照信号のリソース情報において指示されるサブフレームの前又は後のサブフレーム０又はサブフレーム５で、第１の隣接セルの第１の参照信号を検出するステップであって、Ｎは１以上である、ステップ、
又は、
第１の隣接セルの第１の参照信号が、第１の隣接セルの第２の参照信号の前又は後のＰ番目のサブフレームで送信される場合、ＵＥが、第１の隣接セルの第２の参照信号のリソース情報において指示されるサブフレームの前又は後のＰ番目のサブフレームで、第１の隣接セルの第１の参照信号を検出するステップであって、補助情報は更に、第１の隣接セルの第１の参照信号と第１の隣接セルの第２の参照信号との間のサブフレームオフセットＰを含み、Ｐは１以上である、ステップ、
を含む。
【００６４】
第４の態様又は第４の態様の第１の可能な実施方式〜第４の態様の第１５の可能な実施方式のうちいずれか１つに関して、第４の態様の第１６の可能な実施方式では、本方法は更に、
第１の隣接セルの第２の参照信号のリソース情報に従って、第１の隣接セルの第２の参照信号の送信リソース位置で、第１の隣接セルの無線リソース管理（ＲＲＭ）測定を実行して、メトリックを取得するステップであって、メトリックは、参照信号受信電力（ＲＳＲＰ）、受信信号強度インジケータ（ＲＳＳＩ）及び参照信号受信品質（ＲＳＲＱ）のうち少なくとも１つを含む、ステップ、
を含む。
【００６５】
第４の態様の第１６の可能な実施方式に関して、第４の態様の第１７の可能な実施方式では、補助情報は更に、第１の隣接セルの測定リソース１のリソース情報を含む。第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報と、のうち少なくとも１つを含む。
【００６６】
第４の態様の第１７の可能な実施方式に関して、第４の態様の第１８の可能な実施方式では、第１の隣接セルの測定リソース１は、第１の隣接セルのゼロパワーチャネル状態指示参照信号（ZP-CSI-RS）である。
【００６７】
第４の態様の第１７の可能な実施方式又は第４の態様の第１８の可能な実施方式に関して、第４の態様の第１９の可能な実施方式では、第１の隣接セルの第２の参照信号のリソース情報に従って、第１の隣接セルの第２の参照信号の送信リソース位置で、第１の隣接セルのＲＲＭ測定を実行して、メトリックを取得するステップは、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得するステップと、
第１の隣接セルの測定リソース１のリソース情報に従って、第１の隣接セルの測定リソース１の送信リソース位置で、第１の隣接セルのＲＲＭ測定を実行して、メトリックのＲＳＳＩを取得するステップと、
ＲＳＲＰ及びＲＳＳＩに従って、ＲＳＲＱを取得するステップと、
を含む。
【００６８】
第５の態様によれば、セル探索方法が提供される。本方法は、
第１の隣接セルの第１の参照信号の送信パラメータと、第１の隣接セルの第２の参照信号の送信パラメータとを取得するステップと、
第１の隣接セルの第１の参照信号の送信パラメータと、第１の隣接セルの第２の参照信号の送信パラメータとに従って、補助情報を生成するステップであって、補助情報は、第１の隣接セルの第２の参照信号のリソース情報を含む、ステップと、
セル内のＵＥがセル探索を実行するように、補助情報をＵＥに送信するステップと、
を含む。
【００６９】
第５の態様に関して、第５の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００７０】
第５の態様又は第５の態様の第１の可能な実施方式に関して、第５の態様の第２の可能な実施方式では、第１の隣接セルの第１の参照信号は、ＰＳＳ又は第１の隣接セルの準ＰＳＳであり、
準ＰＳＳを生成するためのルートシーケンス番号は、ＰＳＳを生成するためのルートシーケンス番号と異なる。
【００７１】
第５の態様又は第５の態様の第１の可能な実施方式若しくは第５の態様の第２の可能な実施方式に関して、第５の態様の第３の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルのサブフレーム情報と、のうち少なくとも１つを含む。
【００７２】
第５の態様又は第５の態様の第１の可能な実施方式〜第５の態様の第３の可能な実施方式のうちいずれか１つに関して、第５の態様の第４の可能な実施方式では、補助情報は更に、第１の隣接セルのセルＩＤ及び第１の隣接セルの第１の参照信号ＩＤを含む。
【００７３】
第５の態様又は第５の態様の第１の可能な実施方式〜第５の態様の第４の可能な実施方式のうちいずれか１つに関して、第５の態様の第５の可能な実施方式では、補助情報は更に、第１の隣接セルの第２の参照信号スクランブリングコードＩＤを含む。
【００７４】
第５の態様又は第５の態様の第１の可能な実施方式〜第５の態様の第５の可能な実施方式のうちいずれか１つに関して、第５の態様の第６の可能な実施方式では、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含み、Ｐは１以上である。
【００７５】
第６の態様によれば、セル探索方法が提供される。本方法は、
第１の隣接セルの第１の参照信号及び第２の参照信号を送信するステップであって、第１の参照信号は、ＵＥがセルに同期する際に用いられ、第２の参照信号は、ＵＥがセル探索及びＲＲＭ測定を実行する際に用いられる、ステップ、
を含む。
第６の態様に関して、第６の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００７６】
第６の態様又は第６の態様の第１の可能な実施方式に関して、第６の態様の第２の可能な実施方式では、第１の隣接セルの第１の参照信号は、第１の隣接セルのＰＳＳ、又は、第１の隣接セルの準ＰＳＳであり、
準ＰＳＳを生成するためのルートシーケンス番号は、ＰＳＳを生成するためのルートシーケンス番号と異なる。
【００７７】
第６の態様又は第６の態様の第１の可能な実施方式若しくは第６の態様の第２の可能な実施方式に関して、第６の態様の第３の可能な実施方式では、本方法は更に、
第１の隣接セルの第２の参照信号が１つのアンテナポートを介して伝送されるとき、各リソースブロックにおいて、第１の隣接セルの第２の参照信号を４つのリソースにマッピングするステップ、又は、
第１の隣接セルの第２の参照信号が１つのアンテナポートを介して伝送されるとき、各リソースブロックにおいて、第１の隣接セルの第２の参照信号を８つのリソースエレメントにマッピングするステップ、又は、
第１の隣接セルの第２の参照信号が２つのアンテナポートを介して伝送されるとき、各リソースブロックにおいて、第１の隣接セルの第２の参照信号を４つのリソースエレメントにマッピングするステップ、又は、
第１の隣接セルの第２の参照信号が２つのアンテナポートを介して伝送されるとき、各リソースブロックにおいて、第１の隣接セルの第２の参照信号を８つのリソースエレメントにマッピングするステップ、
を含む。
【００７８】
第６の態様の第３の可能な実施方式に関して、第６の態様の第４の可能な実施方式では、
第１の隣接セルの第２の参照信号のシークエンス長は、最大システム帯域幅に含まれるリソースブロックの数のＱ倍であり、Ｑは１より大きい正の整数である。
【００７９】
第６の態様又は第６の態様の第１の可能な実施方式〜第６の態様の第４の可能な実施方式のうちいずれか１つに関して、第６の態様の第５の可能な実施方式では、第１の隣接セルの第１の参照信号及び第２の参照信号を送信するステップの前に、本方法は更に、
第１の隣接セルのセルＩＤと第１の隣接セルの構成されたリソースの数とに従って、第１の隣接セルの第２の参照信号の送信リソース位置を決定するステップ、
を含む。
【００８０】
第６の態様の第５の可能な実施方式に関して、第６の態様の第６の可能な実施方式では、第１の隣接セルのセルＩＤと第１の隣接セルの構成されたリソースの数とに従って、第１の隣接セルの第２の参照信号の送信リソース位置を決定するステップは、
第１の隣接セルのＰＳＳ  ＩＤに従って、第１の隣接セルの第２の参照信号の送信リソース位置を計算するステップ、
を含む。
【００８１】
第６の態様の第５の可能な実施方式に関して、第６の態様の第７の可能な実施方式では、第１の隣接セルのセルＩＤと第１の隣接セルの構成されたリソースの数とに従って、第１の隣接セルの第２の参照信号の送信リソース位置を決定するステップは、
第１の隣接セルのＳＳＳ  ＩＤに従って、第１の隣接セルの第２の参照信号の送信リソース位置を計算するステップ、
を含む。
【００８２】
第６の態様の第５の可能な実施方式に関して、第６の態様の第８の可能な実施方式では、第１の隣接セルの構成されるリソースはＳ個のリソースセットであり、各リソースセットはＴ個のリソースを含む。第１の隣接セルのセルＩＤと第１の隣接セルの構成されたリソースの数とに従って、第１の隣接セルの第２の参照信号の送信リソース位置を決定するステップは、
第１の隣接セルのＰＳＳ  ＩＤに従って、第２の参照信号の送信リソースセットを決定し、第１の隣接セルのＳＳＳ  ＩＤに従って、第１の隣接セルの第２の参照信号の、送信リソースセットにおける送信リソース位置を決定するステップ、
を含む。
【００８３】
第６の態様又は第６の態様の第１の可能な実施方式〜第６の態様の第８の可能な実施方式のうちいずれか１つに関して、第６の態様の第９の可能な実施方式では、本方法は更に、
第１の隣接セルの第１の参照信号と第１の隣接セルの第２の参照信号とを１つのサブフレームで送信するステップ、
又は、
第１の隣接セルの第１の参照信号を、第１の隣接セルの第２の参照信号の前又は後のＮ番目のサブフレーム０又はサブフレーム５で送信するステップであって、Ｎは１以上である、ステップ、
又は、
第１の隣接セルの第１の参照信号を、第１の隣接セルの第２の参照信号の前又は後のＰ番目のサブフレームで送信するステップであって、Ｐは１以上である、ステップ、
を含む。
【００８４】
第６の態様又は第６の態様の第１の可能な実施方式〜第６の態様の第９の可能な実施方式のうちいずれか１つに関して、第６の態様の第１０の可能な実施方式では、本方法は更に、
第１の隣接セルの全ての隣接セルのユーザイクイップメント（ＵＥ）がセル探索を実行するように、第１の隣接セルの第１の参照信号の送信パラメータと、第１の隣接セルの第２の参照信号の送信パラメータとを、第１の隣接セルの全ての隣接セルに送信するステップ、
を含む。
【００８５】
第６の態様又は第６の態様の第１の可能な実施方式〜第６の態様の第１０の可能な実施方式のうちいずれか１つに関して、第６の態様の第１１の可能な実施方式では、第１の隣接セルに対応する基地局がオフ状態であるとき、本方法は更に、既定の周期に従って、第１の隣接セルの第１の参照信号及び第２の参照信号を周期的に送信するステップ、を含む。
【００８６】
第７の態様によれば、ユーザイクイップメントが提供される。本ユーザイクイップメントは、
補助情報を受信するように構成される受信器であって、補助情報は第１の隣接セルの第２の参照信号のリソース情報を含み、第１の隣接セルはＵＥのサービング基地局の任意の隣接セルである、受信器と、
第１の隣接セルの第１の参照信号を検出して、ＵＥを第１の隣接セルと同期させるように構成されるプロセッサと
を備え、
プロセッサは更に、補助情報に従って、第１の隣接セルの第１の参照信号を検出するか、又は、第１の隣接セルの第２の参照信号を検出するか、又は、第１の隣接セルの第１の参照信号及び第２の参照信号を検出して、第１の隣接セルのセルＩＤ又は仮想ＩＤを取得するように構成される。
【００８７】
第７の態様に関して、第７の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【００８８】
第７の態様又は第７の態様の第１の可能な実施方式に関して、第７の態様の第２の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含む。
【００８９】
第７の態様又は第７の態様の第１の可能な実施方式若しくは第７の態様の第２の可能な実施方式に関して、第７の態様の第３の可能な実施方式では、第１の隣接セルの第１の参照信号は、第１の隣接セルのＰＳＳ、又は、第１の隣接セルの準ＰＳＳであり、
準ＰＳＳを生成するためのルートシーケンス番号は、ＰＳＳを生成するためのルートシーケンス番号と異なる。
【００９０】
第７の態様又は第７の態様の第１の可能な実施方式〜第７の態様の第３の可能な実施方式のうちいずれか１つに関して、第７の態様の第４の可能な実施方式では、
第１の参照信号と第２の参照信号とは、準同配置される。
【００９１】
第７の態様又は第７の態様の第１の可能な実施方式〜第７の態様の第４の可能な実施方式のうちいずれか１つに関して、第７の態様の第５の可能な実施方式では、プロセッサは、具体的には、
補助情報に従って、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、複数の相関値を取得するように構成され、
既定の閾値よりも大きい第１の相関値が存在する場合、ＵＥは第１の隣接セルと同期され、第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【００９２】
第７の態様又は第７の態様の第１の可能な実施方式〜第７の態様の第５の可能な実施方式のうちいずれか１つに関して、第７の態様の第６の可能な実施方式では、プロセッサは、具体的には、
第１の隣接セルの第２の参照信号のリソース情報に従って、第１の隣接セルの第１の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第１の参照信号ＩＤに従って、第１の隣接セルの仮想ＩＤを取得するか、若しくは、第１の隣接セルの第１の参照信号ＩＤと第１の隣接セルのセルＩＤとの対応関係に従って、第１の隣接セルのセルＩＤを取得するように構成され、
又は、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤに従って、第１の隣接セルの仮想ＩＤを取得するか、若しくは、第１の隣接セルの第２の参照信号スクランブリングコードＩＤと第１の隣接セルのセルＩＤとの対応関係に従って、第１の隣接セルのセルＩＤを取得するように構成され、
又は、
第１の隣接セルの第２の参照信号のリソース情報に従って、第１の隣接セルの第１の参照信号及び第２の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤと、第１の隣接セルの第１の参照信号ＩＤと、セルＩＤとの対応関係に従って、第１の隣接セルのセルＩＤを取得するように構成される。
【００９３】
第７の態様の第６の可能な実施方式に関して、第７の態様の第７の可能な実施方式では、プロセッサは、具体的には、
第１の隣接セルの第１の参照信号の実際の送信リソース位置で、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、第１の隣接セルの第１の参照信号ＩＤを取得するように構成される。
【００９４】
第７の態様の第６の可能な実施方式又は第７の態様の第７の可能な実施方式に関して、第７の態様の第８の可能な実施方式では、プロセッサは、具体的には、
第１の隣接セルの第２の参照信号の実際の送信リソース位置で、第１の隣接セルの第２の参照信号シーケンスを検出及び取得し、
プロトコル指定のＭ個の第２の参照信号スクランブリングコードＩＤに従って、Ｍ個のローカルの第２の参照信号シーケンスを生成し、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するように構成される。
【００９５】
第７の態様又は第７の態様の第１の可能な実施方式〜第７の態様の第８の可能な実施方式のうちいずれか１つに関して、第７の態様の第９の可能な実施方式では、プロセッサは更に、
第１の隣接セルの第２の参照信号のリソース情報に従って、第１の隣接セルが探索されたか否かを判定するように構成される。
【００９６】
第７の態様の第９の可能な実施方式に関して、第７の態様の第１０の可能な実施方式では、プロセッサは、具体的には、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号を検出及び取得し、
プロトコル指定のＭ個の第２の参照信号スクランブリングコードＩＤに従って、Ｍ個のローカルの第２の参照信号シーケンスを生成し、
検出された第１の隣接セルの第２の参照信号とＭ個のローカルの第２の参照信号シーケンスの各々との相関演算を実行して、Ｍ個の相関値を取得するように構成され、
既定の探索条件よりも大きい第２の相関値が存在する場合、第１の隣接セルが探索される、第２の相関値は、検出された第１の隣接セルの第２の参照信号とＭ個のローカルの第２の参照信号シーケンスの各々との相関演算を実行することによって取得されたＭ個の相関値のうち任意の１つである。
【００９７】
第７の態様又は第７の態様の第１の可能な実施方式〜第７の態様の第１０の可能な実施方式のうちいずれか１つに関して、第７の態様の第１１の可能な実施方式では、補助情報は更に、第１の隣接セルのセルＩＤ及び第１の隣接セルの第１の参照信号ＩＤを含む。
【００９８】
第７の態様の第１１の可能な実施方式に関して、第７の態様の第１２の可能な実施方式では、プロセッサは、具体的には、
補助情報に従って、第１の隣接セルの第１の参照信号シーケンスを検出及び取得し、
第１の隣接セルの第１の参照信号ＩＤに従って、第１の隣接セルのローカルの第１の参照信号シーケンスを生成し、
第１の隣接セルの検出された第１の参照信号シーケンスと第１の隣接セルのローカルの第１の参照信号シーケンスとの相関演算を実行して、第３の相関値を取得するように構成され、
第３の相関値が既定の閾値よりも大きい場合、ＵＥは第１の隣接セルと同期される。
【００９９】
第７の態様又は第７の態様の第１の可能な実施方式〜第７の態様の第１２の可能な実施方式のうちいずれか１つに関して、第７の態様の第１３の可能な実施方式では、補助情報は更に、第１の隣接セルの第２の参照信号スクランブリングコードＩＤを含む。
【０１００】
第７の態様の第１３の可能な実施方式に関して、第７の態様の第１４の可能な実施方式では、プロセッサは、具体的には、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
第１の隣接セルの第２の参照信号スクランブリングコードＩＤに従って、第１の隣接セルのローカルの第２の参照信号シーケンスを生成し、
検出された第１の隣接セルの第２の参照信号と第１の隣接セルのローカルの第２の参照信号シーケンスとの相関演算を実行して、第４の相関値を取得するように構成され、
第４の相関値が既定の探索条件よりも大きい場合、第１の隣接セルが探索される。
【０１０１】
第７の態様又は第７の態様の第１の可能な実施方式〜第７の態様の第１４の可能な実施方式のうちいずれか１つに関して、第７の態様の第１５の可能な実施方式では、プロセッサは、具体的には、
第１の隣接セルの第１の参照信号と第１の隣接セルの第２の参照信号とが１つのサブフレームで送信される場合、第１の隣接セルの第２の参照信号のリソース情報において指示されるサブフレームで、第１の隣接セルの第１の参照信号を検出するように構成され、
又は、
第１の隣接セルの第１の参照信号が、第１の隣接セルの第２の参照信号の前又は後のＮ番目のサブフレーム０又はサブフレーム５で送信される場合、第１の隣接セルの第２の参照信号のリソース情報において指示されるサブフレームの前又は後のサブフレーム０又はサブフレーム５で、第１の隣接セルの第１の参照信号を検出するように構成され、Ｎは１以上であり、
又は、
第１の隣接セルの第１の参照信号が、第１の隣接セルの第２の参照信号の前又は後のＰ番目のサブフレームで送信される場合、第１の隣接セルの第２の参照信号のリソース情報において指示されるサブフレームの前又は後のＰ番目のサブフレームで、第１の隣接セルの第１の参照信号を検出するように構成され、補助情報は更に、第１の隣接セルの第１の参照信号と第１の隣接セルの第２の参照信号との間のサブフレームオフセットＰを含み、Ｐは１以上である。
【０１０２】
第７の態様又は第７の態様の第１の可能な実施方式〜第７の態様の第１５の可能な実施方式のうちいずれか１つに関して、第７の態様の第１６の可能な実施方式では、プロセッサは更に、
第１の隣接セルの第２の参照信号のリソース情報に従って、第１の隣接セルの第２の参照信号の送信リソース位置で、第１の隣接セルのＲＲＭ測定を実行して、メトリックを取得するように構成される。メトリックはＲＳＲＰ、ＲＳＳＩ及びＲＳＲＱの少なくとも１つを含む。
【０１０３】
第７の態様の第１６の可能な実施方式に関して、第７の態様の第１６の可能な実施方式では、補助情報は更に、第１の隣接セルの測定リソース１のリソース情報を含む。第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報と、のうち少なくとも１つを含む。
【０１０４】
第７の態様の第１７の可能な実施方式に関して、第７の態様の第１７の可能な実施方式では、第１の隣接セルの測定リソース１は、第１の隣接セルのZP-CSI-RSである。
【０１０５】
第７の態様の第１７の可能な実施方式又は第７の態様の第１８の可能な実施方式に関して、第７の態様の第１９の可能な実施方式では、プロセッサは、具体的には、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得し、
第１の隣接セルの測定リソース１のリソース情報に従って、第１の隣接セルの測定リソース１の送信リソース位置で、第１の隣接セルのＲＲＭ測定を実行して、メトリックのＲＳＳＩを取得し、
ＲＳＲＰ及びＲＳＳＩに従ってＲＳＲＱを取得するように構成される。
【０１０６】
第８の態様によれば、基地局が提供される。本基地局はＵＥのサービング基地局である。本基地局は、
第１の隣接セルの第１の参照信号の送信パラメータと、第１の隣接セルの第２の参照信号の送信パラメータとを取得するように構成されるプロセッサであって、プロセッサは更に、取得された第１の隣接セルの第１の参照信号の送信パラメータと、第１の隣接セルの第２の参照信号の送信パラメータとに従って、補助情報を生成するように構成され、補助情報は、第１の隣接セルの第２の参照信号のリソース情報を含む、プロセッサと、
セル内のユーザイクイップメント（ＵＥ）がセル探索を実行するように、生成された補助情報ＵＥに送信するように構成される送信器と、
を備える。
【０１０７】
第８の態様に関して、第８の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【０１０８】
第８の態様又は第８の態様の第１の可能な実施方式に関して、第８の態様の第２の可能な実施方式では、第１の隣接セルの第１の参照信号は、ＰＳＳ又は第１の隣接セルの準ＰＳＳであり、
準ＰＳＳを生成するためのルートシーケンス番号は、ＰＳＳを生成するためのルートシーケンス番号と異なる。
【０１０９】
第８の態様又は第８の態様の第１の可能な実施方式若しくは第８の態様の第２の可能な実施方式に関して、第８の態様の第３の可能な実施方式では、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含む。
【０１１０】
第８の態様又は第８の態様の第１の可能な実施方式〜第８の態様の第３の可能な実施方式のうちいずれか１つに関して、第８の態様の第４の可能な実施方式では、補助情報は更に、第１の隣接セルのセルＩＤ及び第１の隣接セルの第１の参照信号ＩＤを含む。
【０１１１】
第８の態様又は第８の態様の第１の可能な実施方式〜第２の態様の第４の可能な実施方式のうちいずれか１つに関して、第８の態様の第５の可能な実施方式では、補助情報は更に、第１の隣接セルの第２の参照信号スクランブリングコードＩＤを含む。
【０１１２】
第８の態様又は第８の態様の第１の可能な実施方式〜第８の態様の第５の可能な実施方式のうちいずれか１つに関して、第８の態様の第６の可能な実施方式では、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含む。Ｐは１以上である。
【０１１３】
第９の態様によれば、基地局が提供される。本基地局は、第１の隣接セルに対応する基地局である。本基地局は、
第１の隣接セルの第１の参照信号及び第２の参照信号を送信するように構成される送信器であって、第１の参照信号は、ＵＥがセルに同期する際に用いられ、第２の参照信号は、ＵＥがセル探索及びＲＲＭ測定を実行する際に用いられる、送信器、
を備える。
【０１１４】
第９の態様に関して、第９の態様の第１の可能な実施方式では、第１の隣接セルの第２の参照信号は、第１の隣接セルのNZP-CSI-RS、又は、第１の隣接セルの準NZP-CSI-RSであり、
準NZP-CSI-RSを生成するためのスクランブリングコードＩＤは、NZP-CSI-RSを生成するためのスクランブリングコードＩＤと異なる。
【０１１５】
第９の態様又は第９の態様の第１の可能な実施方式に関して、第９の態様の第２の可能な実施方式では、第１の隣接セルの第１の参照信号は、ＰＳＳ又は第１の隣接セルの準ＰＳＳであり、
準ＰＳＳを生成するためのルートシーケンス番号は、ＰＳＳを生成するためのルートシーケンス番号と異なる。
【０１１６】
第９の態様又は第９の態様の第１の可能な実施方式若しくは第９の態様の第２の可能な実施方式に関して、第９の態様の第３の可能な実施方式では、本基地局は更にプロセッサを備える。プロセッサは、
第１の隣接セルの第２の参照信号が１つのアンテナポートを介して伝送されるとき、各リソースブロックにおいて、第１の隣接セルの第２の参照信号を４つのリソースにマッピングし、又は、
第１の隣接セルの第２の参照信号が１つのアンテナポートを介して伝送されるとき、各リソースブロックにおいて、第１の隣接セルの第２の参照信号を８つのリソースエレメントにマッピングし、又は、
第１の隣接セルの第２の参照信号が２つのアンテナポートを介して伝送されるとき、各リソースブロックにおいて、第１の隣接セルの第２の参照信号を４つのリソースエレメントにマッピングし、又は、
第１の隣接セルの第２の参照信号が２つのアンテナポートを介して伝送されるとき、各リソースブロックにおいて、第１の隣接セルの第２の参照信号を８つのリソースエレメントにマッピングするように構成される。
【０１１７】
第９の態様の第３の可能な実施方式に関して、第９の態様の第４の可能な実施方式では、
第１の隣接セルの第２の参照信号のシークエンス長は、最大システム帯域幅に含まれるリソースブロックの数のＱ倍である。Ｑは１より大きい正の整数である。
【０１１８】
第９の態様又は第９の態様の第１の可能な実施方式〜第９の態様の第４の可能な実施方式のうちいずれか１つに関して、第９の態様の第５の可能な実施方式では、プロセッサは更に、
第１の隣接セルのセルＩＤと第１の隣接セルの構成されたリソースの数とに従って、第１の隣接セルの第２の参照信号の送信リソース位置を判定するように構成される。
【０１１９】
第９の態様の第５の可能な実施方式に関して、第９の態様の第６の可能な実施方式では、プロセッサは、具体的には、
第１の隣接セルのＰＳＳ  ＩＤに従って、第１の隣接セルの第２の参照信号の送信リソース位置を計算するように構成される。
【０１２０】
第９の態様の第５の可能な実施方式に関して、第９の態様の第７の可能な実施方式では、プロセッサは、具体的には、
第１の隣接セルのＳＳＳ  ＩＤに従って、第１の隣接セルの第２の参照信号の送信リソース位置を計算するように構成される。
【０１２１】
第９の態様の第５の可能な実施方式に関して、第９の態様の第８の可能な実施方式では、第１の隣接セルの構成されるリソースはＳ個のリソースセットであり、各リソースセットはＴ個のリソースを含む。プロセッサは、具体的には、
第１の隣接セルのＰＳＳ  ＩＤに従って、第１の隣接セルの第２の参照信号の送信リソースセットを決定し、第１の隣接セルのＳＳＳ  ＩＤに従って、第１の隣接セルの第２の参照信号の、送信リソースセットにおける送信リソース位置を決定するように構成される。
【０１２２】
第９の態様又は第９の態様の第１の可能な実施方式〜第９の態様の第８の可能な実施方式のうちいずれか１つに関して、第９の態様の第９の可能な実施方式では、送信器は更に、
第１の隣接セルの第１の参照信号及び第１の隣接セルの第２の参照信号を１つのサブフレームで送信するように構成され、
又は、
第１の隣接セルの第１の参照信号を、第１の隣接セルの第２の参照信号の前又は後のＮ番目のサブフレーム０又はサブフレーム５で送信するように構成され、Ｎは１以上であり、
又は、
第１の隣接セルの第１の参照信号を、第１の隣接セルの第２の参照信号の前又は後のＰ番目のサブフレームで送信するように構成され、Ｐは１以上である。
【０１２３】
第９の態様又は第９の態様の第１の可能な実施方式〜第９の態様の第９の可能な実施方式のうちいずれか１つに関して、第９の態様の第１０の可能な実施方式では、送信器は更に、第１の隣接セルの全ての隣接セルのＵＥがセル探索を実行するように、第１の隣接セルの第１の参照信号の送信パラメータと第１の隣接セルの第２の参照信号の送信パラメータとを、第１の隣接セルの全ての隣接セルに送信するように構成される。
【０１２４】
第９の態様又は第９の態様の第１の可能な実施方式〜第９の態様の第１０の可能な実施方式のうちいずれか１つに関して、第９の態様の第１１の可能な実施方式では、第１の隣接セルに対応する基地局がオフ状態であるとき、送信器は更に、既定の周期に従って、第１の隣接セルの第１の参照信号及び第２の参照信号を周期的に送信するように構成される。
【０１２５】
本発明の実施形態は、ユーザイクイップメント、基地局及びセル探索方法を提供する。ＵＥが補助情報を受信する。補助情報は第１の隣接セルの第２の参照信号のリソース情報を含み、第１の隣接セルはＵＥのサービング基地局の任意の隣接セルである。ＵＥが、補助情報に従って第１の隣接セルの第１の参照信号を検出して、ＵＥを第１の隣接セルと同期させる。ＵＥが、補助情報に従って、第１の隣接セルの第１の参照信号、又は第１の隣接セルの第２の参照信号、又は第１の隣接セルの第１の参照信号及び第２の参照信号を検出して、第１の隣接セルのセル識別情報（ＩＤ）又は仮想ＩＤを取得する。スモールセルが密に配置されたシナリオにおいて正確なセル探索が実現され、スモールセルが密に配置されたシナリオでのセル探索について干渉が強いという従来技術の欠点が解決される。
【図面の簡単な説明】
【０１２６】
本発明の実施形態又は従来技術における技術的解決策をより明確に説明するために、実施形態又は従来技術の説明に必要な添付図面を簡単に説明する。当然ながら、添付図面は以下の説明において、本発明の一部の実施形態を示すに過ぎない。当業者であれば、これらの添付図面から創意工夫なく他の図面を更に導出できるであろう。
【図１】本発明の実施形態に係るユーザイクイップメントの概略構造図である。
【図２】本発明の実施形態に係る別のユーザイクイップメントの概略構造図である。
【図３】本発明の実施形態に係る基地局の概略構造図である。
【図４】本発明の実施形態に係る別の基地局の概略構造図である。
【図５Ａ】本発明の実施形態に係る更に別の基地局の概略構造図である。
【図５Ｂ】本発明の実施形態に係るリソースマッピングの概略図である。
【図５Ｃ】本発明の実施形態に係る別のリソースマッピングの概略図である。
【図５Ｄ】本発明の実施形態に係る更に別のリソースマッピングの概略図である。
【図５Ｅ】本発明の実施形態に係る更に別のリソースマッピングの概略図である。
【図６】本発明の実施形態に係るセル探索方法の概略フローチャートである。
【図７】本発明の実施形態に係るセル探索方法の概略フローチャートである。
【図８】本発明の実施形態に係る別のセル探索方法の概略フローチャートである。
【図９】本発明の実施形態に係る更に別のセル探索方法の概略フローチャートである。
【図１０Ａ】本発明の実施形態に係る更に別のセル探索方法の概略フローチャートである。
【図１０Ｂ】本発明の実施形態に係る、第１の参照信号と第２の参照信号との送信リソース位置関係の概略図である。
【図１０Ｃ】本発明の実施形態に係る、第１の参照信号と第２の参照信号との別の送信リソース位置関係の概略図である。
【図１０Ｄ】本発明の実施形態に係る、第１の参照信号と第２の参照信号との更に別の送信リソース位置関係の概略図である。
【図１１】本発明の実施形態に係るユーザイクイップメントの概略構造図である。
【図１２】本発明の実施形態に係る基地局の概略構造図である。
【図１３】本発明の実施形態に係る別の基地局の概略構造図である。
【発明を実施するための形態】
【０１２７】
以下、本発明の実施形態において添付図面を参照しながら、本発明の実施形態の技術的解決策を明確且つ完全に説明する。当然ながら、記載される実施形態は本発明の実施形態の一部に過ぎず、全部ではない。当業者が本発明の実施形態に基づいて創意工夫なく得た他の実施形態は、全て本発明の保護範囲に包含されるものとする。
【０１２８】
実施形態１
本発明の実施形態１は、ユーザイクイップメント１０を提供する。図１を参照して、ユーザイクイップメント１０は、以下の要素を備えてよい。
受信ユニット１０１は、補助情報を受信するように構成される。補助情報は、第１の隣接セルの第２の参照信号のリソース情報を含んでよく、第１の隣接セルは、ＵＥのサービング基地局の任意の隣接セルである。
同期ユニット１０２は、受信ユニット１０１によって受信された補助情報に従って、第１の隣接セルの第１の参照信号を検出して、ＵＥを第１の隣接セルと同期させるように構成される。
取得ユニット１０３は、受信ユニット１０１によって受信された補助情報に従って、第１の隣接セルの第１の参照信号を検出するか、又は、第１の隣接セルの第２の参照信号を検出するか、又は、第１の隣接セルの第１の参照信号及び第２の参照信号を検出して、第１の隣接セルのセル識別情報（ＩＤ）又は仮想ＩＤを取得するように構成される。
【０１２９】
第１の隣接セルの仮想ＩＤは、第１の隣接セルのＩＤと既定の対応関係を有するＩＤである。具体的な既定の対応関係は実際の要件に従って決定されてよく、本発明では限定されない。
【０１３０】
任意に、第１の隣接セルの第２の参照信号は、第１の隣接セルのNZP-CSI-RS、又は、第１の隣接セルの準NZP-CSI-RSであってよい。第１の隣接セルの第２の参照信号の具体的な形式は、本発明では具体的に限定されない。
【０１３１】
第２の参照信号は、第２の参照信号スクランブリングコードＩＤに基づいて、対応する数式に従って生成される。準NZP-CSI-RSとNZP-CSI-RSはタイプが類似するが、準NZP-CSI-RSの生成時、準NZP-CSI-RSを生成するためのスクランブリングコードＩＤは、NZP-CSI-RSを生成するためのスクランブリングコードＩＤと異なる。
【０１３２】
以下、準NZP-CSI-RS及びNZP-CSI-RSを詳細に説明する。
【０１３３】
具体的には、NZP-CSI-RSシーケンスは、以下の数式１に従って生成される。
【数１】
2017510141.tif 000003
（数式１）
式中、nsは無線フレーム内のスロット（slot）のシリアル番号であり、ｌはスロット内の直交周波数分割多重（Orthogonal  Frequency  Division  Multiplexing，略称OFDM）シンボルのシリアル番号であり、
【数２】
2017510141.tif 000004
は最大設定可能システム帯域幅に含まれるリソースブロックの数である。数式１のc(i)は、ＬＴＥプロトコルにおいて定義されている疑似ランダムシーケンスである。
【０１３４】
擬似ランダムシーケンスが生成されると、以下のようにと定義される開始パラメータが必要となる。
【数３】
2017510141.tif 000005
（数式２）
NCPは、セルによって用いられるＯＦＤＭシンボルのサイクリックプレフィックスのタイプに基づいて決定される。ＬＴＥシステムでは、２つのタイプのサイクリックプレフィックス、すなわち一般のサイクリックプレフィックスと拡張サイクリックプレフィックスがある。セルが一般のサイクリックプレフィックスを用いる場合、NCP＝１である。セルが拡張サイクリックプレフィックスを用いる場合、NCP＝０である。
【数４】
2017510141.tif 000006
は、セルの第２の参照信号スクランブリングコードＩＤである。
【０１３５】
したがって、第１の隣接セルに関しては、第２の参照信号は数式１に従って生成される。第２の参照信号が準NZP-CSI-RSを用いる場合、準NZP-CSI-RSを生成するための数式はNZP-CSI-RSのための数式と同じであり、すなわち数式１であるが、スクランブリングコードＩＤとして
【数５】
2017510141.tif 000007
が
【数６】
2017510141.tif 000008
の代わりに用いられる。
【数７】
2017510141.tif 000009
と
【数８】
2017510141.tif 000010
は異なる数値であってよい。
【０１３６】
任意に、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含んでよい。
【０１３７】
第１の隣接セルの第２の参照信号のリソース構成は、第１の隣接セルの第２の参照信号の送信に用いられる、通信システムリソースのリソースの位置を指す。ＬＴＥでは、時間上１つのスロットを持続し周波数の１２個のサブキャリアを含む時間周波数リソースが、リソースブロックと呼ばれ、時間上１つのＯＦＤＭシンボルを持続し周波数の１個のサブキャリアを含む時間周波数リソースが、リソースエレメント（Resource  Element，略称ＲＥ）と呼ばれる。ＬＴＥプロトコルでは、ＲＥが最小の時間周波数単位である。第１の隣接セルの第２の参照信号のリソース構成は、通信システムリソースのうちどのＲＥで第１の隣接セルの第２の参照信号が送信されるのかを示すのに用いられる。ＵＥは、第１の隣接セルの第２の参照信号のリソース構成に従って、どのＵＥで第１の隣接セルの第２の参照信号が検出されるのかを知ることができる。
【０１３８】
第１の隣接セルの第２の参照信号のためのアンテナポートの数は、第１の隣接セルにおいて、第２の参照信号を送信するために用いられるアンテナポートの数を示すのに用いられる。通信システムでは、第２の参照信号のためのアンテナポートの数を構成することができる。基地局は、１つのアンテナポートで第２の参照信号を送信してよく、或いは、複数のアンテナポートで第２の参照信号を送信してよい。ＬＴＥプロトコルでは、第２の参照信号ためのアンテナポートの数は、１，２，４，８のいずれかに構成することができる。ＵＥは、第１の隣接セルの第２の参照信号のためのアンテナポートの数とリソースのシリアル番号とに従って、第１の隣接セルの第２の参照信号を正確に検出することができる。
【０１３９】
第１の隣接セルの第２の参照信号のサブフレーム情報は、第１の隣接セルの第２の参照信号の送信周期と送信サブフレームの位置である。第２の参照信号は周期的に基地局によって送信されるので、送信周期を構成することができる。ＵＥは、サブフレーム情報を用いて、第１の隣接セルの第２の参照信号を正確に検出することができる。
【０１４０】
任意に、第１の隣接セルの第１の参照信号は、隣接セルのＰＳＳ、又は、第１の隣接セルの準ＰＳＳであってよい。第１の隣接セルの第１の参照信号のタイプは、本発明では具体的に限定されない。
【０１４１】
第１の参照信号は、第１の参照信号ＩＤに基づいて、対応する数式に従って生成される。準ＰＳＳとＰＳＳはタイプが類似するが、準ＰＳＳの生成時、準ＰＳＳを生成するためのルートシーケンス番号は、ＰＳＳを生成するためのルートシーケンス番号と異なる。
【０１４２】
以下、準NZP-CSI-RS及びNZP-CSI-RSを詳細に説明する。
【０１４３】
具体的には、ＰＳＳシーケンスを生成するための数式は、以下の数式３として示される。
【数９】
2017510141.tif 000011
（数式３）
式中、uはルートシーケンス番号と呼ばれる。ルートシーケンス番号は、セルのＩＤによって一意的に決定される。準ＰＳＳが第１の参照信号として用いられる場合、準ＰＳＳを生成するためのルートシーケンス番号uは、ＰＳＳを生成するためのルートシーケンス番号uとは異なる値を用いる。
【０１４４】
更に、第１の参照信号と第２の参照信号とは、準同配置される。
【０１４５】
第１の参照信号と第２の参照信号とが準同配置されることは、２つの信号すなわち第１の参照信号と第２の参照信号が同様のチャネルを通過することを意味する。すなわち、第１の参照信号と第２の参照信号は、ドップラーシフト、ドップラー分布、平均遅延及び遅延分布において類似し、或いは、上述の４つのパラメータ値のうち一部のパラメータ値において類似する。
【０１４６】
更に、補助情報に含まれる内容の違いにより、同期ユニット１０２は、以下の２つの方式を用いて、ＵＥを第１の隣接セルと同期させてよい。
【０１４７】
第１の方式：補助情報が第１の隣接セルの第１の参照信号ＩＤを含まないとき、
補助情報に従って、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、複数の相関値を取得する。
既定の閾値よりも大きい第１の相関値が存在する場合、ＵＥは第１の隣接セルと同期される。第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【０１４８】
第２の方式：補助情報が第１の隣接セルの第１の参照信号ＩＤを含むとき、
補助情報に従って、第１の隣接セルの第１の参照信号シーケンスを検出及び取得し、
第１の隣接セルの第１の参照信号ＩＤに従って、第１の隣接セルのローカルの第１の参照信号シーケンスを生成し、
第１の隣接セルの検出された第１の参照信号シーケンスと第１の隣接セルのローカルの第１の参照信号シーケンスとの相関演算を実行して、第３の相関値を取得する。
第３の相関値が既定の閾値よりも大きい場合、ＵＥは第１の隣接セルと同期される。
【０１４９】
留意すべきこととして、ＵＥを第１の隣接セルと同期させるプロセスでは、ＵＥが第１の隣接セルと同期されるか否かは、取得された相関値を既定の閾値と比較することによって決定される。既定の閾値は実際の要件に従って決定され、既定の閾値の具体的なデータは本発明では具体的に限定されない。
【０１５０】
留意すべきこととして、ＵＥは、ＵＥが第１の隣接セルと同期化された後にのみ、第１の隣接セルの探索及び測定に進むことができる。ＵＥが第１の隣接セルと同期されない場合、ＵＥは、第１の隣接セルを探索も測定もしない。
【０１５１】
具体的には、取得ユニット１０３は、以下の３つの方法のうちいずれか１つを用いて、セルＩＤ又は仮想ＩＤを取得してよい。
【０１５２】
第１の方法：
【０１５３】
第１の隣接セルの第２の参照信号のリソース情報に従って、第１の隣接セルの第１の参照信号の実際の送信リソース位置を取得する。
【０１５４】
第１の隣接セルの第１の参照信号の送信位置と、第１の隣接セルの第２の参照信号の送信位置とには、対応関係がある。対応関係は、基地局とＵＥの両方に知られている対応関係であってよく、或いは、基地局によって構成される対応関係であってよい。
【０１５５】
対応関係が基地局とＵＥの両方に知られている対応関係であるとき、第１の隣接セルの第１の参照信号の実際の送信リソース位置は、第１の隣接セルの第２の参照信号のリソース情報に従って直接取得されてよい。
【０１５６】
対応関係が基地局によって構成される対応関係であるとき、基地局は、第１の参照信号と第２の参照信号との位置関係を示すために用いられる指示情報を送信してよく、それから、第１の隣接セルの第２の参照信号のリソース情報と、基地局によって送信される指示情報とに従って、第１の隣接セルの第１の参照信号の実際の送信リソース位置を取得してよい。
【０１５７】
留意すべきこととして、第１の参照信号と第２の参照信号との位置の対応関係は、本発明のどの実施形態においても具体的に限定されない。
【０１５８】
第１の隣接セルの第１の参照信号の実際の送信リソース位置で、第１の隣接セルの第１の参照信号を検出及び取得して、第１の隣接セルの第１の参照信号ＩＤを取得する。
【０１５９】
検出された第１の隣接セルの第１の参照信号とプロトコル指定のローカルの第１の参照信号シーケンスの各々との相関演算を実行して、第１の隣接セルの第１の参照信号ＩＤを取得する。
【０１６０】
第１の隣接セルの第１の参照信号ＩＤに従って、第１の隣接セルの仮想ＩＤを取得するか、又は、第１の隣接セルの第１の参照信号ＩＤと第１の隣接セルのセルＩＤとの対応関係に従って、第１の隣接セルのセルＩＤを取得する。
【０１６１】
第１の隣接セルの第１の参照信号ＩＤと第１の隣接セルのセルＩＤとの対応関係は、基地局とＵＥの両方に知られた約定関係であり、本発明では具体的に限定されない。
【０１６２】
第２の方法：
【０１６３】
第１の隣接セルの第２の参照信号のリソース情報に従って、第１の隣接セルの第２の参照信号の実際の送信リソース位置を取得する。
【０１６４】
第１の隣接セルの第２の参照信号の実際の送信リソース位置で、第１の隣接セルの第２の参照信号を検出及び取得して、第１の隣接セルの第２の参照信号スクランブリングコードＩＤを取得する。
第１の隣接セルの第２の参照信号スクランブリングコードＩＤに従って、第１の隣接セルの仮想ＩＤを取得するか、又は、第１の隣接セルの第２の参照信号スクランブリングコードＩＤと第１の隣接セルのセルＩＤとの対応関係に従って、第１の隣接セルのセルＩＤを取得する。
【０１６５】
第１の隣接セルの第２の参照信号スクランブリングコードＩＤと第１の隣接セルのセルＩＤとの対応関係は、基地局とＵＥの両方に知られた約定関係であり、本発明では具体的に限定されない。
【０１６６】
第３の方法：
【０１６７】
第１の隣接セルの第２の参照信号のリソース情報に従って、第１の隣接セルの第１の参照信号及び第２の参照信号の実際の送信リソース位置を取得する。
【０１６８】
第１の隣接セルの第１の参照信号の実際の送信リソース位置で、第１の隣接セルの第１の参照信号を検出及び取得して、第１の隣接セルの第１の参照信号ＩＤを取得する。
【０１６９】
第１の隣接セルの第２の参照信号の実際の送信リソース位置で、第１の隣接セルの第２の参照信号を検出及び取得して、第１の隣接セルの第２の参照信号スクランブリングコードＩＤを取得する。
【０１７０】
第１の隣接セルの第２の参照信号スクランブリングコードＩＤと、第１の隣接セルの第１の参照信号ＩＤと、第１の隣接セルのセルＩＤとの対応関係に従って、第１の隣接セルのセルＩＤを取得する。
【０１７１】
第１の隣接セルの第２の参照信号スクランブリングコードＩＤと、第１の隣接セルの第１の参照信号ＩＤと、第１の隣接セルのセルＩＤとの対応関係は、基地局とＵＥの両方に知られた約定関係であり、本発明では具体的に限定されない。
【０１７２】
更に、取得ユニット１０３が第１の隣接セルの第１の参照信号の実際の送信リソース位置で、第１の隣接セルの第１の参照信号を検出及び取得して、第１の隣接セルの第１の参照信号ＩＤを取得するステップは、
第１の隣接セルの第１の参照信号の実際の送信リソース位置で、第１の隣接セルの第１の参照信号シーケンスを検出及び取得するステップと、
第１の隣接セルの検出された第１の参照信号シーケンスとプロトコル指定のローカルの第１の参照信号シーケンスの各々との相関演算を実行して、第１の隣接セルの第１の参照信号ＩＤを取得するステップと、
を含んでよい。
【０１７３】
第１の隣接セルの検出された第１の参照信号シーケンスと、第１の隣接セルによって実際に用いられる第１の参照信号シーケンスと同じであるローカルのプロトコル指定の第１の参照信号シーケンスとの間で相関演算が実行されると、相関ピークが得られ、それから、第１の隣接セルによって実際に用いられる第１の参照信号シーケンスを決定することができる。シーケンスを生成するために用いられるルートシーケンス番号は、第１の隣接セルによって実際に用いられる第１の参照信号シーケンスに従って計算することができ、第１の隣接セルの第１の参照信号ＩＤは、ルートシーケンス番号に従って、ルートシーケンス番号と第１の参照信号対応関係テーブルを照会することによって、得ることができる。
【０１７４】
任意に、補助情報が第１の隣接セルの第１の参照信号ＩＤを含む場合、第１の隣接セルの第１の参照信号ＩＤは、補助情報に従って直接取得されてよい。
【０１７５】
更に、取得ユニット１０３が第１の隣接セルの第２の参照信号の実際の送信リソース位置で、第１の隣接セルの第２の参照信号を検出及び取得して、第１の隣接セルの第２の参照信号スクランブリングコードＩＤを取得するステップは、
第１の隣接セルの第２の参照信号の実際の送信リソース位置で、第１の隣接セルの第２の参照信号シーケンスを検出及び取得するステップと、
プロトコル指定のＭ個の第２の参照信号スクランブリングコード識別情報（ＩＤ）に従って、Ｍ個のローカルの第２の参照信号シーケンスを生成するステップと、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するステップと、
を含んでよい。
【０１７６】
検出された第１の隣接セルの第２の参照信号シーケンスと、第１の隣接セルによって実際に用いられる第２の参照信号シーケンスと同じであるローカルのプロトコル指定の第１の参照信号シーケンスとの間で相関演算が実行されると、相関ピークが得られ、それから、第１の隣接セルによって実際に用いられる第２の参照信号シーケンスを決定することができる。第１の隣接セルの第２の参照信号スクランブリングコードＩＤは、第１の隣接セルによって実際に用いられる第２の参照信号シーケンスに従って計算することができる。
【０１７７】
任意に、補助情報が第１の隣接セルの第２の参照信号スクランブリングコードＩＤを含む場合、第１の隣接セルの第２の参照信号スクランブリングコードＩＤは、補助情報に従って直接取得されてよい。
【０１７８】
更に、ユーザイクイップメント１０は更に、
第１の隣接セルの第２の参照信号のリソース情報に従って、第１の隣接セルが探索されたか否かを判定するように構成される判定ユニット１０４、
を備えてよい。
【０１７９】
更に、補助情報に含まれる内容の違いにより、判定ユニット１０４は、以下の２つの方式を用いて、第１の隣接セルが探索されたか否かを判定してよい。
【０１８０】
第１の方式：補助情報が第１の隣接セルの第２の参照信号スクランブリングコードＩＤを含まないとき、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
プロトコル指定のＭ個の第２の参照信号スクランブリングコードＩＤに従って、Ｍ個のローカルの第２の参照信号シーケンスを生成し、
検出された第１の隣接セルの第２の参照信号シーケンスとＭ個のローカルの第２の参照信号シーケンスの各々との相関演算を実行して、Ｍ個の相関値を取得する。
既定の探索条件よりも大きい第２の相関値が存在する場合、第１の隣接セルが探索される。第２の相関値は、検出された第１の隣接セルの第２の参照信号とＭ個のローカルの第２の参照信号シーケンスの各々との相関演算を実行することによって取得されたＭ個の相関値のうち任意の１つである。
【０１８１】
第２の方式：補助情報が第１の隣接セルの第２の参照信号スクランブリングコードＩＤを含むとき、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
第１の隣接セルの第２の参照信号スクランブリングコードＩＤに従って、第１の隣接セルのローカルの第２の参照信号シーケンスを生成し、
検出された第１の隣接セルの第２の参照信号と第１の隣接セルのローカルの第２の参照信号シーケンスとの相関演算を実行して、第４の相関値を取得する。
第４の相関値が既定の探索条件よりも大きい場合、第１の隣接セルが探索される。
【０１８２】
既定の探索条件は、第１の隣接セルの信号強度の決定に用いられる閾値である。検出及び取得された第１の隣接セルの第２の参照信号シーケンスと任意のローカルのプロトコル指定の第２の参照信号シーケンスとの相関値が既定の探索条件よりも大きい場合、第１の隣接セルの信号強度が十分であることが示され、第１の隣接セルが探索される。検出及び取得された第１の隣接セルの第２の参照信号シーケンスと全てのローカルのプロトコル指定の第２の参照信号シーケンスとの相関値が既定の探索条件よりも小さい場合、第１の隣接セルの信号強度が不十分であることが示され、第１の隣接セルは探索されない。
【０１８３】
留意すべきこととして、既定の探索条件は実際の要件に従って決定されてよく、本発明では具体的に限定されない。
【０１８４】
留意すべきこととして、取得ユニット１０３が第１の隣接セルのセルＩＤ又は仮想ＩＤを取得するのは、ＵＥが第１の隣接セルと同期され後であってよく、或いは、ＵＥが第１の隣接セルと同期された後であり且つ判定ユニット１０４が第１の隣接セルが探索されると判定した後であってよく、本発明では具体的に限定されない。
【０１８５】
更に、補助情報は更に、第１の隣接セルのセルＩＤ及び第１の隣接セルの第１の参照信号ＩＤを含んでよい。
【０１８６】
任意に、同期ユニット１０３が第１の隣接セルの第１の参照信号を検出してＵＥを第１の隣接セルと同期させるプロセスでは、同期ユニット１０３は、第１の隣接セルの第１の参照信号の送信位置の違いに応じて、以下の３つの方式を用いて、第１の隣接セルの第１の参照信号の位置を検出してよい。
【０１８７】
第１の方式：第１の隣接セルの第１の参照信号と第１の隣接セルの第２の参照信号とが１つのサブフレームで送信される場合、第１の隣接セルの第２の参照信号のリソース情報において指示されるサブフレームで、第１の隣接セルの第１の参照信号を検出する。
【０１８８】
第２の方式：第１の隣接セルの第１の参照信号が、第１の隣接セルの第２の参照信号の前又は後のＮ番目のサブフレーム０又はサブフレーム５で送信される場合、第１の隣接セルの第２の参照信号のリソース情報において指示されるサブフレームの前又は後のサブフレーム０又はサブフレーム５で、第１の隣接セルの第１の参照信号を検出する。Ｎは１以上である。
【０１８９】
Ｎは実際の要件に従って決定されてよく、本発明では具体的に限定されない。
【０１９０】
第３の方式：第１の隣接セルの第１の参照信号が、第１の隣接セルの第２の参照信号の前又は後のＰ番目のサブフレームで送信される場合、第１の隣接セルの第２の参照信号のリソース情報において指示されるサブフレームの前又は後のＰ番目のサブフレームで、第１の隣接セルの第１の参照信号を検出する。Ｐは１以上である。この場合は、補助情報は更に、第１の隣接セルの第１の参照信号と第１の隣接セルの第２の参照信号との間のサブフレームオフセットＰを含む。Ｐは１以上である。
【０１９１】
Ｐは実際の要件に従って決定されてよく、本発明では具体的に限定されない。
【０１９２】
留意すべきこととして、第１の隣接セルの第１の参照信号と第２の参照信号とのタイミング対応関係は、上述の３つの方式で説明したタイミング関係であってよく、或いは、別のタイミング対応関係であってよく、実際の要件に従って決定されてよく、本発明では具体的に限定されない。
【０１９３】
更に、図２を参照して、ユーザイクイップメント１０は更に以下の要素を備えてよい。
測定ユニット１０５は、第１の隣接セルの第２の参照信号のリソース情報に従って、第１の隣接セルの第２の参照信号の送信リソース位置で、第１の隣接セルのＲＲＭ測定を実行して、メトリックを取得するように構成される。メトリックは、ＲＳＲＰ、ＲＳＳＩ及びＲＳＲＱのうち少なくとも１つを含んでよい。
【０１９４】
任意に、補助情報は更に、第１の隣接セルの測定リソース１のリソース情報を含んでよい。第１の隣接セルの測定リソース１のリソース情報は、第１の隣接セルの測定リソース１のリソース構成と、第１の隣接セルの測定リソース１のためのアンテナポートの数と、第１の隣接セルの測定リソース１のサブフレーム情報とのうち、少なくとも１つを含む。
【０１９５】
第１の隣接セルの測定リソース１のリソース構成は、第１の隣接セルの測定リソース１に用いられる、通信システムリソースのリソースの位置を指す。ＬＴＥでは、時間上１つのスロットを持続し周波数の１２個のサブキャリアを含む時間周波数リソースが、リソースブロックと呼ばれ、時間上１つのＯＦＤＭシンボルを持続し周波数の１個のサブキャリアを含む時間周波数リソースが、ＲＥと呼ばれる。ＬＴＥプロトコルでは、ＲＥが最小の時間周波数単位である。第１の隣接セルの第２の参照信号のリソース構成は、通信システムリソースのうちどのＲＥで第１の隣接セルの第２の参照信号が送信されるのかを示すのに用いられる。ＵＥは、第１の隣接セルの測定リソース１のリソース構成に従って、どのＵＥで第１の隣接セルの測定リソース１が検出されるのかを知ることができる。
【０１９６】
第１の隣接セルの測定リソース１のためのアンテナポートの数は、第１の隣接セルにおいて、測定リソース１を送信するために用いられるアンテナポートの数を示すのに用いられる。通信システムでは、測定リソース１のためのアンテナポートの数を構成することができる。基地局は、１つのアンテナポートで測定リソース１を送信してよく、或いは、複数のアンテナポートで測定リソース１を送信してよい。ＵＥは、第１の隣接セルの測定リソース１のアンテナポートの数とリソースのシリアル番号とに従って、第１の隣接セルの測定リソース１を正確に検出することができる。
【０１９７】
第１の隣接セルの測定リソース１のサブフレーム情報は、第１の隣接セルの測定リソース１の送信周期と送信サブフレームの位置である。測定リソース１は周期的に基地局によって送信されるので、送信周期を構成することができる。ＵＥは、サブフレーム情報を用いて、第１の隣接セルの測定リソース１を正確に検出することができる。
【０１９８】
任意に、第１の隣接セルの測定リソース１は、第１の隣接セルのZP-CSI-RSであってよい。
【０１９９】
補助情報が更に第１の隣接セルの測定リソース１のリソース情報を含むとき、測定ユニット１０５は、具体的には、更に、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得し、
第１の隣接セルの測定リソース１のリソース情報に従って、第１の隣接セルの測定リソース１の送信リソース位置で、第１の隣接セルのＲＲＭ測定を実行して、メトリックのＲＳＳＩを取得し、
ＲＳＲＰ及びＲＳＳＩに従ってＲＳＲＱを取得するように構成されてよい。
【０２００】
留意すべきこととして、第１の隣接セルは、ＵＥのサービング基地局の任意の隣接セルである。したがって、ＵＥによるセル探索プロセスでは、全ての隣接セルに対して同じ処理が行われる。本発明の実施形態は、第１の隣接セルのみを例として説明されたが、別の隣接セルにも同じ処理方法が用いられるので、説明を省略する。
【０２０１】
本発明の本実施形態は、ユーザイクイップメント１０を提供する。ユーザイクイップメント１０は、補助情報を受信する。補助情報は第１の隣接セルの第２の参照信号のリソース情報を含み、第１の隣接セルはＵＥのサービング基地局の任意の隣接セルである。また、ユーザイクイップメント１０補助情報に従って第１の隣接セルの第１の参照信号を検出して、ＵＥを第１の隣接セルと同期させ、補助情報に従って、第１の隣接セルの第１の参照信号を検出するか、又は第１の隣接セルの第２の参照信号を検出するか、又は第１の隣接セルの第１の参照信号及び第２の参照信号を検出して、第１の隣接セルのセル識別情報ＩＤ又は仮想ＩＤを取得する。スモールセルが密に配置されたシナリオにおいて正確なセル探索が実現され、スモールセルが密に配置されたシナリオでのセル探索について干渉が強いという従来技術の欠点が解決される。
【０２０２】
実施形態２
本発明の実施形態２は基地局３０を提供する。基地局３０は、ユーザイクイップメント１０のサービング基地局である。図３を参照して、基地局３０は、取得ユニット３０１、生成ユニット３０２及び送信ユニット３０３を備えてよい。
【０２０３】
取得ユニット３０１は、第１の隣接セルの第１の参照信号の送信パラメータと、第１の隣接セルの第２の参照信号の送信パラメータとを取得するように構成される。
【０２０４】
第１の隣接セルの第１の参照信号の送信パラメータと第１の隣接セルの第２の参照信号の送信パラメータの取得に関して、基地局に配置されている場合には基地局３０において構成することができ、基地局３０によって直接読取り及び取得される。或いは、第１の隣接セルの基地局によって送信された第１の隣接セルの第１の参照信号の送信パラメータと第１の隣接セルの第２の参照信号の送信パラメータとを受信することによって、取得されてよい。
【０２０５】
本発明は、第１の隣接セルの第１の参照信号の送信パラメータと第１の隣接セルの第２の参照信号の送信パラメータとを取得する方式を、具体的に限定しない。
【０２０６】
生成ユニット３０２は、取得ユニット３０１によって取得された第１の隣接セルの第１の参照信号の送信パラメータと第１の隣接セルの第２の参照信号の送信パラメータとに従って、補助情報を生成するように構成される。補助情報は、第１の隣接セルの第２の参照信号のリソース情報を含んでよい。
【０２０７】
送信ユニット３０３は、セル内のＵＥがセル探索を実行するように、生成ユニット３０２によって生成された補助情報をＵＥに送信するように構成される。
【０２０８】
任意に、第１の隣接セルの第２の参照信号は、第１の隣接セルのNZP-CSI-RS、又は、第１の隣接セルの準NZP-CSI-RSであってよい。
【０２０９】
準NZP-CSI-RSを生成するためのスクランブリングコードＩＤは、NZP-CSI-RSを生成するためのスクランブリングコードＩＤと異なる。
【０２１０】
留意すべきこととして、本発明は、具体的には、第１の参照信号の具体的な形式を具体的に限定しない。
【０２１１】
任意に、第１の隣接セルの第１の参照信号は、第１の隣接セルのＰＳＳ、又は、第１の隣接セルの準ＰＳＳであってよい。
【０２１２】
準ＰＳＳを生成するためのルートシーケンス番号は、ＰＳＳを生成するためのルートシーケンス番号と異なる。
【０２１３】
留意すべきこととして、本発明は、具体的には、第２の参照信号の具体的な形式を限定しない。
【０２１４】
更に、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含んでよい。
【０２１５】
留意すべきこととして、第１の隣接セルの第２の参照信号のリソース情報に含まれる情報の具体的な目的は実施形態１で詳述したので、詳細な説明は省略する。
【０２１６】
更に、補助情報は更に、第１の隣接セルのセル識別情報（ＩＤ）及び第１の隣接セルの第１の参照信号ＩＤを含んでよい。
【０２１７】
更に、補助情報は更に、第１の隣接セルの第２の参照信号スクランブリングコードＩＤを含んでよい。
【０２１８】
更に、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含んでよい。Ｐは１以上である。
【０２１９】
留意すべきこととして、第１の隣接セルの第１の参照信号と第１の隣接セルの第２の参照信号との間のサブフレームオフセットＰは、実際の要件に従って決定されてよく、本発明では限定されない。
【０２２０】
留意すべきこととして、第１の隣接セルは、ＵＥのサービング基地局の任意の隣接セルである。したがって、ＵＥがセル探索を実行するプロセスでは、全ての隣接セルに対して同じ処理が行われる。本発明の実施形態は、第１の隣接セルのみを例として説明され、別の隣接セルにも同じ処理方法が用いられるので、説明を省略する。
【０２２１】
本発明の本実施形態は基地局３０を提供する。基地局３０は、ＵＥがセル探索を実行するように、補助情報を送信する。補助情報は第１の隣接セルの第２の参照信号のリソース情報を含み、第１の隣接セルはＵＥのサービング基地局の任意の隣接セルである。スモールセルが密に配置されたシナリオにおいて正確なセル探索が実現され、スモールセルが密に配置されたシナリオでのセル探索について干渉が強いという従来技術の欠点が解決される。
【０２２２】
実施形態３
本発明の実施形態３は基地局４０を提供する。基地局４０は、第１の隣接セルに対応する基地局である。図４を参照して、基地局４０は以下の要素を備えてよい。
送信ユニット４０１は、第１の隣接セルの第１の参照信号及び第２の参照信号を送信するように構成される。第１の参照信号は、ＵＥがセルに同期する際に用いられ、第２の参照信号は、ＵＥがセル探索及びＲＲＭ測定を実行する際に用いられる。
【０２２３】
任意に、第１の隣接セルの第２の参照信号は、第１の隣接セルのNZP-CSI-RS、又は、第１の隣接セルの準NZP-CSI-RSであってよい。
【０２２４】
準NZP-CSI-RSを生成するためのスクランブリングコードＩＤは、NZP-CSI-RSを生成するためのスクランブリングコードＩＤと異なる。
【０２２５】
留意すべきこととして、本発明は、第２の参照信号のタイプを具体的に限定しない。
【０２２６】
任意に、第１の隣接セルの第１の参照信号は、第１の隣接セルのＰＳＳ、又は、第１の隣接セルの準ＰＳＳであってよい。
【０２２７】
準ＰＳＳを生成するためのルートシーケンス番号は、ＰＳＳを生成するためのルートシーケンス番号と異なる。
【０２２８】
留意すべきこととして、本発明は、第１の参照信号のタイプを具体的に限定しない。
【０２２９】
更に、図５Ａを参照して、基地局４０は更にマッピングユニット４０２を備えてよい。
マッピングユニット４０２は、
第１の隣接セルの第２の参照信号が１つのアンテナポートを介して伝送されるとき、各リソースブロックにおいて、第１の隣接セルの第２の参照信号を４つのリソースエレメントにマッピングするように構成されてよい。４個のリソースエレメントの位置は、ＬＴＥの４アンテナポートCSI-RSのリソースマッピングのものと同じである。図５Ｂを参照して、第１の隣接セルの第２の参照信号は、１個のアンテナポート（アンテナポートａ）を介して送信される。又は、
第１の隣接セルの第２の参照信号が１つのアンテナポートを介して伝送されるとき、各リソースブロックにおいて、第１の隣接セルの第２の参照信号を８つのリソースエレメントにマッピングするように構成されてよい。８個のリソースエレメントの位置は、ＬＴＥの８アンテナポートCSI-RSのリソースマッピングにおけるものと同じである。図５Ｃを参照して、第１の隣接セルの第２の参照信号は、１個のアンテナポート（アンテナポートａ）を介して送信される。又は、
第１の隣接セルの第２の参照信号が２つのアンテナポートを介して伝送されるとき、各リソースブロックにおいて、第１の隣接セルの第２の参照信号を４つのリソースエレメントにマッピングする構成されてよい。４個のリソースエレメントの位置は、ＬＴＥの４アンテナポートCSI-RSのリソースマッピングのものと同じである。図５Ｄを参照して、第１の隣接セルの第２の参照信号は、２つのアンテナポート（アンテナポートａ及びアンテナポートｂ）を介して送信される。又は、
第１の隣接セルの第２の参照信号が２つのアンテナポートを介して伝送されるとき、各リソースブロックにおいて、第１の隣接セルの第２の参照信号を８つのリソースエレメントにマッピングするように構成されてよい。８個のリソースエレメントの位置は、ＬＴＥの８アンテナポートCSI-RSのリソースマッピングにおけるものと同じである。図５Ｅを参照して、第１の隣接セルの第２の参照信号は、２つのアンテナポート（アンテナポートａ及びアンテナポートｂ）を介して送信される。
【０２３０】
更に、第１の隣接セルの第２の参照信号のシークエンス長は、最大システム帯域幅に含まれるリソースブロックの数のＱ倍である。Ｑは１より大きい正の整数である。
【０２３１】
更に、図５Ａを参照して、基地局４０は更に、
第１の隣接セルのセルＩＤと第１の隣接セルの構成されたリソースの数とに従って、第１の隣接セルの第２の参照信号の送信リソース位置を判定するように構成される判定ユニット４０３、
を備えてよい。
【０２３２】
任意に、判定ユニット４０３は、具体的には、第１の隣接セルのセルＩＤと１の隣接セルの構成されたリソースの数とに従って第１の隣接セルの第２の参照信号の送信リソース位置を決定するために、以下の方法のいずれか１つを用いてよい。
【０２３３】
第１の方法：第１の隣接セルのプライマリ同期信号（ＰＳＳ）ＩＤに従って、第１の隣接セルの第２の参照信号の送信リソース位置を計算する。
【０２３４】
第２の方法：第１の隣接セルのセカンダリ同期信号（ＳＳＳ）ＩＤに従って、第１の隣接セルの第２の参照信号の送信リソース位置を計算する。
【０２３５】
第３の方法：第１の隣接セルのＰＳＳ  ＩＤに従って、第１の隣接セルの第２の参照信号の送信リソースセットを決定し、第１の隣接セルのＳＳＳ  ＩＤに従って、第１の隣接セルの第２の参照信号の、送信リソースセットにおける送信リソース位置を決定する。第１の隣接セルの構成されるリソースはＳ個のリソースセットであり、各リソースセットはＴ個のリソースを含む。
【０２３６】
更に、送信ユニット４０１は更に、
第１の隣接セルの第１の参照信号及び第１の隣接セルの第２の参照信号を１つのサブフレームで送信するように構成されてよく、
又は、
第１の隣接セルの第１の参照信号を、第１の隣接セルの第２の参照信号の前又は後のＮ番目のサブフレーム０又はサブフレーム５で送信するように構成されてよく、Ｎは１以上であり、
又は
第１の隣接セルの第１の参照信号を、第１の隣接セルの第２の参照信号の前又は後のＰ番目のサブフレームで送信するように構成されてよく、Ｐは１以上である。
【０２３７】
更に、送信ユニット４０１は更に、第１の隣接セルの全ての隣接セルのＵＥがセル探索を実行するように、第１の隣接セルの第１の参照信号の送信パラメータと第１の隣接セルの第２の参照信号の送信パラメータとを、第１の隣接セルの全ての隣接セルに送信するように構成されてよい。
【０２３８】
更に、第１の隣接セルに対応する基地局がオフ状態であるとき、送信ユニットは更に、既定の周期に従って、第１の隣接セルの第１の参照信号及び第２の参照信号を周期的に送信するように構成されてよい。
【０２３９】
本発明の本実施形態は基地局４０を提供する。基地局４０は、ＵＥがセル探索を実行するように、第１の隣接セルの第１の参照信号及び第２の参照信号を送信する。第１の参照信号は、ＵＥがルと同期する際に用いられ、第２の参照信号は、ＵＥがセル探索及びＲＲＭ測定を実行する際に用いられる。スモールセルが密に配置されたシナリオにおいて正確なセル探索が実現され、スモールセルが密に配置されたシナリオでのセル探索について干渉が強いという従来技術の欠点が解決される。
【０２４０】
実施形態４
本発明の実施形態４はセル探索方法を提供する。図６を参照して、本方法は以下の要素を含んでよい。
【０２４１】
６０１：ＵＥが補助情報を受信する。補助情報は第１の隣接セルの第２の参照信号のリソース情報を含み、第１の隣接セルはＵＥのサービング基地局の任意の隣接セルである。
【０２４２】
第１の隣接セルの第２の参照信号は、第１の隣接セルのNZP-CSI-RS、又は、第１の隣接セルの準NZP-CSI-RSである。準NZP-CSI-RSを生成するためのスクランブリングコードＩＤは、NZP-CSI-RSを生成するためのスクランブリングコードＩＤと異なる。
【０２４３】
留意すべきこととして、準NZP-CSI-RS及びNZP-CSI-RSは実施形態１で詳述したので、詳細な説明を省略する。
【０２４４】
第１の隣接セルの第２の参照信号のリソース情報は、
第１の隣接セルの第２の参照信号のリソース構成と、
第１の隣接セルの第２の参照信号のためのアンテナポートの数と、
第１の隣接セルの第２の参照信号のサブフレーム情報と、
のうち、少なくとも１つを含んでよい。
【０２４５】
第１の隣接セルの第２の参照信号のリソース構成は、第１の隣接セルの第２の参照信号の送信に用いられる、通信システムリソースのリソースの位置を指す。ＬＴＥでは、時間上１つのスロットを持続し周波数の１２個のサブキャリアを含む時間周波数リソースが、リソースブロックと呼ばれ、時間上１つのＯＦＤＭシンボルを持続し周波数の１個のサブキャリアを含む時間周波数リソースが、ＲＥと呼ばれる。ＬＴＥプロトコルでは、ＲＥが最小の時間周波数単位である。第１の隣接セルの第２の参照信号のリソース構成は、通信システムリソースのうちどのＲＥで第１の隣接セルの第２の参照信号が送信されるのかを示すのに用いられる。ＵＥは、第１の隣接セルの第２の参照信号のリソース構成に従って、どのＵＥで第１の隣接セルの第２の参照信号が検出されるのかを知ることができる。
【０２４６】
第１の隣接セルの第２の参照信号のためのアンテナポートの数は、第１の隣接セルにおいて、第２の参照信号を送信するために用いられるアンテナポートの数を示すのに用いられる。通信システムでは、第２の参照信号のためのアンテナポートの数を構成することができる。基地局は、１つのアンテナポートで第２の参照信号を送信してよく、或いは、複数のアンテナポートで第２の参照信号を送信してよい。ＬＴＥプロトコルでは、第２の参照信号ためのアンテナポートの数は、１，２，４，８のいずれかに構成することができる。ＵＥは、第１の隣接セルの第２の参照信号のためのアンテナポートの数とリソースのシリアル番号とに従って、第１の隣接セルの第２の参照信号を正確に検出することができる。
【０２４７】
第１の隣接セルの第２の参照信号のサブフレーム情報は、第１の隣接セルの第２の参照信号の送信周期と送信サブフレームの位置である。第２の参照信号は周期的に基地局によって送信されるので、送信周期を構成することができる。ＵＥは、サブフレーム情報を用いて、第１の隣接セルの第２の参照信号を正確に検出することができる。
【０２４８】
６０２：ＵＥが、補助情報に従って第１の隣接セルの第１の参照信号を検出して、ＵＥを第１の隣接セルと同期させる。
【０２４９】
第１の隣接セルの第１の参照信号は、隣接セルのＰＳＳ、又は、第１の隣接セルの準ＰＳＳであってよい。準ＰＳＳを生成するためのルートシーケンス番号は、ＰＳＳを生成するためのルートシーケンス番号と異なる。
【０２５０】
留意すべきこととして、準ＰＳＳ及びＰＳＳは実施形態１で詳述したので、詳細な説明を省略する。
【０２５１】
更に、補助情報に含まれる内容の違いに応じて、ステップ６０２では、ＵＥを第１の隣接セルと同期させるために以下の２つの方式を用いることができる。
【０２５２】
第１の方式：補助情報が第１の隣接セルの第１の参照信号ＩＤを含まないとき、
補助情報に従って、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、複数の相関値を取得する。
既定の閾値よりも大きい第１の相関値が存在する場合、ＵＥは第１の隣接セルと同期される。第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【０２５３】
第２の方式：補助情報が第１の隣接セルの第１の参照信号ＩＤを含むとき、
補助情報に従って、第１の隣接セルの第１の参照信号シーケンスを検出及び取得し、
第１の隣接セルの第１の参照信号ＩＤに従って、第１の隣接セルのローカルの第１の参照信号シーケンスを生成し、
第１の隣接セルの検出された第１の参照信号シーケンスと第１の隣接セルのローカルの第１の参照信号シーケンスとの相関演算を実行して、第３の相関値を取得する。
第３の相関値が既定の閾値よりも大きい場合、ＵＥは第１の隣接セルと同期される。
【０２５４】
留意すべきこととして、ＵＥを第１の隣接セルと同期させるプロセスでは、ＵＥが第１の隣接セルと同期されるか否かは、取得された相関値を既定の閾値と比較することによって決定される。既定の閾値は実際の要件に従って決定され、既定の閾値の具体的なデータは本発明では具体的に限定されない。
【０２５５】
留意すべきこととして、ＵＥは、ＵＥが第１の隣接セルと同期化された後にのみ、第１の隣接セルの探索及び測定に進むことができる。ＵＥが第１の隣接セルと同期されない場合、ＵＥは、第１の隣接セルを探索も測定もしない。
【０２５６】
更に、第１の参照信号と第２の参照信号とは、準同配置される。
【０２５７】
６０３：ＵＥが、補助情報に従って、第１の隣接セルの第１の参照信号、又は、第１の隣接セルの第２の参照信号、又は、第１の隣接セルの第１の参照信号及び第２の参照信号を検出して、第１の隣接セルのセルＩＤ又は仮想ＩＤを取得する。
【０２５８】
第１の隣接セルのセルＩＤと、第１の隣接セルの第１の参照信号ＩＤと、第１の隣接セルの第２の参照信号スクランブリングコードＩＤとには、約定された対応関係がある。したがって、第１の隣接セルの第１の参照信号ＩＤ及び／又は第１の隣接セルの第２の参照信号スクランブリングコードＩＤが取得されると、第１の隣接セルのセルＩＤを得ることができる。
【０２５９】
第１の隣接セルの仮想ＩＤは、第１の隣接セルのセルＩＤと決まった対応関係をもつＩＤである。第１の隣接セルのセルＩＤは、仮想ＩＤを取得することによって示されてもよい。
【０２６０】
例えば、サービング基地局の第１の隣接セルと第２の隣接セルのセルＩＤがそれぞれＸ１とＸ２であり、第１の隣接セルと第２の隣接セルの仮想ＩＤがそれぞれＹ１とＹ２である。当然ながら、セルＩＤと仮想ＩＤは同じであっても異なってもよい。仮想ＩＤは、第１の参照信号及び第２の参照信号の生成に用いられてよい。サービング基地局は、第１の隣接セルのセルＩＤと仮想ＩＤとの対応関係と、第２の隣接セルのセルＩＤと仮想ＩＤの対応関係とを学習する。したがって、ＵＥは、第１の参照信号又は第２の参照信号を検出した後に仮想ＩＤを取得し、また、セルＩＤと仮想ＩＤとの対応関係に従って、第１の隣接セルの実際のセルＩＤを取得してもよい。
【０２６１】
ＵＥは、以下の３つの方式のいずれか１つを用いて、補助情報に従って第１の隣接セルのセル識別情報ＩＤ又は仮想ＩＤを取得する。
【０２６２】
第１の方式：
【０２６３】
第１の隣接セルの第２の参照信号のリソース情報に従って、第１の隣接セルの第１の参照信号の実際の送信リソース位置を取得する。
【０２６４】
第１の隣接セルの第１の参照信号の実際の送信リソース位置で送信された信号を検出して、第１の隣接セルの第１の参照信号ＩＤを取得する。
【０２６５】
第１の隣接セルの第１の参照信号ＩＤに従って、第１の隣接セルの仮想ＩＤを取得し、又は、第１の隣接セルの第１の参照信号ＩＤと第１の隣接セルのセルＩＤとの対応関係に従って、第１の隣接セルのセルＩＤを取得する。
【０２６６】
第２の方式：
【０２６７】
第１の隣接セルの第２の参照信号のリソース情報に従って、第１の隣接セルの第２の参照信号の実際の送信リソース位置を取得する。
【０２６８】
第１の隣接セルの第２の参照信号の実際の送信リソース位置で送信された信号を検出して、第１の隣接セルの第２の参照信号スクランブリングコードＩＤを取得する。
【０２６９】
第１の隣接セルの第２の参照信号スクランブリングコードＩＤに従って、第１の隣接セルの仮想ＩＤを取得し、又は、第１の隣接セルの第２の参照信号スクランブリングコードＩＤと第１の隣接セルのセルＩＤとの対応関係に従って、第１の隣接セルのセルＩＤを取得する。
【０２７０】
第３の方式：
【０２７１】
第１の隣接セルの第２の参照信号のリソース情報に従って、第１の隣接セルの第１の参照信号及び第２の参照信号の実際の送信リソース位置を取得する。
【０２７２】
第１の隣接セルの第１の参照信号の実際の送信リソース位置で送信された信号を検出して、第１の隣接セルの第１の参照信号ＩＤを取得する。
【０２７３】
第１の隣接セルの第２の参照信号の実際の送信リソース位置で送信された信号を検出して、第１の隣接セルの第２の参照信号スクランブリングコードＩＤを取得する。
【０２７４】
第１の隣接セルの第２の参照信号スクランブリングコードＩＤと、第１の隣接セルの第１の参照信号ＩＤと、セルＩＤとの対応関係に従って、第１の隣接セルのセルＩＤを取得する。
【０２７５】
第１の隣接セルの第１の参照信号は、第１の隣接セルの第１の参照信号に対応する。したがって、第１の隣接セルの第１の参照信号は、第１の隣接セルの第１の参照信号に従って取得されてよい。
【０２７６】
更に、第１の隣接セルの第１の参照信号の実際の送信リソース位置で、第１の隣接セルの第１の参照信号を検出及び取得して、第１の隣接セルの第１の参照信号ＩＤを取得するステップは、具体的には、
第１の隣接セルの第１の参照信号の実際の送信リソース位置で、第１の隣接セルの第１の参照信号シーケンスを検出及び取得するステップと、
第１の隣接セルの検出された第１の参照信号シーケンスとプロトコル指定のローカルの第１の参照信号シーケンスの各々との相関演算を実行して、第１の隣接セルの第１の参照信号ＩＤを取得するステップと、
を含んでよい。
【０２７７】
以下、ＬＴＥシステムを例に挙げて、第１の隣接セルの第１の参照信号と第１の隣接セルの第１の参照信号ＩＤとの対応関係を説明する。
【０２７８】
例えば、ＬＴＥシステムでは、第１の参照信号がＰＳＳである例を用いて、第１の参照信号の生成及び対応関係を説明する。
【０２７９】
ＰＳＳシーケンス生成式は、実施形態１の数式３である。
【０２８０】
ＬＴＥシステムでは、ＰＳＳのシーケンスを生成するための複数の明確なルートシーケンス番号がある。複数のルートシーケンス番号は、ＰＳＳ  ＩＤとの対応関係の形式で指定される。一般に表形式を採用することができる。表１を参照されたい。当然ながら、複数のルートシーケンス番号は別の形式で定められてもよく、本発明では限定されない。
【表１】
2017510141.tif 000012
【０２８１】
数式１及び表１から分かるように、複数のローカルのプロトコル指定の第１の参照信号が、第１の基準信号生成式と複数のプロトコル指定のルートシーケンス番号に従って生成され得る。第１の隣接セルの第１の参照信号ＩＤは、第１の隣接セルの第１の参照信号シーケンスと第１の参照信号生成式に従って取得することができる。
【０２８２】
第１の隣接セルの検出された第１の参照信号シーケンスと、第１の隣接セルによって実際に用いられる第１の参照信号シーケンスと同じであるローカルのプロトコル指定の第１の参照信号シーケンスとの間で相関演算が実行されると、相関ピークが得られ、それから、第１の隣接セルによって実際に用いられる第１の参照信号シーケンスを決定することができる。シーケンスを生成するために用いられるルートシーケンス番号は、第１の隣接セルによって実際に用いられる第１の参照信号シーケンスに従って計算することができ、第１の隣接セルの第１の参照信号ＩＤは、ルートシーケンス番号に従って、ルートシーケンス番号と第１の参照信号対応関係テーブルを照会することによって、得ることができる。
【０２８３】
任意に、補助情報が第１の隣接セルの第１の参照信号ＩＤを含む場合、第１の隣接セルの第１の参照信号ＩＤは、補助情報に従って直接取得されてよい。
【０２８４】
第１の隣接セルの第２の参照信号は、第１の隣接セルの第２の参照信号スクランブリングコードＩＤに基づいて生成される。したがって、第１の隣接セルの第２の参照信号スクランブリングコードＩＤは、第１の隣接セルの第２の参照信号に従って取得されてよい。
【０２８５】
更に、第１の隣接セルの第２の参照信号の実際の送信リソース位置で、第１の隣接セルの第２の参照信号を検出及び取得して、第１の隣接セルの第２の参照信号スクランブリングコードＩＤを取得するステップは、具体的には、
第１の隣接セルの第２の参照信号の実際の送信リソース位置で、第１の隣接セルの第２の参照信号シーケンスを検出及び取得するステップと、
プロトコル指定のＭ個の第２の参照信号スクランブリングコード識別情報（ＩＤ）に従って、Ｍ個のローカルの第２の参照信号シーケンスを生成するステップと、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するステップと、
を含んでよい。
【０２８６】
検出された第１の隣接セルの第２の参照信号シーケンスと、第１の隣接セルによって実際に用いられる第２の参照信号シーケンスと同じであるローカルのプロトコル指定の第１の参照信号シーケンスとの間で相関演算が実行されると、相関ピークが得られ、それから、第１の隣接セルによって実際に用いられる第２の参照信号シーケンスを決定することができる。第１の隣接セルの第２の参照信号スクランブリングコードＩＤは、第１の隣接セルによって実際に用いられる第２の参照信号シーケンスに従って計算することができる。
【０２８７】
任意に、補助情報が第１の隣接セルの第２の参照信号スクランブリングコードＩＤを含む場合、第１の隣接セルの第２の参照信号スクランブリングコードＩＤは、補助情報に従って直接取得されてよい。
【０２８８】
以下、ＬＴＥシステムを例に挙げて、第１の隣接セルの第２の参照信号と第１の隣接セルの第２の参照信号スクランブリングコードＩＤとの対応関係を説明する。
【０２８９】
例えば、ＬＴＥシステムでは、第２の参照信号の例としてNZP-CSI-RSを用い、実施形態１の数式１及び数式２に基づいてNZP-CSI-RSシーケンスが生成される。
【０２９０】
数式２及び数式３から分かるように、第１の隣接セルの第２の参照信号シーケンスと第１の隣接セルの第２の参照信号スクランブリングコードＩＤとには、計算対応関係があり、一方に従って他方を計算及び取得することができる。
【０２９１】
留意すべきこととして、本発明の本実施形態は、ＬＴＥシステムのみを説明上の例として用いている。第１の隣接セルの第２の参照信号シーケンスと第１の隣接セルの第２の参照信号スクランブリングコードＩＤとの具体的な対応関係は、実際の要件に従って決定されてよく、本発明では具体的に限定されない。
【０２９２】
更に、図７を参照して、本方法は更に以下の要素を含んでよい。
【０２９３】
６０４：第１の隣接セルの第２の参照信号のリソース情報に従って、第１の隣接セルが探索されたか否かを判定する。
【０２９４】
補助情報に含まれる内容の違いに応じて、ステップ６０４では、以下の２つの方式を用いて、第１の隣接セルが探索されたか否かが判定される。
【０２９５】
第１の方式：補助情報が第１の隣接セルの第２の参照信号スクランブリングコードＩＤを含まないとき、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
プロトコル指定のＭ個の第２の参照信号スクランブリングコードＩＤに従って、Ｍ個のローカルの第２の参照信号シーケンスを生成し、
検出された第１の隣接セルの第２の参照信号シーケンスとＭ個のローカルの第２の参照信号シーケンスの各々との相関演算を実行して、Ｍ個の相関値を取得する。
既定の探索条件よりも大きい第２の相関値が存在する場合、第１の隣接セルが探索される。第２の相関値は、検出された第１の隣接セルの第２の参照信号とＭ個のローカルの第２の参照信号シーケンスの各々との相関演算を実行することによって取得されたＭ個の相関値のうち任意の１つである。
【０２９６】
第２の方式：補助情報が第１の隣接セルの第２の参照信号スクランブリングコードＩＤを含むとき、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
第１の隣接セルの第２の参照信号スクランブリングコードＩＤに従って、第１の隣接セルのローカルの第２の参照信号シーケンスを生成し、
検出された第１の隣接セルの第２の参照信号と第１の隣接セルのローカルの第２の参照信号シーケンスとの相関演算を実行して、第４の相関値を取得する。
第４の相関値が既定の探索条件よりも大きい場合、第１の隣接セルが探索される。
【０２９７】
既定の探索条件は、第１の隣接セルの信号強度の決定に用いられる閾値である。検出及び取得された第１の隣接セルの第２の参照信号シーケンスと任意のローカルのプロトコル指定の第２の参照信号シーケンスとの相関値が既定の探索条件よりも大きい場合、第１の隣接セルの信号強度が十分であることが示され、第１の隣接セルが探索される。検出及び取得された第１の隣接セルの第２の参照信号シーケンスと全てのローカルのプロトコル指定の第２の参照信号シーケンスとの相関値が既定の探索条件よりも小さい場合、第１の隣接セルの信号強度が不十分であることが示され、第１の隣接セルは探索されない。
【０２９８】
留意すべきこととして、既定の探索条件は実際の要件に従って決定されてよく、本発明では具体的に限定されない。
【０２９９】
留意すべきこととして、ステップ６０３において第１の隣接セルのセルＩＤ又は仮想ＩＤを取得するステップが実行されるのは、ステップ６０２でＵＥが第１の隣接セルと同期された後であってよく、或いは、ＵＥが第１の隣接セルと同期されステップ６０４で第１の隣接セルが探索されると判定された後であってよく、本発明では具体的に限定されない。
【０３００】
更に、補助情報は更に、第１の隣接セルのセルＩＤ及び第１の隣接セルの第１の参照信号ＩＤを含んでよい。
【０３０１】
更に、第１の隣接セルの第１の参照信号及び第２の参照信号の送信リソース位置には対応関係が存在する。第１の隣接セルの第１の参照信号及び第２の参照信号の送信リソース位置の対応関係の違いに応じて、ＵＥは、補助情報に従って第１の隣接セルの第１の参照信号を検出する。これには、以下の３つのケースが含まれ得る。
【０３０２】
第１のケース：第１の隣接セルの第１の参照信号と第１の隣接セルの第２の参照信号とが１つのサブフレームで送信される場合、ＵＥが、第１の隣接セルの第２の参照信号のリソース情報において指示されるサブフレームで、第１の隣接セルの第１の参照信号を検出する。
【０３０３】
第２のケース：第１の隣接セルの第１の参照信号が、第１の隣接セルの第２の参照信号の前又は後のＮ番目のサブフレーム０又はサブフレーム５で送信される場合、ＵＥが、第１の隣接セルの第２の参照信号のリソース情報において指示されるサブフレームの前又は後のサブフレーム０又はサブフレーム５で、第１の隣接セルの第１の参照信号を検出する。Ｎは１以上である。
【０３０４】
Ｎは実際の状況に従って決定されてよく、本発明では具体的に限定されない。
【０３０５】
第３のケース：第１の隣接セルの第１の参照信号が、第１の隣接セルの第２の参照信号の前又は後のＰ番目のサブフレームで送信される場合、補助情報は更に、第１の隣接セルの第１の参照信号と第１の隣接セルの第２の参照信号との間のサブフレームオフセットＰを含む。ＵＥは、第１の隣接セルの第２の参照信号のリソース情報において指示されるサブフレームの前又は後のＰ番目のサブフレームで、第１の隣接セルの第１の参照信号を検出する。Ｐは１以上である。Ｐは１以上である。
【０３０６】
第１の隣接セルの第１の参照信号と第１の隣接セルの第２の参照信号との間のサブフレームオフセットＰは実際の状況に従って決定されてよく、本発明では具体的に限定されない。
【０３０７】
更に、図７を参照して、本方法は更に以下の要素を含んでよい。
【０３０８】
６０５：第１の隣接セルの第２の参照信号のリソース情報に従って、第１の隣接セルの第２の参照信号の送信リソース位置で、第１の隣接セルのＲＲＭ測定を実行して、メトリックを取得する。メトリックは、ＲＳＲＰ、ＲＳＳＩ及びＲＳＲＱのうち少なくとも１つを含んでよい。
【０３０９】
更に、補助情報は更に、第１の隣接セルの測定リソース１のリソース情報を含んでよい。第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報と、のうち少なくとも１つを含んでよい。
【０３１０】
第１の隣接セルの測定リソース１のリソース構成は、第１の隣接セルの測定リソース１に用いられる、通信システムリソースのリソースの位置を指す。ＬＴＥでは、時間上１つのスロットを持続し周波数の１２個のサブキャリアを含む時間周波数リソースが、リソースブロックと呼ばれ、時間上１つのＯＦＤＭシンボルを持続し周波数の１個のサブキャリアを含む時間周波数リソースが、ＲＥと呼ばれる。LTEプロトコルでは、ＲＥが最小の時間周波数単位である。第１の隣接セルの第２の参照信号のリソース構成は、通信システムリソースのうちどのＲＥで第１の隣接セルの第２の参照信号が送信されるのかを示すのに用いられる。ＵＥは、第１の隣接セルの測定リソース１のリソース構成に従って、どのＵＥで第１の隣接セルの測定リソース１が検出されるのかを知ることができる。
【０３１１】
第１の隣接セルの測定リソース１のためのアンテナポートの数は、第１の隣接セルにおいて、測定リソース１を送信するために用いられるアンテナポートの数を示すのに用いられる。通信システムでは、測定リソース１のためのアンテナポートの数を構成することができる。基地局は、１つのアンテナポートで測定リソース１を送信してよく、或いは、複数のアンテナポートで測定リソース１を送信してよい。ＵＥは、第１の隣接セルの測定リソース１のアンテナポートの数とリソースのシリアル番号とに従って、第１の隣接セルの測定リソース１を正確に検出することができる。
【０３１２】
第１の隣接セルの測定リソース１のサブフレーム情報は、第１の隣接セルの測定リソース１の送信周期と送信サブフレームの位置である。測定リソース１は周期的に基地局によって送信されるので、送信周期を構成することができる。ＵＥは、サブフレーム情報を用いて、第１の隣接セルの測定リソース１を正確に検出することができる。
【０３１３】
好ましくは、第１の隣接セルの測定リソース１は、第１の隣接セルのZP-CSI-RSである。
【０３１４】
更に、補助情報が更に第１の隣接セルの測定リソース１のリソース情報を含むとき、ステップ６０４は、具体的には、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得するステップと、
第１の隣接セルの測定リソース１のリソース情報に従って、第１の隣接セルの測定リソース１の送信リソース位置で、第１の隣接セルの無線リソース管理（ＲＲＭ）測定を実行して、メトリックのＲＳＳＩを取得するステップと、
ＲＳＲＰ及びＲＳＳＩに従ってＲＳＲＱを取得するステップと、
を含んでよい。
【０３１５】
留意すべきこととして、第１の隣接セルは、ＵＥのサービング基地局の任意の隣接セルである。したがって、ＵＥがセル探索を実行するプロセスでは、全ての隣接セルに対して同じ処理が行われる。本発明の実施形態は、第１の隣接セルのみを例として説明されたが、別の隣接セルにも同じ処理方法が用いられるので、説明を省略する。
【０３１６】
本発明の本実施形態は、セル探索方法を提供する。ＵＥが補助情報を受信する。補助情報は第１の隣接セルの第２の参照信号のリソース情報を含み、第１の隣接セルはＵＥのサービング基地局の任意の隣接セルである。ＵＥが、補助情報に従って第１の隣接セルの第１の参照信号を検出して、ＵＥを第１の隣接セルと同期させる。ＵＥが、補助情報に従って、第１の隣接セルの第１の参照信号、又は第１の隣接セルの第２の参照信号、又は第１の隣接セルの第１の参照信号及び第２の参照信号を検出して、第１の隣接セルのセル識別情報ＩＤ又は仮想ＩＤを取得する。スモールセルが密に配置されたシナリオにおいて正確なセル探索が実現され、スモールセルが密に配置されたシナリオでのセル探索について干渉が強いという従来技術の欠点が解決される。
【０３１７】
実施形態５
本発明の実施形態５はセル探索方法を提供する。図８を参照して、本方法は以下の要素を含んでよい。
【０３１８】
８０１：第１の隣接セルの第１の参照信号の送信パラメータと、第１の隣接セルの第２の参照信号の送信パラメータとを取得する。
【０３１９】
第１の隣接セルの第２の参照信号は、第１の隣接セルのNZP-CSI-RS、又は、第１の隣接セルの準NZP-CSI-RSであってよい。準NZP-CSI-RSを生成するためのスクランブリングコードＩＤは、NZP-CSI-RSを生成するためのスクランブリングコードＩＤと異なる。
【０３２０】
第１の隣接セルの第１の参照信号は、第１の隣接セルのＰＳＳ、又は、第１の隣接セルの準ＰＳＳである。準ＰＳＳを生成するためのルートシーケンス番号は、ＰＳＳを生成するためのルートシーケンス番号と異なる。
【０３２１】
留意すべきこととして、第１の隣接セルの第１の参照信号の送信パラメータと第１の隣接セルの第２の参照信号の送信パラメータの取得に関して、基地局に配置されている場合には直接読取り及び取得することができる。或いは、第１の隣接セルの第１の参照信号の送信パラメータと第１の隣接セルの第２の参照信号の送信パラメータが第１の隣接セルに対応する基地局によって送信される場合は、受信によって取得することができる。本発明は、第１の隣接セルの第１の参照信号の送信パラメータと第１の隣接セルの第２の参照信号の送信パラメータがどのように取得されるかを具体的に限定しない。
【０３２２】
第１の隣接セルの第１の参照信号の送信パラメータは、第１の隣接セルの第１の参照信号ＩＤを含んでよい。当然ながら、具体的には実際の要件に従って決められるような別の送信パラメータが含まれてもよく、本発明では具体的に限定されない。
【０３２３】
第１の隣接セルの第２の参照信号の送信パラメータは、第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含んでよい。当然ながら、第１の隣接セルの第２の参照信号スクランブリングコードＩＤ等の、別の送信パラメータが含まれてよい。第１の隣接セルの第２の参照信号の送信パラメータは、具体的には、実際の要件に従って決定されてよく、本発明では具体的に限定されない。
【０３２４】
８０２：第１の隣接セルの第１の参照信号の送信パラメータと、第１の隣接セルの第２の参照信号の送信パラメータとに従って、補助情報を生成する。補助情報は、第１の隣接セルの第２の参照信号のリソース情報を含む。
【０３２５】
第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含む。
【０３２６】
更に、補助情報は更に、第１の隣接セルのセル識別情報（ＩＤ）及び第１の隣接セルの第１の参照信号ＩＤを含んでよい。
【０３２７】
更に、補助情報は更に、第１の隣接セルの第２の参照信号スクランブリングコードＩＤを含んでよい。
【０３２８】
更に、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含んでよい。Ｐは１以上である。
【０３２９】
留意すべきこととして、第１の隣接セルの第１の参照信号と第１の隣接セルの第２の参照信号との間のサブフレームオフセットＰは、実際の要件に従って決定されてよく、本発明では限定されない。
【０３３０】
８０３：セル内のユーザイクイップメント（ＵＥ）がセル探索を実行するように、補助情報をＵＥに送信する。
【０３３１】
本発明の本実施形態は、セル探索方法を提供する。ＵＥがセル探索を実行するように、補助情報が送信される。補助情報は第１の隣接セルの第２の参照信号のリソース情報を含み、第１の隣接セルはＵＥのサービング基地局の任意の隣接セルである。スモールセルが密に配置されたシナリオにおいて正確なセル探索が実現され、スモールセルが密に配置されたシナリオでのセル探索について干渉が強いという従来技術の欠点が解決される。
【０３３２】
実施形態６
本発明の実施形態６はセル探索方法を提供する。図９を参照して、本方法は以下の要素を含んでよい。
【０３３３】
９０１：第１の隣接セルの第１の参照信号及び第２の参照信号を送信する。第１の参照信号は、ＵＥがセルに同期する際に用いられ、第２の参照信号は、ＵＥがセル探索及び無線リソース管理（ＲＲＭ）測定を実行する際に用いられる。
【０３３４】
任意に、第１の隣接セルの第２の参照信号は、第１の隣接セルのNZP-CSI-RS、又は、第１の隣接セルの準NZP-CSI-RSであってよい。
【０３３５】
準NZP-CSI-RSを生成するためのスクランブリングコードＩＤは、NZP-CSI-RSを生成するためのスクランブリングコードＩＤと異なる。
【０３３６】
任意に、第１の隣接セルの第１の参照信号は、第１の隣接セルのＰＳＳ、又は、第１の隣接セルの準ＰＳＳであってよい。
【０３３７】
準ＰＳＳを生成するためのルートシーケンス番号は、ＰＳＳを生成するためのルートシーケンス番号と異なる。
【０３３８】
更に、図１０Ａを参照して、本方法は更に以下の要素を含んでよい。
【０３３９】
９０２：第１の隣接セルの第２の参照信号をリソースにマッピングする。
【０３４０】
具体的には、第１の隣接セルの第２の参照信号をリソースにマッピングするステップは、
第１の隣接セルの第２の参照信号が１つのアンテナポートを介して伝送されるとき、各リソースブロックにおいて、第１の隣接セルの第２の参照信号を４つのリソースにマッピングするステップ、又は、
第１の隣接セルの第２の参照信号が１つのアンテナポートを介して伝送されるとき、各リソースブロックにおいて、第１の隣接セルの第２の参照信号を８つのリソースエレメントにマッピングするステップ、又は、
第１の隣接セルの第２の参照信号が２つのアンテナポートを介して伝送されるとき、各リソースブロックにおいて、第１の隣接セルの第２の参照信号を４つのリソースエレメントにマッピングするステップ、又は、
第１の隣接セルの第２の参照信号が２つのアンテナポートを介して伝送されるとき、各リソースブロックにおいて、第１の隣接セルの第２の参照信号を８つのリソースエレメントにマッピングするステップ、
を含んでよい。
【０３４１】
任意に、第１の隣接セルの第２の参照信号のシークエンス長は、最大システム帯域幅に含まれるリソースブロックの数のＱ倍である。Ｑは１より大きい正の整数である。
【０３４２】
数式２から分かるように、第１の隣接セルの第２の参照信号のシーケンス長は、最大システム帯域幅
【数１０】
2017510141.tif 000013
に含まれるリソースブロックの数に依存する。第１の隣接セルの第２の参照信号が２Ｑ個のリソースにマッピングされる場合、第１の隣接セルの第２の参照信号のシーケンス長は、最大システム帯域幅に含まれるリソースブロックの数のＱ倍である。
【０３４３】
更に、第１の隣接セルの第１の参照信号及び第２の参照信号を送信する前に、図１０Ａを参照して、本方法は更に以下の要素を含んでよい。
【０３４４】
９０３：第１の隣接セルのセルＩＤと第１の隣接セルの構成されたリソースの数とに従って、第１の隣接セルの第２の参照信号の送信リソース位置を決定する。
【０３４５】
任意に、第１の隣接セルの第２の参照信号の送信リソース位置は、以下の３つの方式を用いて、第１の隣接セルのセルＩＤと第１の隣接セルの構成されたリソースの数とに従って、決定されてよい。
【０３４６】
第１の方式：
【０３４７】
第１の隣接セルのＰＳＳ  ＩＤに従って、第１の隣接セルの第２の参照信号の送信リソース位置を計算する。
【０３４８】
第１の隣接セルに関しては、第１の隣接セルのＰＳＳ  ＩＤが知られており、第１の隣接セルのＰＳＳ  ＩＤに従って、第１の隣接セルの第２の参照信号の送信リソース位置を計算することができる。
【０３４９】
好ましくは、第１の隣接セルのＰＳＳ  ＩＤに従って、第１の隣接セルの構成されたリソースの数についてモジュロ演算を実行し、第１の隣接セルの第２の参照信号の送信リソース位置を決定する。
【０３５０】
当然ながら、第１の隣接セルのＰＳＳ  ＩＤに従って、第１の隣接セルの構成されたリソースの数について別の演算を実行して、第１の隣接セルの第２の参照信号の送信リソース位置を決定してよい。具体的な計算方式の選択は実際の要件に従って決定されてよく、本発明では具体的に限定されない。
【０３５１】
例えば、第１の隣接セルの例としてセルＩＤが９３である隣接セルを用い、第１の隣接セルのために３個のリソースを構成する。
【０３５２】
以下の数式
【数１１】
2017510141.tif 000014
に従って、セルＩＤ
【数１２】
2017510141.tif 000015
を分割して、第１の隣接セルのＰＳＳ  ＩＤ
【数１３】
2017510141.tif 000016
を取得する。
【数１４】
2017510141.tif 000017
は、計算によって得られる。
【０３５３】
第１の隣接セルの構成されたリソースの数について、
【数１５】
2017510141.tif 000018
に従って、モジュロ演算を実行する。すなわち、
【数１６】
2017510141.tif 000019
である。ｍｏｄはモジュロ演算子である。
【０３５４】
したがって、セルＩＤが９３である第１の隣接セルの第２の参照信号はリソース０上で伝送することができる。
【０３５５】
第２の方式：
【０３５６】
第１の隣接セルのＳＳＳ  ＩＤに従って、第１の隣接セルの第２の参照信号の送信リソース位置を計算する。
【０３５７】
第１の隣接セルに関しては、第１の隣接セルのＳＳＳ  ＩＤが知られており、第１の隣接セルのＳＳＳ  ＩＤに従って、第１の隣接セルの第２の参照信号の送信リソース位置を計算することができる。
【０３５８】
好ましくは、第１の隣接セルのＳＳＳ  ＩＤに従って、第１の隣接セルの構成されたリソースの数についてモジュロ演算  が実行されて、第１の隣接セルの第２の参照信号の送信リソース位置が決定される。
【０３５９】
当然ながら、第１の隣接セルのＳＳＳ  ＩＤに従って、第１の隣接セルの構成されたリソースの数について別の演算を実行して、第１の隣接セルの第２の参照信号の送信リソース位置を決定してよい。具体的な計算方式の選択は、実際の要件に従って決定されてよく、本発明では具体的に限定されない。
【０３６０】
例えば、第１の隣接セルの例としてセルＩＤが９３である隣接セルを用い、第１の隣接セルのために８個のリソースを構成する。
【０３６１】
以下の数式
【数１７】
2017510141.tif 000020
に従って、セルＩＤ
【数１８】
2017510141.tif 000021
を分割して、第１の隣接セルのSSS  ID
【数１９】
2017510141.tif 000022
を取得する。
【数２０】
2017510141.tif 000023
は、計算によって得られる。
【０３６２】
第１の隣接セルの構成されたリソースの数について、
【数２１】
2017510141.tif 000024
に従って、モジュロ演算を実行する。すなわち、
【数２２】
2017510141.tif 000025
である。
【０３６３】
したがって、セルＩＤが９３である第１の隣接セルの第２の参照信号はリソース７上で伝送することができる。
【０３６４】
第３の方式：
【０３６５】
第１の隣接セルのＰＳＳ  ＩＤに従って、第１の隣接セルの第２の参照信号の送信リソースセットを決定し、第１の隣接セルのＳＳＳ  ＩＤに従って、第１の隣接セルの第２の参照信号の、送信リソースセットにおける送信リソース位置を決定する。第１の隣接セルの構成されるリソースはＳ個のリソースセットである、各リソースセットはＴ個のリソースを含む。
【０３６６】
第１の隣接セルに関しては、第１の隣接セルのＰＳＳ  ＩＤ及びＳＳＳ  ＩＤが知られており、第１の隣接セルのＰＳＳ  ＩＤ及びＳＳＳ  ＩＤに従って、第１の隣接セルの第２の参照信号の送信リソース位置を計算することができる。
【０３６７】
好ましくは、第１の隣接セルのＰＳＳ  ＩＤに従って、第１の隣接セルの構成されたリソースセットについてモジュロ演算が実行されて、第１の隣接セルの第２の参照信号の送信リソースセットが決定される。また、第１の隣接セルのＳＳＳ  ＩＤに従って、第１の隣接セルの構成されたリソースセットに含まれるリソースの数についてモジュロ演算が実行されて、第１の隣接セルの第２の参照信号の送信リソースセットにおける送信リソース位置が決定される。
【０３６８】
当然ながら、第１の隣接セルのＳＳＳ  ＩＤに従って、第１の隣接セルの構成されたリソースセットの数について別の演算が実行されて、第１の隣接セルの第２の参照信号の送信リソースセットが決定されてよい。また、第１の隣接セルのＳＳＳ  ＩＤに従って、第１の隣接セルの構成されたリソースセットに含まれるリソースの数について別の演算が実行されて、第１の隣接セルの第２の参照信号の送信リソースセットにおける送信リソース位置が決定されてよい。具体的な計算方式の選択は実際の要件に従って決定されてよく、本発明では具体的に限定されない。
【０３６９】
例えば、第１の隣接セルとしてセルＩＤが９３である隣接セルを用い、第１の隣接セルのために３個のリソースセットが構成され、各リソースセットは８個のリソースを含む。
【０３７０】
以下の数式
【数２３】
2017510141.tif 000026
に従って、セルＩＤ
【数２４】
2017510141.tif 000027
を分割して、第１の隣接セルのＳＳＳ  ＩＤ
【数２５】
2017510141.tif 000028
及びＰＳＳ  ＩＤ
【数２６】
2017510141.tif 000029
を取得する。
【数２７】
2017510141.tif 000030
及び
【数２８】
2017510141.tif 000031
は、計算によって得られる。
【０３７１】
第１の隣接セルの構成されたリソースセットの数について、
【数２９】
2017510141.tif 000032
に従って、モジュロ演算を実行する。すなわち、
【数３０】
2017510141.tif 000033
である。
【０３７２】
第１の隣接セルの構成されたリソースセットに含まれるリソースの数について、
【数３１】
2017510141.tif 000034
に従って、モジュロ演算を実行する。すなわち、
【数３２】
2017510141.tif 000035
である。
【０３７３】
したがって、セルＩＤが９３である第１の隣接セルの第２の参照信号は、リソースセット０のリソース７で伝送することができる。
【０３７４】
更に、プロトコル規定の違いに応じて、ステップ９０１では、第１の参照信号及び第２の参照信号の送信リソース位置について、具体的には以下の３つのケースが含まれてよい。
【０３７５】
第１のケース：第１の隣接セルの第１の参照信号及び第１の隣接セルの第２の参照信号が、１つのサブフレームで送信される。
【０３７６】
例えば、図１０Ｂを参照して、第１の参照信号と第２の参照信号は両方ともサブフレーム０で送信される。
【０３７７】
第２のケース：第１の隣接セルの第１の参照信号が、第１の隣接セルの第２の参照信号の前又は後のＮ番目のサブフレーム０又はサブフレーム５で送信される。
【０３７８】
例えば、プロトコルに規定されるように、第１の参照信号は、第２の基準信号の前又は後の１つ目のサブフレーム０又はサブフレーム５で送信される。図１０Ｃを参照して、第２の参照信号の周期は８０ｍｓであり、初期サブフレームはサブフレーム２である。第２の参照信号は、無線フレーム０のサブフレーム２、無線フレーム８のサブフレーム２、及び無線フレーム１６のサブフレーム２で送信される。該プロトコルから分かるように、第１の参照信号は、無線フレーム０のサブフレーム０、無線フレーム８のサブフレーム０、及び無線フレーム１６のサブフレーム０で送信される。図１０Ｃは、１つの無線フレームのみの第１の参照信号及び第２の参照信号の送信位置を示す。
【０３７９】
第３のケース：第１の隣接セルの第１の参照信号が、第１の隣接セルの第２の参照信号の前又は後のＰ番目のサブフレームで送信される。
【０３８０】
例えば、プロトコルに規定されるように、第１の参照信号は、第２の参照信号の前の３番目のサブフレームで送信される。図１０Ｄを参照して、第２の参照信号の周期は８０ｍｓであり、初期サブフレームはサブフレーム９である。第２の参照信号は、サブフレーム９、サブフレーム８９及びサブフレーム１６９で送信される。該プロトコルから分かるように、第１の参照信号は、サブフレーム６、サブフレーム８６及びサブフレーム１６６で送信される。図１０Ｄは、１つの無線フレームのみの第１の参照信号及び第２の参照信号の送信位置を示す。
【０３８１】
留意すべきこととして、第１の参照信号及び第２の参照信号の送信リソース位置は、実際の要件に従って決定されてよく、本発明では具体的に限定されない。
【０３８２】
更に、図１０Ａを参照して、本方法は更に以下の要素を含んでよい。
【０３８３】
９０４：第１の隣接セルの全ての隣接セルのユーザイクイップメント（ＵＥ）がセル探索を実行するように、第１の隣接セルの第１の参照信号の送信パラメータと第１の隣接セルの第２の参照信号の送信パラメータとを、第１の隣接セルの全ての隣接セルに送信する。
【０３８４】
更に、図１０Ａを参照して、第１の隣接セルに対応する基地局がオフ状態であるとき、本方法は更に以下の要素を含んでよい。
【０３８５】
９０５：既定の周期に従って、第１の隣接セルの第１の参照信号及び第２の参照信号を周期的に送信する。
【０３８６】
既定の周期は、実際の要件に従って決定されてよい。本発明では、既定の周期の具体的な内容は、具体的には指定されない。既定の周期が短いほど、ＵＥによって実行されるセル探索の精度が高くなり、既定の周期が長くなるほど、基地局の省エネの結果が明らかなものになる。
【０３８７】
従来技術では、節電と干渉低減を考慮して、基地局がスモールセルのオン／オフ機能を有する場合がある。すなわち、セル内でサービスが必要とされないときは基地局をオフにし、ユーザが基地局の近くに移動するときは基地局をオンにすることができる。第１の隣接セルの基地局が第１の隣接セルの第１の参照信号及び第２の参照信号を送信することができる場合、セル探索を行う際に、ＵＥは、オフ状態にあるセルを探索し、オフ状態にあるセルの測定を行うこともできる。オフ状態にある探索されたセルの性能が非常に良好である場合、ＵＥがより良いサービスを得られるように、ネットワークを用いてオフ状態にある基地局をオンにすることができる。
【０３８８】
本発明の本実施形態はセル探索方法を提供する。ＵＥがセル探索を実行するように、第１の隣接セルの第１の参照信号及び第２の参照信号が送信される。第１の参照信号は、ＵＥがセルと同期する際に用いられ、第２の参照信号は、ＵＥがセル探索及びＲＲＭ測定を実行する際に用いられる。スモールセルが密に配置されたシナリオにおいて正確なセル探索が実現され、スモールセルが密に配置されたシナリオでのセル探索について干渉が強いという従来技術の欠点が解決される。
【０３８９】
実施形態７
本発明の実施形態７はユーザイクイップメント１０を提供する。図１１を参照して、ユーザイクイップメント１０は、
少なくとも１つプロセッサ１１０１と、メモリ１１０２と、プロセッサ１１０１、メモリ１１０２及び図示されていない別のモジュールの間の接続並びに相互通信を実現すように構成される少なくとも１つの通信バス１１０３と、受信器１１０４と、
を備えてよい。
【０３９０】
通信バス１１０３は、業界標準アーキテクチャ（Industry  Standard  Architecture，略称ＩＳＡ）バス、周辺機器相互接続（Peripheral  Component，略称ＰＣＩ）バス、拡張業界標準アーキテクチャ（Extended  Industry  Standard  Architecture，略称ＥＩＳＡ）バス等であってよい。バス１１０３は、アドレスバス、データバス、コントロールバス等に分けることができる。表記を簡単にするために、バスは、図１１において１本の太線のみを用いて示されるが、１つのバス又は１種類のバスしかないことを示すものではない。
【０３９１】
メモリ１１０２は、ランダムアクセスメモリであってよく、命令及びデータをプロセッサ１１０１に提供してよい。メモリ１１０２の一部は更に不揮発性ランダムアクセスメモリ（ＮＶＲＡＭ）を含んでよい。メモリ１１０２は、分散ロック管理プロセスにおける分散ロック管理装置に含まれる全ての情報を記憶するように構成されてよい。
【０３９２】
プロセッサ１１０１は、中央処理装置（Central  Processing  Unit，略称ＣＰＵ）又は特定用途向け集積回路（Application  Specific  Integrated  Circuit，略称ＡＳＩＣ）であってよく、或いは、本発明の実施形態を実施する１以上の集積回路として構成される。
【０３９３】
受信器１１０４は、補助情報を受信するように構成される。補助情報は、第１の隣接セルの第２の参照信号のリソース情報を含んでよい。第１の隣接セルはＵＥのサービング基地局の任意の隣接セルである。
【０３９４】
プロセッサ１１０１は、受信された補助情報に従って第１の隣接セルの第１の参照信号を検出して、ＵＥを第１の隣接セルと同期させるように構成される。
【０３９５】
プロセッサ１１０１は更に、補助情報に従って、第１の隣接セルの第１の参照信号を検出するか、又は、第１の隣接セルの第２の参照信号を検出するか、又は、第１の隣接セルの第１の参照信号及び第２の参照信号を検出して、第１の隣接セルのセルＩＤ又は仮想ＩＤを取得するように構成される。
【０３９６】
任意に、第１の隣接セルの第２の参照信号は、第１の隣接セルのNZP-CSI-RS、又は、第１の隣接セルの準NZP-CSI-RSであってよい。
【０３９７】
準NZP-CSI-RSを生成するためのスクランブリングコードＩＤは、NZP-CSI-RSを生成するためのスクランブリングコードＩＤと異なる。
【０３９８】
任意に、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含んでよい。
【０３９９】
任意に、第１の隣接セルの第１の参照信号は、隣接セルのＰＳＳ、又は、第１の隣接セルの準ＰＳＳであってよい。
【０４００】
準ＰＳＳを生成するためのルートシーケンス番号は、ＰＳＳを生成するためのルートシーケンス番号と異なる。
【０４０１】
更に、第１の参照信号と第２の参照信号とは、準同配置される。
【０４０２】
更に、プロセッサ１１０１は、具体的には、
補助情報に従って、第１の隣接セルの第１の参照信号シーケンスを検出及び取得し、
第１の隣接セルの検出された第１の参照信号シーケンスとプロトコル指定のローカルの第１の参照信号シーケンスの各々との相関演算を実行して、複数の相関値を取得するように構成されてよい。
既定の閾値よりも大きい第１の相関値が存在する場合、ＵＥは第１の隣接セルと同期される。第１の相関値は、第１の隣接セルの検出された第１の参照信号シーケンスとプロトコル指定のローカルの第１の参照信号シーケンスの各々との相関演算を実行することによって取得された複数の相関値のうち任意の１つである。
【０４０３】
更に、プロセッサ１１０１は、具体的には、
第１の隣接セルの第２の参照信号のリソース情報に従って、第１の隣接セルの第１の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第１の参照信号ＩＤに従って、第１の隣接セルの仮想ＩＤを取得するか、若しくは、第１の隣接セルの第１の参照信号ＩＤと第１の隣接セルのセルＩＤとの対応関係に従って、第１の隣接セルのセルＩＤを取得するように構成されてよく、
又は、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤに従って、第１の隣接セルの仮想ＩＤを取得するか、若しくは、第１の隣接セルの第２の参照信号スクランブリングコードＩＤと第１の隣接セルのセルＩＤとの対応関係に従って、第１の隣接セルのセルＩＤを取得するように構成されてよく、
又は
第１の隣接セルの第２の参照信号のリソース情報に従って、第１の隣接セルの第１の参照信号及び第２の参照信号の実際の送信リソース位置を取得し、
第１の隣接セルの第１の参照信号の実際の送信リソース位置で、第１の隣接セルの第１の参照信号を検出及び取得して、第１の隣接セルの第１の参照信号ＩＤを取得し、
第１の隣接セルの第２の参照信号の実際の送信リソース位置で、第１の隣接セルの第２の参照信号を検出及び取得して、第１の隣接セルの第２の参照信号スクランブリングコードＩＤを取得し、
第１の隣接セルの第２の参照信号スクランブリングコードＩＤと、第１の隣接セルの第１の参照信号ＩＤと、セルＩＤとの対応関係に従って、第１の隣接セルのセルＩＤを取得するように構成されてよい。
【０４０４】
更に、プロセッサ１１０１が、第１の隣接セルの第１の参照信号の実際の送信リソース位置で、第１の隣接セルの第１の参照信号を検出及び取得して、第１の隣接セルの第１の参照信号ＩＤを取得するステップは、
第１の隣接セルの第１の参照信号の実際の送信リソース位置で、第１の隣接セルの第１の参照信号シーケンスを検出及び取得するステップと、
第１の隣接セルの検出された第１の参照信号シーケンスとプロトコル指定のローカルの第１の参照信号シーケンスの各々との相関演算を実行して、第１の隣接セルの第１の参照信号ＩＤを取得するステップと、
を含んでよい。
【０４０５】
更に、プロセッサ１１０１が、第１の隣接セルの第２の参照信号の実際の送信リソース位置で、第１の隣接セルの第２の参照信号を検出及び取得して、第１の隣接セルの第２の参照信号スクランブリングコードＩＤを取得するステップは、
第１の隣接セルの第２の参照信号の実際の送信リソース位置で、第１の隣接セルの第２の参照信号シーケンスを検出及び取得するステップと、
プロトコル指定のＭ個の第２の参照信号スクランブリングコード識別情報（ＩＤ）に従って、Ｍ個のローカルの第２の参照信号シーケンスを生成するステップと、
検出された第１の隣接セルの第２の参照信号シーケンスとＭ個のローカルの第２の参照信号シーケンスの各々との相関演算を実行して、第１の隣接セルの第２の参照信号スクランブリングコードＩＤを取得するステップと、
を含んでよい。
【０４０６】
更に、プロセッサ１１０１は更に、
第１の隣接セルの第２の参照信号のリソース情報に従って、第１の隣接セルが探索されたか否かを判定するように構成されてよい。
【０４０７】
更に、プロセッサ１１０１が第１の隣接セルが探索されたか否かを判定するステップは、具体的には、
第１の隣接セルの第２の参照信号のリソース情報に従って、第１の隣接セルの第２の参照信号の実際の送信リソース位置を取得するステップと、
第１の隣接セルの第２の参照信号の実際の送信リソース位置で、第１の隣接セルの第２の参照信号を検出及び取得するステップと、
プロトコル指定のＭ個の第２の参照信号スクランブリングコードＩＤに従って、Ｍ個のローカルの第２の参照信号シーケンスを生成するステップと、
検出された第１の隣接セルの第２の参照信号とＭ個のローカルの第２の参照信号シーケンスの各々との相関演算を実行して、Ｍ個の相関値を取得するステップと、
を含んでよい。
既定の探索条件よりも大きい第２の相関値が存在する場合、第１の隣接セルが探索される。第２の相関値は、検出された第１の隣接セルの第２の参照信号とＭ個のローカルの第２の参照信号シーケンスの各々との相関演算を実行することによって取得されたＭ個の相関値のうち任意の１つである。
【０４０８】
更に、補助情報は更に、第１の隣接セルのセルＩＤ及び第１の隣接セルの第１の参照信号ＩＤを含んでよい。
【０４０９】
対応して、プロセッサ１１０１は、具体的には、更に、
補助情報に従って、第１の隣接セルの第１の参照信号シーケンスを検出及び取得し、
第１の隣接セルの第１の参照信号ＩＤに従って、第１の隣接セルのローカルの第１の参照信号シーケンスを生成し、
第１の隣接セルの検出された第１の参照信号シーケンスと第１の隣接セルのローカルの第１の参照信号シーケンスとの相関演算を実行して、第３の相関値を取得するように構成されてよい。
第３の相関値が既定の閾値よりも大きい場合、ＵＥは第１の隣接セルと同期される。
【０４１０】
更に、補助情報は更に、第１の隣接セルの第２の参照信号スクランブリングコードＩＤを含んでよい。
【０４１１】
対応して、プロセッサ１１０１は、具体的には、更に、
第１の隣接セルの第２の参照信号のリソース情報に従って、第１の隣接セルの第２の参照信号の実際の送信リソース位置を取得し、
第１の隣接セルの第２の参照信号の実際の送信リソース位置で、第１の隣接セルの第２の参照信号シーケンスを検出及び取得し、
第１の隣接セルの第２の参照信号スクランブリングコードＩＤに従って、第１の隣接セルのローカルの第２の参照信号シーケンスを生成し、
検出された第１の隣接セルの第２の参照信号と第１の隣接セルのローカルの第２の参照信号シーケンスとの相関演算を実行して、第４の相関値を取得するように構成されてよい。
第４の相関値が既定の探索条件よりも大きい場合、第１の隣接セルが探索される。
【０４１２】
任意に、プロセッサは、具体的には、更に、：
第１の隣接セルの第１の参照信号と第１の隣接セルの第２の参照信号とが１つのサブフレームで送信される場合、第１の隣接セルの第２の参照信号のリソース情報において指示されるサブフレームで、第１の隣接セルの第１の参照信号を検出するように構成されてよく、
又は、
第１の隣接セルの第１の参照信号が、第１の隣接セルの第２の参照信号の前又は後のＮ番目のサブフレーム０又はサブフレーム５で送信される場合、第１の隣接セルの第２の参照信号のリソース情報において指示されるサブフレームの前又は後のサブフレーム０又はサブフレーム５で、第１の隣接セルの第１の参照信号を検出するように構成されてよく、Ｎは１以上であり、
又は、
第１の隣接セルの第１の参照信号が、第１の隣接セルの第２の参照信号の前又は後のＰ番目のサブフレームで送信される場合、第１の隣接セルの第２の参照信号のリソース情報において指示されるサブフレームの前又は後のＰ番目のサブフレームで、第１の隣接セルの第１の参照信号を検出するように構成されてよく、補助情報は更に、第１の隣接セルの第１の参照信号と第１の隣接セルの第２の参照信号との間のサブフレームオフセットＰを含んでよく、Ｐは１以上である。
【０４１３】
更に、プロセッサ１１０１は、更に、
第１の隣接セルの第２の参照信号のリソース情報に従って、第１の隣接セルの第２の参照信号の送信リソース位置で、第１の隣接セルのＲＲＭ測定を実行して、メトリックを取得するように構成されてよい。メトリックは、ＲＳＲＰ、ＲＳＳＩ及びＲＳＲＱのうち少なくとも１つを含んでよい。
【０４１４】
更に、補助情報は更に、第１の隣接セルの測定リソース１のリソース情報を含んでよい。第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報とのうち、少なくとも１つを含んでよい。
【０４１５】
好ましくは、第１の隣接セルの測定リソース１は、第１の隣接セルのZP-CSI-RSであってよい。
更に、プロセッサ１１０１は、具体的には、更に、
第１の隣接セルの第２の参照信号のリソース情報に従って、第１の隣接セルの第２の参照信号の送信リソース位置で、第１の隣接セルのＲＲＭ測定を実行して、メトリックのＲＳＲＰを取得し、
第１の隣接セルの測定リソース１のリソース情報に従って、第１の隣接セルの測定リソース１の送信リソース位置で、第１の隣接セルのＲＲＭ測定を実行して、メトリックのＲＳＳＩを取得し、
ＲＳＲＰ及びＲＳＳＩに従ってＲＳＲＱを取得するように構成されてよい。
【０４１６】
本発明の本実施形態はユーザイクイップメント１０を提供する。ユーザイクイップメント１０は補助情報を受信する。補助情報は第１の隣接セルの第２の参照信号のリソース情報を含み、第１の隣接セルはＵＥのサービング基地局の任意の隣接セルである。また、ユーザイクイップメント１０は、補助情報に従って第１の隣接セルの第１の参照信号を検出して、ＵＥを第１の隣接セルと同期させ、補助情報に従って、第１の隣接セルの第１の参照信号を検出するか、又は、第１の隣接セルの第２の参照信号を検出するか、又は、第１の隣接セルの第１の参照信号及び第２の参照信号を検出して、第１の隣接セルのセル識別情報ＩＤ又は仮想ＩＤを取得する。スモールセルが密に配置されたシナリオにおいて正確なセル探索が実現され、スモールセルが密に配置されたシナリオでのセル探索について干渉が強いという従来技術の欠点が解決される。
【０４１７】
実施形態８
本発明の実施形態８は基地局２０を提供する。基地局２０は、ＵＥのサービング基地局である。図１２を参照して、基地局２０は、
少なくとも１つのプロセッサ１２０１と、メモリ１２０２と、プロセッサ１２０１、メモリ１２０２及び図示されていない別のモジュールの間の接続並びに相互通信を実現すように構成される少なくとも１つの通信バス１２０３と、送信器１２０４と、
を備えてよい。
【０４１８】
通信バス1203は、業界標準アーキテクチャ（Industry  Standard  Architecture，略称ＩＳＡ）バス、周辺機器相互接続（Peripheral  Component，略称ＰＣＩ）バス、拡張業界標準アーキテクチャ（Extended  Industry  Standard  Architecture，略称ＥＩＳＡ）バス等であってよい。バス1203は、アドレスバス、データバス、コントロールバス等に分けることができる。表記を簡単にするために、バスは、図１２において１本の太線のみを用いて示されるが、１つのバス又は１種類のバスしかないことを示すものではない。
【０４１９】
メモリ１２０２は、ランダムアクセスメモリであってよく、命令及びデータをプロセッサ１２０１に提供してよい。メモリ１２０２の一部は更に不揮発性ランダムアクセスメモリ（ＮＶＲＡＭ）を含んでよい。メモリ１２０２は、分散ロック管理プロセスにおける分散ロック管理装置に含まれる全ての情報を記憶するように構成されてよい。
【０４２０】
プロセッサ１２０１は、中央処理装置（Central  Processing  Unit，略称ＣＰＵ）又は特定用途向け集積回路（Application  Specific  Integrated  Circuit，略称ＡＳＩＣ）であってよく、或いは、本発明の実施形態を実施する１以上の集積回路として構成される。
【０４２１】
プロセッサ１２０１は、第１の隣接セルの第１の参照信号の送信パラメータと、第１の隣接セルの第２の参照信号の送信パラメータとを取得するように構成される。
【０４２２】
プロセッサ１２０１は更に、取得された第１の隣接セルの第１の参照信号の送信パラメータと、第１の隣接セルの第２の参照信号の送信パラメータとに従って、補助情報を生成するように構成される。補助情報は、第１の隣接セルの第２の参照信号のリソース情報を含む。
【０４２３】
送信器１２０４は、セル内のＵＥがセル探索を実行するように、生成された補助情報をＵＥに送信するように構成される。
【０４２４】
任意に、第１の隣接セルの第２の参照信号は、第１の隣接セルのNZP-CSI-RS、又は、第１の隣接セルの準NZP-CSI-RSであってよい。
【０４２５】
準NZP-CSI-RSを生成するためのスクランブリングコードＩＤは、NZP-CSI-RSを生成するためのスクランブリングコードＩＤと異なる。
【０４２６】
任意に、第１の隣接セルの第１の参照信号は、第１の隣接セルのＰＳＳ、又は、第１の隣接セルの準ＰＳＳである。
【０４２７】
準ＰＳＳを生成するためのルートシーケンス番号は、ＰＳＳを生成するためのルートシーケンス番号と異なる。
【０４２８】
任意に、第１の隣接セルの第２の参照信号のリソース情報は、
第１の隣接セルの第２の参照信号のリソース構成と、第１の隣接セルの第２の参照信号のためのアンテナポートの数と、第１の隣接セルの第２の参照信号のサブフレーム情報と、のうち少なくとも１つを含んでよい。
【０４２９】
更に、補助情報は更に、第１の隣接セルのセルＩＤ及び第１の隣接セルの第１の参照信号ＩＤを含んでよい。
【０４３０】
更に、補助情報は更に、第１の隣接セルの第２の参照信号スクランブリングコードＩＤを含んでよい。
【０４３１】
任意に、第１の隣接セルの第１の参照信号が第１の隣接セルの第２の参照信号の前又は後のＰ番目のサブフレームで送信されるとき、補助情報は更に、第１の隣接セルの第１の参照信号と第１の隣接セルの第２の参照信号との間のサブフレームオフセットＰを含んでよい。Ｐは１以上である。
【０４３２】
本発明の本実施形態は基地局３０を提供する。基地局３０は、ＵＥがセル探索を実行するように、補助情報を送信する。補助情報は第１の隣接セルの第２の参照信号のリソース情報を含み、第１の隣接セルはＵＥのサービング基地局の任意の隣接セルである。スモールセルが密に配置されたシナリオにおいて正確なセル探索が実現され、スモールセルが密に配置されたシナリオでのセル探索について干渉が強いという従来技術の欠点が解決される。
【０４３３】
実施形態９
本発明の実施形態９は基地局４０を提供する。基地局４０は、第１の隣接セルに対応する基地局である。図１３を参照して、基地局４０は、
少なくとも１つプロセッサ１３０１と、メモリ１３０２と、プロセッサ１３０１、メモリ１３０２及び図示されていない別のモジュールの間の接続並びに相互通信を実現するように構成される少なくとも１つの通信バス１３０３と、送信器１３０４と、
を備えてよい。
【０４３４】
通信バス１３０３は、業界標準アーキテクチャ（Industry  Standard  Architecture，略称ＩＳＡ）バス、周辺機器相互接続（Peripheral  Component，略称ＰＣＩ）バス、拡張業界標準アーキテクチャ（Extended  Industry  Standard  Architecture，略称ＥＩＳＡ）バス等であってよい。バス１３０３は、アドレスバス、データバス、コントロールバス等に分けることができる。表記を簡単にするために、バスは、図１３において１本の太線のみを用いて示されるが、１つのバス又は１種類のバスしかないことを示すものではない。
【０４３５】
メモリ１３０２は、ランダムアクセスメモリであってよく、命令及びデータをプロセッサ１３０１に提供してよい。メモリ１３０２の一部は更に不揮発性ランダムアクセスメモリ（ＮＶＲＡＭ）を含んでよい。メモリ１３０２は、分散ロック管理プロセスにおける分散ロック管理装置に含まれる全ての情報を記憶するように構成されてよい。
【０４３６】
プロセッサ１３０１は、中央処理装置（Central  Processing  Unit，略称ＣＰＵ）又は特定用途向け集積回路（Application  Specific  Integrated  Circuit，略称ＡＳＩＣ）であってよく、或いは、本発明の実施形態を実施する１以上の集積回路として構成される。
【０４３７】
送信器１３０４は、第１の隣接セルの第１の参照信号及び第２の参照信号を送信するように構成される。第１の参照信号は、ＵＥがセルに同期する際に用いられ、第２の参照信号は、ＵＥがセル探索及びＲＲＭ測定を実行する際に用いられる。
【０４３８】
任意に、第１の隣接セルの第２の参照信号は、第１の隣接セルのNZP-CSI-RS、又は、第１の隣接セルの準NZP-CSI-RSであってよい。
【０４３９】
準NZP-CSI-RSを生成するためのスクランブリングコードＩＤは、NZP-CSI-RSを生成するためのスクランブリングコードＩＤと異なる。
【０４４０】
任意に、第１の隣接セルの第１の参照信号は、第１の隣接セルのＰＳＳ、又は、第１の隣接セルの準ＰＳＳであってよい。
【０４４１】
準ＰＳＳを生成するためのルートシーケンス番号は、ＰＳＳを生成するためのルートシーケンス番号と異なる。
【０４４２】
任意に、プロセッサ１３０１は、具体的には、
第１の隣接セルの第２の参照信号が１つのアンテナポートを介して伝送されるとき、各リソースブロックにおいて、第１の隣接セルの第２の参照信号を４つのリソースにマッピングし、又は、
第１の隣接セルの第２の参照信号が１つのアンテナポートを介して伝送されるとき、各リソースブロックにおいて、第１の隣接セルの第２の参照信号を８つのリソースエレメントにマッピングし、又は、
第１の隣接セルの第２の参照信号が２つのアンテナポートを介して伝送されるとき、各リソースブロックにおいて、第１の隣接セルの第２の参照信号を４つのリソースエレメントにマッピングし、又は、
第１の隣接セルの第２の参照信号が２つのアンテナポートを介して伝送されるとき、各リソースブロックにおいて、第１の隣接セルの第２の参照信号を８つのリソースエレメントにマッピングするように構成されてよい。
【０４４３】
任意に、第１の隣接セルの第２の参照信号のシークエンス長は、最大システム帯域幅に含まれるリソースブロックの数のＱ倍である。Ｑは１より大きい正の整数である。
【０４４４】
更に、プロセッサ１３０１は更に、
第１の隣接セルのセルＩＤと第１の隣接セルの構成されたリソースの数とに従って、第１の隣接セルの第２の参照信号の送信リソース位置を決定するように構成されてよい。
【０４４５】
更に、プロセッサ１３０１は、具体的には、
第１の隣接セルのＰＳＳ  ＩＤに従って、第１の隣接セルの第２の参照信号の送信リソース位置を計算するように構成されてよい。
【０４４６】
任意に、プロセッサ１３０１は、具体的には、
第１の隣接セルのＳＳＳ  ＩＤに従って、第１の隣接セルの第２の参照信号の送信リソース位置を計算するように構成されてよい。
【０４４７】
任意に、プロセッサ１３０１は、具体的には、
第１の隣接セルの構成されるリソースはＳ個のリソースセットであり、各リソースセットがＴ個のリソースを含むとき、第１の隣接セルのＰＳＳ  ＩＤに従って、第１の隣接セルの第２の参照信号の送信リソースセットを決定し、第１の隣接セルのＳＳＳ  ＩＤに従って、第１の隣接セルの第２の参照信号の、送信リソースセットにおける送信リソース位置を決定するように構成されてよい。
【０４４８】
更に、送信器１３０４は更に、
第１の隣接セルの第１の参照信号及び第１の隣接セルの第２の参照信号を１つのサブフレームで送信するように構成されてよく、
又は、
第１の隣接セルの第１の参照信号を、第１の隣接セルの第２の参照信号の前又は後のＮ番目のサブフレーム０又はサブフレーム５で送信するように構成されてよく、Ｎは１以上であり、
又は、
第１の隣接セルの第１の参照信号を、第１の隣接セルの第２の参照信号の前又は後のＰ番目のサブフレームで送信するように構成されてよく、Ｐは１以上である。
【０４４９】
任意に、送信器１３０４は更に、第１の隣接セルの全ての隣接セルのＵＥがセル探索を実行するように、第１の隣接セルの第１の参照信号の送信パラメータと第１の隣接セルの第２の参照信号の送信パラメータとを、第１の隣接セルの全ての隣接セルに送信するように構成されてよい。
【０４５０】
任意に、第１の隣接セルに対応する基地局がオフ状態であるとき、送信器１３０４は更に、既定の周期に従って、第１の隣接セルの第１の参照信号及び第２の参照信号を周期的に送信するように構成されてよい。
【０４５１】
本発明の本実施形態は基地局４０を提供する。基地局４０は、ＵＥがセル探索を実行するように、第１の隣接セルの第１の参照信号及び第２の参照信号を送信する。第１の参照信号は、ＵＥがセルと同期する際に用いられ、第２の参照信号は、ＵＥがセル探索及びＲＲＭ測定を実行する際に用いられる。スモールセルが密に配置されたシナリオにおいて正確なセル探索が実現され、スモールセルが密に配置されたシナリオでのセル探索について干渉が強いという従来技術の欠点が解決される。
【０４５２】
当業者であれば明らかに理解できるように、説明を簡便にすることを目的として、上述のシステム、装置及びユニットの詳細な作業プロセスについては、参照は、上述の方法実施形態の対応するプロセスを参照することができ、ここでは詳細の説明を省略する。
【０４５３】
本願で提供されるいくつかの実施形態では、開示されたシステム、装置及び方法は、他の方式で実施されてよいことが理解されるべきである。例えば、記載された装置実施形態は単なる例示である。例えば、ユニットの分割は論理的機能の分割に過ぎず、実際の実施では他の分割であってよい。例えば、複数のユニット又はコンポーネントを組み合わせて、又は統合して、別のシステムとしてよく、或いは、一部の特徴を省略してよく、或いは実行しなくてよい。更に、表示又は記載される相互結合若しくは直接結合又は通信接続は、いくつかのインターフェースを用いて実施されてよい。装置又はユニット間の間接結合又は通信接続は、電子的、機械的、又は他の形式で実施されてよい。
【０４５４】
別々の部品として記述されたユニットは物理的に分離してもしなくてもよい。ユニットとして表示される部分は物理的なユニットであってもなくてもよく、１つの位置に配置されてもよいし、複数のネットワーク要素に分布されてもよい。ユニットの一部又は全部は、本実施形態の解決策の目的を達成するために、実際の要件に応じて選択されてよい。
【０４５５】
更に、本発明の実施形態における機能ユニットは、1つの処理ユニットに組み込まれてよい。或いは、各ユニットは、物理的に単独で存在してよく、或いは、２以上のユニットが1つのユニットに統合される。集積ユニットは、ハードウェアの形式で実装されてよく、或いは、ソフトウェア機能ユニットに加えてハードウェアの形式で実装されてもよい。
【０４５６】
上述の集積ユニットがソフトウェア機能ユニットの形式で実装される場合、この集積ユニットは、コンピュータ可読記憶媒体に格納されてよい。ソフトウェア機能ユニットは、記憶媒体に格納され、コンピュータ装置（パーソナルコンピュータ、サーバ又はネットワーク装置であってよい）に本発明の実施形態で説明した方法のステップの一部を実行することを指示するためのいくつかの命令を含む。上述の記憶媒体は、ＵＳＢフラッシュドライブ、ポータブルハードドライブ、読み取り専用メモリ（Read-Only  Memory，略称ＲＯＭ）、ランダムアクセスメモリ（Random  Access  Memory，略称ＲＡＭ）、磁気ディスク、光ディスク等の、プログラムコードを格納することができる任意の媒体を含む。
【０４５７】
最後に、留意すべきこととして、上述の実施形態は、本発明の技術的解決策を説明するものに過ぎず、本発明を限定することを意図していない。上述の実施形態を参照して本発明を詳細に説明したが、当業者であれば理解できるように、本発明の実施形態の技術的解決策の主旨及び範囲から逸脱することなく、上述の実施形態で説明した技術的解決策に対して変更を加えたり、それらのいくつかの技術的特徴に均等置換を行うことができる。
【図１】
2017510141.tif 000036
【図２】
2017510141.tif 000037
【図３】
2017510141.tif 000038
【図４】
2017510141.tif 000039
【図５Ａ】
2017510141.tif 000040
【図５Ｂ】
2017510141.tif 000041
【図５Ｃ】
2017510141.tif 000042
【図５Ｄ】
2017510141.tif 000043
【図５Ｅ】
2017510141.tif 000044
【図６】
2017510141.tif 000045
【図７】
2017510141.tif 000046
【図８】
2017510141.tif 000047
【図９】
2017510141.tif 000048
【図１０Ａ】
2017510141.tif 000049
【図１０Ｂ】
2017510141.tif 000050
【図１０Ｃ】
2017510141.tif 000051
【図１０Ｄ】
2017510141.tif 000052
【図１１】
2017510141.tif 000053
【図１２】
2017510141.tif 000054
【図１３】
2017510141.tif 000055
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
ユーザイクイップメントであって、
補助情報を受信するように構成される受信ユニットであって、前記補助情報は第１の隣接セルの第２の参照信号のリソース情報を含み、前記第１の隣接セルは、前記ユーザイクイップメント（ＵＥ）のサービング基地局の任意の隣接セルである、受信ユニットと、
前記受信ユニットによって受信された前記補助情報に従って、前記第１の隣接セルの第１の参照信号を検出して、前記ＵＥを前記第１の隣接セルと同期させるように構成される同期ユニットと、
前記受信ユニットによって受信された前記補助情報に従って、前記第１の隣接セルの前記第１の参照信号を検出するか、又は、前記第１の隣接セルの前記第２の参照信号を検出するか、又は、前記第１の隣接セルの前記第１の参照信号及び第２の参照信号を検出して、前記第１の隣接セルのセル識別情報（ＩＤ）又は仮想ＩＤを取得するように構成される取得ユニットと、
を備えるユーザイクイップメント。
【請求項２】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項１に記載のユーザイクイップメント。
【請求項３】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項１又は２に記載のユーザイクイップメント。
【請求項４】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項１乃至３のいずれか一項に記載のユーザイクイップメント。
【請求項５】
基地局であって、前記基地局はユーザイクイップメント（ＵＥ）のサービング基地局であり、
第１の隣接セルの第１の参照信号の送信パラメータと、前記第１の隣接セルの第２の参照信号の送信パラメータとを取得するように構成される取得ユニットと、
前記取得ユニットによって取得された前記第１の隣接セルの前記第１の参照信号の前記送信パラメータと前記第１の隣接セルの前記第２の参照信号の前記送信パラメータとに従って、補助情報を生成するように構成される生成ユニットであって、前記補助情報は、前記第１の隣接セルの前記第２の参照信号のリソース情報を含む、生成ユニットと、
セル内のユーザイクイップメント（ＵＥ）がセル探索を実行するように、前記生成ユニットによって生成された前記補助情報を前記ＵＥに送信するように構成される送信ユニットと、
を備える、基地局。
【請求項６】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項５に記載の基地局。
【請求項７】
前記第１の隣接セルの前記第１の参照信号は、プライマリ同期信号（ＰＳＳ）又は前記第１の隣接セルの準ＰＳＳであり、
前記準ＰＳＳを生成するためのルートシーケンス番号は、前記ＰＳＳを生成するためのルートシーケンス番号と異なる、
請求項５又は６に記載の基地局。
【請求項８】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項５乃至７のいずれか一項に記載の基地局。
【請求項９】
ユーザイクイップメント（ＵＥ）が補助情報を受信するステップであって、前記補助情報は第１の隣接セルの第２の参照信号のリソース情報を含み、前記第１の隣接セルは前記ＵＥのサービング基地局の任意の隣接セルである、ステップと、
前記ＵＥが、前記補助情報に従って前記第１の隣接セルの第１の参照信号を検出して、前記ＵＥを前記第１の隣接セルと同期させるステップと、
前記ＵＥが、前記補助情報に従って、前記第１の隣接セルの前記第１の参照信号、又は、前記第１の隣接セルの前記第２の参照信号、又は、前記第１の隣接セルの前記第１の参照信号及び第２の参照信号を検出して、前記第１の隣接セルのセル識別情報（ＩＤ）又は仮想ＩＤを取得するステップと、
を含む、セル探索方法。
【請求項１０】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項９に記載のセル探索方法。
【請求項１１】
前記第１の隣接セルの前記第２の参照信号の前記リソース情報は、
前記第１の隣接セルの前記第２の参照信号のリソース構成と、前記第１の隣接セルの前記第２の参照信号のためのアンテナポートの数と、前記第１の隣接セルの前記第２の参照信号のサブフレーム情報と、のうち少なくとも１つを含む、
請求項９又は１０に記載のセル探索方法。
【請求項１２】
前記第１の隣接セルの前記第１の参照信号は、前記第１の隣接セルのプライマリ同期信号（ＰＳＳ）、又は、前記第１の隣接セルの準ＰＳＳであり、
前記準ＰＳＳを生成するためのルートシーケンス番号は、前記ＰＳＳを生成するためのルートシーケンス番号と異なる、
請求項９乃至１１のいずれか一項に記載のセル探索方法。
【請求項１３】
第１の隣接セルの第１の参照信号の送信パラメータと、前記第１の隣接セルの第２の参照信号の送信パラメータとを取得するステップと、
前記第１の隣接セルの前記第１の参照信号の前記送信パラメータと、前記第１の隣接セルの前記第２の参照信号の前記送信パラメータとに従って、補助情報を生成するステップであって、前記補助情報は、前記第１の隣接セルの前記第２の参照信号のリソース情報を含む、ステップと、
セル内のユーザイクイップメント（ＵＥ）がセル探索を実行するように、前記補助情報を前記ＵＥに送信するステップと、
を含むセル探索方法。
【請求項１４】
前記第１の隣接セルの前記第２の参照信号は、前記第１の隣接セルの非ゼロパワーチャネル状態指示参照信号（NZP-CSI-RS）、又は、前記第１の隣接セルの準NZP-CSI-RSであり、
前記準NZP-CSI-RSを生成するためのスクランブリングコードＩＤは、前記NZP-CSI-RSを生成するためのスクランブリングコードＩＤと異なる、
請求項１３に記載のセル探索方法。
【請求項１５】
前記第１の隣接セルの前記第１の参照信号は、プライマリ同期信号（ＰＳＳ）又は前記第１の隣接セルの準ＰＳＳであり、
前記準ＰＳＳを生成するためのルートシーケンス番号は、前記ＰＳＳを生成するためのルートシーケンス番号と異なる、
請求項１３又は１４に記載のセル探索方法。
【手続補正２】
【補正対象書類名】明細書
【補正対象項目名】０１０３
【補正方法】変更
【補正の内容】
【０１０３】
第７の態様の第１６の可能な実施方式に関して、第７の態様の第１７の可能な実施方式では、補助情報は更に、第１の隣接セルの測定リソース１のリソース情報を含む。第１の隣接セルの測定リソース１のリソース情報は、
第１の隣接セルの測定リソース１のリソース構成と、第１の隣接セルの測定リソース１のためのアンテナポートの数と、第１の隣接セルの測定リソース１のサブフレーム情報と、のうち少なくとも１つを含む。
【手続補正３】
【補正対象書類名】明細書
【補正対象項目名】０１０４
【補正方法】変更
【補正の内容】
【０１０４】
第７の態様の第１７の可能な実施方式に関して、第７の態様の第１８の可能な実施方式では、第１の隣接セルの測定リソース１は、第１の隣接セルのZP-CSI-RSである。
【手続補正４】
【補正対象書類名】明細書
【補正対象項目名】０１８６
【補正方法】変更
【補正の内容】
【０１８６】
任意に、同期ユニット１０２が第１の隣接セルの第１の参照信号を検出してＵＥを第１の隣接セルと同期させるプロセスでは、同期ユニット１０２は、第１の隣接セルの第１の参照信号の送信位置の違いに応じて、以下の３つの方式を用いて、第１の隣接セルの第１の参照信号の位置を検出してよい。
【手続補正５】
【補正対象書類名】明細書
【補正対象項目名】０３０５
【補正方法】変更
【補正の内容】
【０３０５】
第３のケース：第１の隣接セルの第１の参照信号が、第１の隣接セルの第２の参照信号の前又は後のＰ番目のサブフレームで送信される場合、補助情報は更に、第１の隣接セルの第１の参照信号と第１の隣接セルの第２の参照信号との間のサブフレームオフセットＰを含む。ＵＥは、第１の隣接セルの第２の参照信号のリソース情報において指示されるサブフレームの前又は後のＰ番目のサブフレームで、第１の隣接セルの第１の参照信号を検出する。Ｐは１以上である。
【手続補正６】
【補正対象書類名】明細書
【補正対象項目名】０４５７
【補正方法】変更
【補正の内容】
【０４５７】
最後に、留意すべきこととして、上述の実施形態は、本発明の技術的解決策を説明するものに過ぎず、本発明を限定することを意図していない。上述の実施形態を参照して本発明を詳細に説明したが、当業者であれば理解できるように、本発明の実施形態の技術的解決策の範囲から逸脱することなく、上述の実施形態で説明した技術的解決策に対して変更を加えたり、それらのいくつかの技術的特徴に均等置換を行うことができる。
【国際調査報告】
2017510141.tif 000056
2017510141.tif 000057
2017510141.tif 000058
2017510141.tif 000059